(57)【要約】  部分免荷システムは、ユーザを部分免荷システムに結合するためにユーザによって身に着けられた接続デバイスに結合するように構成されたテザーを含む。歩行トレーニングを提供する方法は、接続デバイスが初期位置にある時のテザーの基準長さを定義することと、テザーのしきい長さを定義することとを含む。第１量の部分免荷が、歩行トレーニング中に、ユーザが表面に対して相対的に移動し、テザーの長さがしきい長さより短い時に、提供される。第２量の部分免荷が、歩行トレーニング中に、ユーザが表面に対して相対的に移動し、テザーの長さがしきい長さより長い時に、提供される。この方法は、電子デバイスのディスプレイ上に歩行トレーニングに関連するデータを表示することをさらに含む。【選択図】図７７
2020507360.tif 000002
【特許請求の範囲】
【請求項１】
歩行トレーニング中に部分免荷を提供するために部分免荷システムを使用する方法であって、前記部分免荷システムは、ユーザを前記部分免荷システムに結合するために前記ユーザによって身に着けられた接続デバイスに結合されるように構成されたテザーを含み、前記方法は、
前記接続デバイスが初期位置にある時の前記テザーの基準長さを定義することと、
前記テザーのしきい長さを定義することと、
前記歩行トレーニング中に、前記ユーザが表面に対して相対的に移動し、前記テザーの前記長さが前記テザーの前記しきい長さより短い時に、第１量の部分免荷を提供することと、
前記歩行トレーニング中に、前記ユーザが前記表面に対して相対的に移動し、前記テザーの前記長さが前記テザーの前記しきい長さより長い時に、第２量の部分免荷を提供することと、
前記部分免荷システム内に含まれる電子デバイスのディスプレイ上に前記歩行トレーニングに関連するデータを表示することと、を含む方法。
【請求項２】
前記テザーの前記長さは、前記ユーザが前記テザーに働かせる力の増加に応答して増やされる、請求項１に記載の方法。
【請求項３】
前記ユーザが前記テザーに働かせる力の前記増加は、前記ユーザが前記歩行トレーニング中に転倒することに関連する、請求項２に記載の方法。
【請求項４】
前記ユーザがそれに対して相対的に移動する前記表面は静止表面である、請求項１に記載の方法。
【請求項５】
前記部分免荷システムは、支持トラックから前記部分免荷システムを移動可能に吊るすように構成された駆動アセンブリを含み、前記駆動アセンブリは、前記部分免荷システムが前記ユーザに対して相対的に実質的に頭上の位置に維持されるように、前記ユーザが前記表面に対して相対的に移動することに応答して、前記支持トラックに対して相対的に前記部分免荷システムを移動するように構成される、請求項４に記載の方法。
【請求項６】
前記ユーザがそれに対して相対的に移動する前記表面は、トレッドミルを含む移動する表面である、請求項１に記載の方法。
【請求項７】
前記ディスプレイ上での前記歩行トレーニングに関連する前記データの表示は、前記部分免荷システムの動作条件及び前記トレッドミルの動作条件に関連するデータを表示することを含む、請求項６に記載の方法。
【請求項８】
歩行トレーニング中に部分免荷を提供するために部分免荷システムを使用する方法であって、前記部分免荷システムは、ユーザを前記部分免荷システムに結合するために前記ユーザによって身に着けられた接続デバイスに結合されるように構成されたテザーを含み、前記方法は、
前記接続デバイスが初期位置にある時の前記テザーの基準長さを定義することと、
前記テザーの長さの変化に関連する第１判断基準を定義することと、
前記テザーの長さの変化に関連する第２判断基準を定義することと、
前記ユーザが前記歩行トレーニング中に転倒することに応答して提供すべき前記部分免荷の量を定義することと、
前記第１判断基準及び前記第２判断基準が満足されることに基づいて転倒が発生したと判定することと、
前記第１判断基準及び前記第２判断基準が満足されることに応答して前記量の部分免荷を提供することと、を含む方法。
【請求項９】
前記第１判断基準は、前記テザーの前記長さの変化の速度である、請求項８に記載の方法。
【請求項１０】
前記第２判断基準は、前記テザーの前記長さがその間に変更される持続時間である、請求項８に記載の方法。
【請求項１１】
前記第２判断基準は、最小持続時間である、請求項１０に記載の方法。
【請求項１２】
前記第１判断基準は、前記テザーの前記長さの変化の速度であり、前記第２判断基準は、前記テザーの前記長さがその間に変更される持続時間であり、前記第１判断基準及び前記第２判断基準が満足されることに応答して提供される前記量の部分免荷は、部分免荷の第１量であり、前記方法は、
前記第１判断基準又は前記第２判断基準のうちの少なくとも１つが満足されない時に部分免荷の第２量を提供することであって、部分免荷の前記第２量は、部分免荷の前記第１量より少ない、提供することをさらに含む、請求項８に記載の方法。
【請求項１３】
前記第１判断基準又は前記第２判断基準のうちの少なくとも１つを満足しない前記テザーの前記長さの変化に応答して、前記テザーの前記基準長さを再定義すること、をさらに含む、請求項８に記載の方法。
【請求項１４】
歩行トレーニング中に部分免荷を提供するために部分免荷システムを使用する方法であって、前記部分免荷システムは、ユーザを前記部分免荷システムに結合するために前記ユーザによって身に着けられた接続デバイスに結合されるように構成されたテザーを含み、前記方法は、
前記接続デバイスが初期位置にある時の前記テザーの基準長さを定義することと、
前記テザーのしきい長さを定義することであって、前記テザーの前記しきい長さは、前記ユーザが前記歩行トレーニング中に転倒することに関連する、定義することと、
前記歩行トレーニング中の転倒のしきい回数を定義することと、
前記歩行トレーニング中に、前記ユーザが表面に対して相対的に移動し、転倒の回数が転倒の前記しきい回数より少ない時に、所定の量の部分免荷を提供することと、
前記歩行トレーニング中に、転倒の前記しきい回数が満足されることに応答して、前記ユーザに提供すべき部分免荷の前記所定の量を増やすことと、
前記部分免荷システム内に含まれる電子デバイスのディスプレイ上で前記歩行トレーニングに関連するデータを表示することと、を含む方法。
【請求項１５】
前記ユーザがそれに対して相対的に移動する前記表面は、静止表面である、請求項１４に記載の方法。
【請求項１６】
前記部分免荷システムは、支持トラックから前記部分免荷システムを移動可能に吊るすように構成された駆動アセンブリを含み、前記駆動アセンブリは、前記部分免荷システムが前記ユーザに対して相対的に実質的に頭上の位置に維持されるように、前記ユーザが前記表面に対して相対的に移動することに応答して、前記支持トラックに対して相対的に前記部分免荷システムを移動するように構成される、請求項１５に記載の方法。
【請求項１７】
前記ユーザがそれに対して相対的に移動する前記表面は、トレッドミルを含む移動する表面である、請求項１４に記載の方法。
【請求項１８】
前記ディスプレイ上での前記歩行トレーニングに関連する前記データの表示は、前記部分免荷システムの動作条件及び前記トレッドミルの動作条件に関連するデータを表示することを含む、請求項１７に記載の方法。
【請求項１９】
前記歩行トレーニング中に、前記ユーザが前記表面に対して相対的に移動する時に、部分免荷の前記所定の量を提供することは、前記テザーの長さが前記テザーの前記しきい長さを超えることに応答する、請求項１４に記載の方法。
【請求項２０】
前記テザーの前記基準長さは、前記テザーの第１基準長さであり、前記方法は、
転倒の前記しきい回数が満足されることに応答して前記テザーの第２基準長さを定義することであって、前記テザーの前記第２基準長さは、前記テザーの前記第１基準長さより短い、定義することをさらに含む、請求項１４に記載の方法。
【発明の詳細な説明】
【技術分野】
【０００１】
[1001]  本願は、その開示の全体が参照によって本明細書に組み込まれている、２０１７年２月１４日に出願した米国特許仮出願第６２／４５８６４８号、名称「Ｍｅｔｈｏｄｓ  ａｎｄ  Ａｐｐａｒａｔｕｓ  ｆｏｒ  Ｂｏｄｙ  Ｗｅｉｇｈｔ  Ｓｕｐｐｏｒｔ  Ｓｙｓｔｅｍ」の優先権及び利益を主張するものである。
【０００２】
[1002]  本願は、その開示のそれぞれの全体が参照によって本明細書に組み込まれている、２０１３年１月２０日に出願した米国特許第９６８２０００号、名称「Ｍｅｔｈｏｄｓ  ａｎｄ  Ａｐｐａｒａｔｕｓ  ｆｏｒ  Ｂｏｄｙ  Ｗｅｉｇｈｔ  Ｓｕｐｐｏｒｔ  Ｓｙｓｔｅｍ」の一部継続である、２０１４年３月２６日に出願した米国特許第９８５５１７７号、名称「Ｍｅｔｈｏｄｓ  ａｎｄ  Ａｐｐａｒａｔｕｓ  ｆｏｒ  Ｂｏｄｙ  Ｗｅｉｇｈｔ  Ｓｕｐｐｏｒｔ  Ｓｙｓｔｅｍ」の一部継続である、２０１５年２月３日に出願した米国特許公開第２０１５／０１４３６２７号、名称「Ｍｅｔｈｏｄｓ  ａｎｄ  Ａｐｐａｒａｔｕｓ  ｆｏｒ  Ｂｏｄｙ  Ｗｅｉｇｈｔ  Ｓｕｐｐｏｒｔ  Ｓｙｓｔｅｍ」に関する。
【背景技術】
【０００３】
[1003]  本明細書で説明される実施形態は、ユーザの体重を支持する装置及び方法に関する。より具体的には、本明細書で説明される実施形態は、歩行治療（ｇａｉｔ  ｔｈｅｒａｐｙ）中にユーザの体重を支持する装置及び方法に関する。
【０００４】
[1004]  深刻なウォーキング障害を有する個人に集中的ではあるが安全な歩行治療（ｇａｉｔ  ｔｈｅｒａｐｙ）を成功裡に与えることは、技量を有する療法士に課題を提示する可能性がある。脳卒中、脊髄損傷、外傷性脳損傷、又は類似物などの多数の神経損傷の急性期には、個人は、しばしば非常に不安定なウォーキング・パターンと低い持久力とを示し、ユーザ（例えば、患者）と療法士との両方にとって歩行を安全に実践することが困難になる。この故に、リハビリテーション・センタは、しばしば、平地歩行トレーニングを、部分免荷（ｂｏｄｙ−ｗｅｉｇｈｔ  ｓｕｐｐｏｒｔ）システムがトレーニングの強度を上げながら転倒を最小にするのを助けることのできるトレッドミルに移す。
【０００５】
[1005]  いくつかの例では、部分免荷されたトレッドミル・トレーニングは、従来の歩行トレーニングに類似するかこれを超えるウォーキング能力の増大を促進することができる。残念ながら、患者をトレッドミル上のトレーニングから安全な重量支持された平地歩行トレーニングに移行させるシステムはほとんどない。さらに、ウォーキング障害を有するほとんどの個人の主目標が、トレッドミル上ではなく彼らの自宅及びコミュニティで歩くことなので、歩行を目標とする治療的介入が、平地歩行トレーニング（例えば、トレッドミル上ではなく）を含むことが、しばしば望ましい。
【０００６】
[1006]  いくつかの既知の支持システムは、滑らかで平坦な表面の上で歩行障害を有する個人をトレーニングすることを含む。しかし、いくつかのシステムでは、療法士は、患者、特に患者の下腿との相互作用を著しく妨害される。膝及び／若しくは尻を安定させるために部分的支援を必要とする患者又は脚を進ませるために助けを必要とする患者にとって、これらのシステムは、患者と療法士との間の重大な障壁を提示する。
【０００７】
[1007]  いくつかの既知の歩行支持システムは、システムによって支持される患者に静的な除荷（ｕｎｌｏａｄｉｎｇ）を提供するように構成される。すなわち、静的除荷の下では、患者を支持する肩ひもの長さは、患者が、ひもがゆるんでいる時に彼らの重量の実質的にすべてを支え、ひもが教えられる時に実質的に重量を支えないのいずれかになるように、固定長にセットされる。静的除荷システムは、異常な地面反力と下肢の変更された筋活動パターンとをもたらすことが示された。さらに、静的除荷システムは、患者の垂直変位を妨げ、これが、大きい範囲の動きが必要である場合に、ある形態のバランス及び姿勢治療を妨げる可能性がある。その結果、いくつかの既知のシステムは、車椅子から立位へ患者を持ち上げることができず、これによって、システムの使用を車椅子に追いやられていない個人（例えば、軽度から中程度の歩行障害を有する患者）に制限する。
【０００８】
[1008]  いくつかの既知の静的支持システムでは、部分免荷の量に対する制限がある場合がある。そのようなシステムでは、部分免荷は、継続的に変調され得るのではなく、トレーニング・セッションが始まる前に調整され、トレーニング中にはそのレベルで実質的に固定されたままになる。さらに、除荷の量は、オペレータがシステムを手作業で調整することを必要とするので、継続的には調整され得ない。
【０００９】
[1009]  他の既知のシステムでは、患者は、患者が歩行治療中に頭上のレールに沿ってトロリを物理的異に引っ張る間に患者を支持するように構成された受動トロリ及びレール・システムによって支持され得る。トロリは相対的に少ない質量を有することができるが、患者は、その質量の存在を感じる可能性がある。従って、バランス、姿勢、及びウォーキング能力に焦点を合わせることができるのではなく、患者は、トロリの力学を補償しなければならない可能性がある。例えば、滑らかで平坦な表面上で、被験者が突然停止する場合に、トロリは、前方に移動し続け、被験者を潜在的に不安定にし、これによって、被験者がデバイスから除去される時に存続する可能性がある異常な補償歩行戦略をもたらす可能性がある。
【００１０】
[1010]  いくつかの既知の平地歩行支持システムは、電動化されたトロリ及びレール・システムを含む。そのような既知のシステムでは、電動化されたトロリは、相対的にかさばる可能性があり、これによって、システムに高さ制限を課す可能性がある。例えば、いくつかの既知のシステムでは、患者の効果的な支持に関する最大の適切な高さがある場合がある。いくつかの既知のシステムでは、システムが変化する身長の患者を支持するために、最小天井高さが必要である場合がある。
【００１１】
[1011]  トロリが電動化され、被験者の移動に従うようにプログラムされると同時に、機構及び全体的なシステム力学は、患者が動くために重くかさばるトロリを引っ張っていると患者が感じるように、システムの応答のかなりの遅延をもたらす可能性がある。そのようなシステム挙動は、ウォーキング中に、障害を有する患者を不安定にする可能性がある。さらに、一部の既知の電動化されたシステムは、トロリに電力を供給し、制御するために電力ケーブル及び／又は制御ケーブルの太い束を含む。そのようなケーブル束は、ルーティング及び管理並びにトロリの往来の低減における重大な課題を提示する。例えば、一部の既知のシステムでは、ケーブル束は、ベローズ構成で配置され、ケーブル束は、トロリが電源に向かって動く時に縮小し、トロリが電源から離れて動く時に延びるようになっている。この形で、トロリの往来は、縮小されたケーブル束によって占有される空間によって制限される。いくつかの例では、ケーブルの束は、制御システムの性能における重大な課題を提示する変化する慣性を構成し、従って、電動化された支持システム全体の効力を下げる可能性がある。
【００１２】
[1012]  従って、ゲート治療中に患者の体重を支持する改善された装置及び方法の必要が存在する。
【発明の概要】
【００１３】
[1013]  歩行治療中に患者の体重を支持する装置及び方法が本明細書で説明される。いくつかの実施形態では、歩行トレーニング中に部分免荷を提供するために部分免荷システムを使用する方法は、部分免荷システム内に含まれるテザーの基準長さを定義することを含む。テザーは、ユーザを部分免荷システムに結合するためにユーザによって身に着けられた接続デバイスに結合されるように構成される。接続デバイスが初期位置にある時のテザーの基準長さが、定義される。テザーのしきい長さが、定義される。部分免荷の第１量が、歩行トレーニング中に、ユーザが表面に対して相対的に移動し、テザーの長さがテザーのしきい長さより短い時に、提供される。部分免荷の第２量が、歩行トレーニング中に、ユーザが表面に対して相対的に移動し、テザーの長さがテザーのしきい長さより長い時に、提供される。この方法は、部分免荷システム内に含まれる電子デバイスのディスプレイ上に歩行トレーニングに関連するデータを表示することをさらに含む。
【図面の簡単な説明】
【００１４】
【図１】[1014]一実施形態による部分免荷システムを示す概略図である。
【図２】[1015]一実施形態による部分免荷システムを示す透視図である。
【図３】[1015]一実施形態による部分免荷システムを示す透視図である。
【図４】[1016]図２の部分免荷システム内に含まれるトロリを示す様々な透視図である。
【図５】[1016]図２の部分免荷システム内に含まれるトロリを示す様々な透視図である。
【図６】[1016]図２の部分免荷システム内に含まれるトロリを示す様々な透視図である。
【図７】[1016]図２の部分免荷システム内に含まれるトロリを示す様々な透視図である。
【図８】[1017]図４のトロリ内に含まれるハウジングを示す上面透視図である。
【図９】[1018]図８のハウジングを示す分解図である。
【図１０】[1019]図４のトロリのうちで領域Ｚとして識別される部分を示す拡大図である。
【図１１】[1020]図４のトロリ内に含まれる電子システムを示す底面透視図である。
【図１２】[1021]図４のトロリ内に含まれる駆動機構を示す透視図である。
【図１３】[1022]図１２の駆動機構内に含まれる第１駆動アセンブリを示す透視図である。
【図１４】[1022]図１２の駆動機構内に含まれる第１駆動アセンブリを示す透視図である。
【図１５】[1023]図１３の第１駆動アセンブリを示す分解図である。
【図１６】[1023]図１３の第１駆動アセンブリを示す分解図である。
【図１７】[1024]それぞれ図１３の第１駆動アセンブリ内に含まれる、第１支持部材、第２支持部材、及び第３支持部材を示す透視図である。
【図１８】[1024]それぞれ図１３の第１駆動アセンブリ内に含まれる、第１支持部材、第２支持部材、及び第３支持部材を示す透視図である。
【図１９】[1024]それぞれ図１３の第１駆動アセンブリ内に含まれる、第１支持部材、第２支持部材、及び第３支持部材を示す透視図である。
【図２０】[1025]図１３の第１駆動アセンブリ内に含まれる駆動輪サブアセンブリを示す分解図である。
【図２１】[1026]図１３の第１駆動アセンブリ内に含まれる副車輪サブアセンブリを示す透視図である。
【図２２】[1027]図１８の第２支持部材に結合された図２１の副車輪サブアセンブリを示す、図１３の第１駆動アセンブリの一部を示す透視図である。
【図２３】[1028]支持トラックと接触している図１３の第１駆動アセンブリを示す透視図である。
【図２４】[1029]図１２の駆動機構内に含まれる第２駆動アセンブリを示す透視図である。
【図２５】[1030]図２４の第２駆動アセンブリを示す分解図である。
【図２６】[1031]図２０の支持トラックと接触している図２４の第２駆動アセンブリを示す透視図である。
【図２７】[1032]その両方が図４のトロリ内に含まれる、図８のハウジング内に含まれる支持機構及び基部を示す透視図である。
【図２８】[1033]図２７の支持機構を示す透視図である。
【図２９】[1034]図２７の支持機構内に含まれるウインチ・アセンブリを示す透視図である。
【図３０】[1035]図２９のウインチ・アセンブリを示す分解図である。
【図３１】[1036]図２７の支持機構内に含まれる案内アセンブリを示す分解図である。
【図３２】[1037]図２８のウインチ・アセンブリなしで示された図２７の支持機構の透視図である。
【図３３】[1038]図２７の支持機構内に含まれるカム・アセンブリを示す分解図である。
【図３４】[1039]一実施形態による患者接続機構を示す透視図である。
【図３５】[1040]一実施形態による部分免荷システムを示す透視図である。
【図３６】[1041]線Ｘ−Ｘに沿った図３５の部分免荷システムの断面図である。
【図３７】[1042]一実施形態による支持システムを示す概略図である。
【図３８】[1043]一実施形態による支持システムの一部を示す透視図である。
【図３９】[1044]図３８の支持システム内に含まれる手押し車を示す透視図である。
【図４０】[1045]線４０−４０に沿った、図３９の手押し車内に含まれる接続部材を示す断面図である。
【図４１】[1046]一実施形態による支持システムの部分を示す上面透視図及び底面透視図である。
【図４２】[1046]一実施形態による支持システムの部分を示す上面透視図及び底面透視図である。
【図４３】[1047]一実施形態による支持システムの一部を示す透視図である。
【図４４】[1048]線４４−４４に沿った、図４３の支持システム内に含まれる停止機構を示す断面図である。
【図４５】[1049]一実施形態による支持システム内に含まれる光学追跡システムを示す概略図である。
【図４６】[1049]一実施形態による支持システム内に含まれる光学追跡システムを示す概略図である。
【図４７】[1049]一実施形態による支持システム内に含まれる光学追跡システムを示す概略図である。
【図４８】[1050]一実施形態による制御図を示す概略図である。
【図４９】[1051]一実施形態による患者の質量中心の変位を示すグラフである。
【図５０】[1052]一実施形態による患者の移動に応答する患者支持機構に関連する動作条件を示すグラフである。
【図５１】[1052]一実施形態による患者の移動に応答する患者支持機構に関連する動作条件を示すグラフである。
【図５２】[1052]一実施形態による患者の移動に応答する患者支持機構に関連する動作条件を示すグラフである。
【図５３】[1052]一実施形態による患者の移動に応答する患者支持機構に関連する動作条件を示すグラフである。
【図５４】[1053]一実施形態による部分免荷システムを使用する間の電気刺激装置及び／又は障害を有する患者の歩行に関連する１つ又は複数の動作条件のグラフ表現を示す図である。
【図５５】[1054]一実施形態による、部分免荷システム及び例えば電気刺激装置に関連するデータに少なくとも部分的に基づいて判定された患者の歩行特性のセットのグラフ表現を示す図である。
【図５６】[1055]一実施形態による、少なくとも部分的に部分免荷システムによって判定される患者の歩行の対称解析に関連するデータのグラフ表現を示すディスプレイのスクリーンショットである。
【図５７】[1056]一実施形態による、少なくとも部分的に部分免荷システムによって判定される、患者のｔｉｍｅｄ−ｕｐ−ａｎｄ−ｇｏ  ｔｅｓｔに関連するデータのグラフ表現を示すディスプレイのスクリーンショットである。
【図５８】[1057]一実施形態による、少なくとも部分的に部分免荷システムによって判定される、患者のｔｉｍｅｄ−ｄｉｓｔａｎｃｅ  ｔｅｓｔに関連するデータのグラフ表現を示すディスプレイのスクリーンショットである。
【図５９】[1058]一実施形態による、部分免荷システム内に含まれ、かつ／又はこれによって実施される転倒予防システムに関連するデータのグラフ表現を示すディスプレイのスクリーンショットである。
【図６０】[1059]それぞれ第１モード及び／又は構成、第２モード及び／又は構成、並びに第３モード及び／又は構成の、図５９に示された転倒予防システムの部分をグラフィックに表すディスプレイのスクリーンショットである。
【図６１】[1059]それぞれ第１モード及び／又は構成、第２モード及び／又は構成、並びに第３モード及び／又は構成の、図５９に示された転倒予防システムの部分をグラフィックに表すディスプレイのスクリーンショットである。
【図６２】[1059]それぞれ第１モード及び／又は構成、第２モード及び／又は構成、並びに第３モード及び／又は構成の、図５９に示された転倒予防システムの部分をグラフィックに表すディスプレイのスクリーンショットである。
【図６３】[1060]図５９に示された転倒予防システムの部分をグラフィックに表すディスプレイのスクリーンショットである。
【図６４】[1061]一実施形態による、患者がトレッドミルを使用する間の部分免荷システムの使用に関連するデータのグラフィック表現を示すディスプレイの様々なスクリーンショットである。
【図６５】[1061]一実施形態による、患者がトレッドミルを使用する間の部分免荷システムの使用に関連するデータのグラフィック表現を示すディスプレイの様々なスクリーンショットである。
【図６６】[1061]一実施形態による、患者がトレッドミルを使用する間の部分免荷システムの使用に関連するデータのグラフィック表現を示すディスプレイの様々なスクリーンショットである。
【図６７】[1061]一実施形態による、患者がトレッドミルを使用する間の部分免荷システムの使用に関連するデータのグラフィック表現を示すディスプレイの様々なスクリーンショットである。
【図６８】[1061]一実施形態による、患者がトレッドミルを使用する間の部分免荷システムの使用に関連するデータのグラフィック表現を示すディスプレイの様々なスクリーンショットである。
【図６９】[1061]一実施形態による、患者がトレッドミルを使用する間の部分免荷システムの使用に関連するデータのグラフィック表現を示すディスプレイの様々なスクリーンショットである。
【図７０】[1062]一実施形態による、支持トラックの一部、パワー・レールの一部、及びターンテーブルを示す概略図である。
【図７１】[1063]一実施形態による支持システムを示す概略図である。
【図７２】[1064]それぞれ、異なる実施形態による電力系統の一部を示す透視図である。
【図７３】[1064]それぞれ、異なる実施形態による電力系統の一部を示す透視図である。
【図７４】[1065]それぞれ、一実施形態による部分免荷システムを示す正面図、側面図、及び底面図である。
【図７５】[1065]それぞれ、一実施形態による部分免荷システムを示す正面図、側面図、及び底面図である。
【図７６】[1065]それぞれ、一実施形態による部分免荷システムを示す正面図、側面図、及び底面図である。
【図７７】[1066]それぞれが異なる実施形態による、部分免荷を提供する方法をそれぞれが示す流れ図である。
【図７８】[1066]それぞれが異なる実施形態による、部分免荷を提供する方法をそれぞれが示す流れ図である。
【図７９】[1066]それぞれが異なる実施形態による、部分免荷を提供する方法をそれぞれが示す流れ図である。
【発明を実施するための形態】
【００１５】
[1067]  いくつかの実施形態では、歩行トレーニング中に部分免荷を提供するために部分免荷システムを使用する方法は、部分免荷システム内に含まれるテザーの基準長さを定義することを含む。テザーは、ユーザを部分免荷システムに結合するためにユーザによって身に着けられた接続デバイスに結合されるように構成される。接続デバイスが初期位置にある時のテザーの基準長さが、定義される。テザーのしきい長さが、定義される。第１量の部分免荷が、歩行トレーニング中に、ユーザが表面に対して相対的に移動し、テザーの長さがテザーのしきい長さより短い時に、提供される。第２量の部分免荷が、歩行トレーニング中に、ユーザが表面に対して相対的に移動し、テザーの長さがテザーのしきい長さより長い時に、提供される。この方法は、部分免荷システム内に含まれる電子デバイスのディスプレイ上に歩行トレーニングに関連するデータを表示することをさらに含む。
【００１６】
[1068]  いくつかの実施形態では、歩行トレーニング中に部分免荷を提供するために部分免荷システムを使用する方法は、部分免荷システム内に含まれるテザーの基準長さを定義することを含む。テザーは、ユーザを部分免荷システムに結合するためにユーザによって身に着けられた接続デバイスに結合されるように構成される。接続デバイスが初期位置にある時のテザーの基準長さが、定義される。テザーの長さの変化に関連する第１判断基準が、定義され、テザーの長さの変化に関連する第２判断基準が、定義される。ユーザが歩行トレーニング中に転倒することに応答して提供すべき部分免荷の量が、定義される。この方法は、第１判断基準及び第２判断基準が満足されることに基づいて転倒が発生したと判定することを含み、第１判断基準及び第２判断基準が満足されることに応答して、その量の部分免荷が提供される。
【００１７】
[1069]  いくつかの実施形態では、歩行トレーニング中に部分免荷を提供するために部分免荷システムを使用する方法は、部分免荷システム内に含まれるテザーの基準長さを定義することを含む。テザーは、ユーザを部分免荷システムに結合するためにユーザによって身に着けられた接続デバイスに結合されるように構成される。接続デバイスが初期位置にある時のテザーの基準長さが、定義される。テザーのしきい長さが、定義される。テザーのしきい長さは、ユーザが歩行トレーニング中に転倒することに関連する。歩行トレーニング中の転倒のしきい回数が、定義される。この方法は、歩行トレーニング中に、ユーザが表面に対して相対的に移動し、転倒の回数が転倒のしきい回数より少ない時に、所定の量の部分免荷を提供することを含む。歩行トレーニング中に転倒のしきい回数が満足されることに応答して、ユーザに提供すべき部分免荷の所定の量が、増やされる。この方法は、部分免荷システム内に含まれる電子デバイスのディスプレイ上で歩行トレーニングに関連するデータを表示することをさらに含む。
【００１８】
[1070]  いくつかの実施形態では、装置は、駆動機構と、患者支持機構と、電子システムと、を有するトロリを含む。駆動機構は、支持トラックからトロリを移動可能に吊るすように構成される。駆動機構は、駆動機構の動作条件を感知するように構成された第１センサを含む。患者支持機構は、テザー及び第２センサを含む。第２センサは、患者支持機構の動作条件を感知するように構成される。テザーは、患者支持機構が患者を支持するように、患者に動作可能に結合され得る。電子システムは、患者支持機構が患者の体重のうちの所定の量を支持するように、第１センサからの信号及び第２センサからの信号の受信に応答して、駆動機構又は患者支持機構の少なくとも１つの動作条件を更新するように構成される。
【００１９】
[1071]  いくつかの実施形態では、装置は、駆動機構と、患者支持機構と、電子システムとを含む。駆動機構は、トロリ内に含まれ、支持トラックからトロリを吊るすように構成される。駆動機構は、駆動機構の動作条件を感知するように構成された第１センサを含む。患者支持機構は、トロリに結合し、テザー及び第２センサを含む。テザーは、患者支持機構が患者の重量の少なくとも一部を支持するように、患者に動作可能に結合されるように構成される。第２センサは、患者支持機構の動作条件を感知するように構成される。電子システムは、トロリ内に含まれ、少なくともプロセッサ及びメモリを有する。プロセッサは、第１センサから受信された信号及び第２センサから受信された信号に少なくとも部分的に基づいて、患者の歩行特性を定義するように構成される。
【００２０】
[1072]  いくつかの実施形態では、方法は、駆動機構又は患者支持機構のうちの少なくとも１つの第１動作条件に関連する信号を受信することを含む。患者支持機構は、能動トロリに結合され、患者を支持するように構成される。駆動機構は、能動トロリに結合され、患者の移動に応答して支持トラックに沿ってトロリを移動するように構成される。駆動機構又は患者支持機構のうちの少なくとも１つの第２動作条件に関連する信号が受信される。第１動作条件と第２動作条件との間の相違が判定される。その判定に少なくとも部分的に基づいて、患者支持機構によって支持された患者の歩行特性が定義される。
【００２１】
[1073]  いくつかの実施形態では、方法は、第１センサから第１信号を受信することを含む。第１信号は、患者支持システム内に含まれる患者支持機構の動作条件に関連する。患者支持機構は、患者支持システムが患者の重量の少なくとも一部を支持するようにするために、患者を患者支持機構に繋ぐように構成されたテザーを含む。第２信号が、第２センサから受信される。第２信号は、患者支持システム内に含まれる駆動機構の動作条件に関連する。駆動機構は、（１）支持トラックから患者支持システムを吊るし、（２）患者の移動に応答して支持トラックに沿って移動するように構成される。患者の移動に関連する少なくとも１つの歩行特性が、患者支持機構の動作条件及び駆動機構の動作条件に少なくとも部分的に基づいて判定される。第３信号が、出力デバイスに送られる。第３信号は、少なくとも１つの歩行特性に関連するデータを出力デバイスを介して出力する命令を示す。
【００２２】
[1074]  いくつかの実施形態では、システムは、支持トラックから移動可能に吊るされた第１トロリ及び第２トロリを含む。第１トロリは、第１患者を支持するように構成された患者接続機構を含む。第１トロリは、支持トラックに対して相対的に移動するように構成される。第２トロリは、第２患者を支持するように構成された患者接続機構を含む。第２トロリは、第２トロリの移動が第１トロリの移動とは独立になるように、支持トラックに対して相対的に移動するように構成される。衝突管理アセンブリが、第１トロリ及び第２トロリのうちの１つに結合されるように構成される。衝突管理アセンブリは、第１トロリが第２トロリに直接に接触するのを防ぐように構成されたバンパを含む。
【００２３】
[1075]  いくつかの実施形態では、装置は、結合部分及びトロリ部分を含む。結合部分は、支持トラックの端部に結合される。結合部分は、第１部材及び第２部材を含む。第２部材は、支持トラックに対して相対的に固定された位置に維持され、第１部材は、第１構成と第２構成との間で結合部分を推移させるために支持トラックに対して相対的に移動するように構成される。トロリ部分は、支持トラックから移動可能に吊るされ、第１部材の端部に結合される。トロリ部分は、患者支持システムの一部と接触して配置されるように構成されたバンパを含み、バンパが患者支持システムの一部と接触し、患者支持システムが支持トラックに沿って端部に向かって移動する時に、トロリ部分が、支持トラックに対して相対的に第１位置から第２位置へ移動するようになっている。結合部分の第１部材は、トロリ部分が第１位置から第２位置へ移動される時に結合部分の第２部材に対して相対的に移動され、これによって、結合部分を第２構成にする。トロリ部分及び結合部分は、結合部分が第２構成である時に、支持トラックの端部に向かう患者支持システムの移動を集合的に制限する。
【００２４】
[1076]  いくつかの実施形態では、装置は、トロリと、患者接続機構と、追跡部材と、を含む。トロリは、支持トラックから移動可能に吊るされる。トロリは、撮像デバイスを有する電子システムを含む。電子システムは、支持トラックの長さに沿ったトロリの移動を制御するように構成される。患者接続機構は、トロリに結合され、患者が第１位置から第２位置へ移動する時に患者を支持するように構成される。追跡部材は、患者接続機構に結合され、患者の第１位置に関連する第１位置から患者の第２位置に関連する第２位置へトロリに対して相対的に移動されるように構成される。トロリの撮像デバイスは、第１位置にある追跡部材の画像と第２位置にある追跡部材の画像とを取り込むように構成され、電子システムは、第１位置にある追跡部材の画像と第２位置にある追跡部材の画像とに少なくとも部分的に基づいて、支持トラックの長さに沿ったトロリの移動を制御するように構成される。
【００２５】
[1077]  いくつかの実施形態では、部分免荷システムは、トロリと、電力供給に動作可能に結合されたパワー・レールと、患者接続機構と、を含む。トロリは、駆動系と、制御システムと、患者支持システムとを含む。駆動系は、支持レールに移動可能に結合される。制御システムの少なくとも一部は、パワー・レールに物理的に及び電気的に結合される。患者支持機構は、患者接続機構に少なくとも一時的に結合される。制御システムは、患者接続機構に印加される力に少なくとも部分的に基づいて、患者支持機構の少なくとも一部を制御することができる。
【００２６】
[1078]  いくつかの実施形態では、部分免荷システムは、閉ループ・トラックと、閉ループ・トラックに結合された電力を与えられた導体と、能動的に制御されるトロリと、患者支持アセンブリとを含む。能動的に制御されるトロリは、閉ループ・トラックから移動可能に吊るされ、電力を与えられた導体に電気的に結合される。患者支持アセンブリは、トロリに結合され、患者の体重を動的に支持するように構成される。
【００２７】
[1079]  いくつかの実施形態では、部分免荷デバイスは、ハウジングと、駆動要素と、車輪アセンブリと、患者支持アセンブリと、を含む。駆動要素の少なくとも一部及び車輪アセンブリの少なくとも一部は、ハウジング内に配置される。患者支持アセンブリは、駆動要素に結合され、患者の体重を動的に支持するように構成される。
【００２８】
[1080]  本明細書で使用される時に、単数形「ａ」、「ａｎ」、及び「ｔｈｅ」は、文脈がそうではないと明瞭に指示しない限り、複数の指示対象を含む。従って、例えば、用語「ａ  ｍｅｍｂｅｒ」は、単一のｍｅｍｂｅｒ又はｍｅｍｂｅｒの組合せを意味することが意図されており、「ａ  ｍａｔｅｒｉａｌ」は、１つ又は複数のｍａｔｅｒｉａｌ又はその組合せを意味することが意図されている。
【００２９】
[1081]  本明細書で使用される時に、用語「約」は、一般に、述べられた値の±１０％を意味する。例えば、約０．５は、０．４５及び０．５５を含み、約１０は、９から１１までを含み、約１０００は、９００から１１００までを含む。
【００３０】
[1082]  本明細書で使用される時に、用語「セット」は、複数の特徴又は複数の部分を有する単一の特徴を指す可能性がある。例えば、壁のセットに言及する時に、壁のセットを、複数の部分を有する１つの壁と考えることができ、あるいは、壁のセットを、複数の別個の壁と考えることができる。従って、一体となって構成された項目が、壁のセットを含むことができる。そのような壁のセットは、連続又はお互いから不連続のいずれかである複数の部分を含むことができる。例えば、一体となって構成された壁が、戻り止めのセットを含むことができる  壁のセットを形成すると言われ得る。壁のセットは、別々に作られ、その後に一緒に接合される（例えば、溶接、接着剤、又は任意の適切な方法を介して）複数の項目からも製造され得る。
【００３１】
[1083]  本明細書で使用される時に、用語「平行」は、一般に、２つの幾何構造（２つの直線、２つの平面、１つの直線と１つの平面、又は類似物）が実質的に無限遠まで延びる時にそれらが実質的に交差しない、２つの幾何構造の間の関係を記述する。例えば、本明細書で使用される時に、直線は、無限遠まで延びる時に別の直線と交差しない時に、その直線に平行であると言われる。同様に、平坦な表面（すなわち、２次元表面）が直線に平行であると言われる時に、直線に沿ったすべての点は、表面の最も近い部分から実質的に等しい距離だけ離隔されている。２つの幾何構造は、本明細書では、例えばそれらがある公差内でお互いに平行である時など、それらが名目上お互いに平行である時に、お互いに「平行」又は「実質的に平行」であると記述される。そのような公差は、例えば、製造公差、測定公差、又は類似物を含む。
【００３２】
[1084]  本明細書で使用される時に、用語「張力」は、物体を軸方向に引っ張る外力に応答する物体内の内力（すなわち、応力）に関する。例えば、一端でロープからぶら下がり、他端で支持体に固定して取り付けられた、質量を有する物体は、ロープを張力下に置く力を働かせる。張力下の物体内の応力は、物体の断面積に関して特徴を表され得る。例えば、より小さい断面積を有する別の物体より大きい断面積を有する物体には、より少ない応力が印加される。塑性変形（例えば、例えばくびれ及び／又は類似物などの永久変形）の前の張力下の物体に働く最大応力は、物体の引張強度によって特徴を表される。引張強度は、構成材料の（すなわち、これに固有の）示強性である。従って、張力下の物体の応力の最大量は、それぞれより高い引張強度又はより低い引張強度を有する材料から物体を形成することによって、増加させ又は減少させることができる。
【００３３】
[1085]  本明細書で使用される時に、用語「運動学」は、動きの原因を考慮せずに、点、物体、又は物体の系の運動を記述する。例えば、物体の運動学は、並進運動、回転運動、又は並進運動と回転運動との両方の組合せを記述することができる。物体の系の運動学を考慮する時には、既知の数式を使用して、平面若しくは平面のセット、軸若しくは軸のセット、及び／又は物体の系に含まれる１つ又は複数の他の物体に対する相対的な物体の運動を記述することができる。
【００３４】
[1086]  本明細書で使用される時に、用語「フィードバック」、「フィードバック・システム」、及び／又は「フィードバック・ループ」は、過去又は現在の特性が現在又は将来のアクションに影響するシステムに関する。例えば、サーモスタットは、サーモスタットの状態（例えば、「オン」構成又は「オフ」構成）がサーモスタットにフィードバックされる温度に依存するフィードバック・システムであると言われる。フィードバック・システムは、例えばｐｒｏｐｏｒｔｉｏｎａｌ−ｉｎｔｅｇｒａｌ−ｄｅｒｉｖａｔｉｖｅ（ＰＩＤ）コントローラなどの制御方式を含むことができる。さらに詳説すると、一部のフィードバック・システムの出力は、比例項、積分項、及び微分項の和によって数学的に記述され得る。ＰＩＤコントローラは、しばしば、１つ又は複数の電子デバイス内で実施される。そのようなコントローラでは、比例項、積分項、及び／又は微分項は、フィードバック・システムの特性を変更するために能動的に「調整」され得る。
【００３５】
[1087]  電子デバイスは、しばしば、所望のシステム状態を達成し、かつ／又は維持するために、機械系の運動学を能動的に制御するためにフィードバック・システムを実施する。例えば、フィードバック・システムは、システム内に含まれる任意の他の構成要素に対する相対的な１つ又は複数の構成要素の運動学及び／又は位置を変更することによって、システム（例えば、ばね質量系及び／又は類似物）内の力を制御するために実施され得る。さらに詳説すると、フィードバック・システムは、機械系内に含まれる１つ又は複数の構成要素の現在及び／又は過去の状態（例えば、位置、速度、加速度、力、トルク、張力、電力など）を判定し、例えばＰＩＤ制御方式に過去及び／又は現在の状態値を返すことができる。いくつかの例では、電子デバイスは、任意の適切な数値法又はその任意の組合せ（例えば、ニュートン法、ガウス消去法、オイラー法、ＬＵ分解など）を実施することができる。従って、１つ又は複数の構成要素の過去及び／又は現在の状態に基づいて、機械系は、所望の系状態を達成するために能動的に変更され得る。
【００３６】
[1088]  図１は、一実施形態による部分免荷システム１０００の概略図である。部分免荷システム１０００（本明細書では「支持システム」とも称する）は、少なくとも、トロリ１１００、患者接続機構１８００（本明細書では「接続機構」とも称する）、電力供給１６１０、電力を与えられた導体又はレール１６２０、及び制御１９００を含む。支持システム１０００は、集中的な歩行治療において、例えば脳卒中、脊髄損傷、外傷性脳損傷、又は類似物などの神経損傷によって引き起こされたウォーキング不全を有する患者を支持するのに使用され得る。そのような例では、支持システム１０００は、歩行治療を容易にするために患者の体重の少なくとも一部を支持するのに使用され得る。他の例では、支持システム１０００は、例えば宇宙飛行士のトレーニングに関する低重力シナリオ又は類似物をシミュレートするのに使用され得る。いくつかの実施形態では、支持システム１０００は、平地の上でこれにまたがって患者を支持することの代わりに又はそれに加えて、トレッドミル又は階段の上で患者を支持するのに使用され得る。
【００３７】
[1089]  支持システム１０００内に含まれるトロリ１１００は、任意の適切な形状、サイズ、又は構成とすることができ、例えば患者の体重の少なくとも一部の支持に関連する任意の適切な機能を実行できる１つ又は複数のシステム、機構、アセンブリ、又はサブアセンブリ（図１には図示せず）を含むことができる。トロリ１１００は、少なくとも、駆動系１３００、患者支持機構１５００、及び電子システム１７００を含むことができる。いくつかの実施形態では、駆動系１３００は、支持トラック（図１には図示せず）に移動可能に結合され、支持トラックの長さに沿って移動する（例えば、滑る、転がる、又は他の形で前進する）ように構成され得る。支持トラックは、任意の適切な形状、サイズ、又は構成とすることができる。例えば、いくつかの実施形態では、支持トラックは、実質的に直線又は曲線とすることができる。他の実施形態では、支持トラックは、例えば円、長円、楕円、長方形（例えば、丸められた角を有する又は有しない）、又は任意の他の適切な形状など、閉ループとすることができる。いくつかの実施形態では、支持トラックは、トロリ１１００の少なくとも一部がそれから「ぶら下がる」ことができる屋根構造又は天井構造内に含まれるビーム（例えば、Ｉビーム又は類似物）とすることができる（例えば、トロリ１１００の少なくとも一部がビームから離れて延びることができる）。他の実施形態では、支持トラックの少なくとも１つの端部が、垂直の壁又は類似物に結合され得る。さらに他の実施形態では、支持トラックは、例えばガントリ又はＡフレームなどの自立構造内に含められ得る。
【００３８】
[1090]  トロリ１１００の駆動系１３００は、トロリ１１００の重量及び支持システム１０００を利用する患者の重量の一部（例えば、患者は、本明細書でさらに詳細に説明するように、患者接続機構１８００を介してトロリ１１００に一時的に結合される）が支持トラックによって支持されるように、支持トラックの表面に沿って転がるように構成された１つ又は複数の車輪を含むことができる。同様に述べると、駆動系１３００の１つ又は複数の車輪は、支持トラックの水平表面に隣接し、これの上に配置され得、従って、トロリ１１００は、支持トラックから「ぶら下がり」又は支持トラックから吊るされ得る。他の実施形態では、トロリ１１００がそれからぶら下がる表面が水平である必要はない。例えば、支持トラックの少なくとも一部は、下り勾配（及び／又は上り勾配）を規定することができ、ここで、支持トラックの第１端部は、第１高さに配置され、支持トラックの第２端部は、第１高さとは異なる第２高さに配置される。そのような実施形態では、トロリ１１００は、トロリ１１００の縦中心線（図示せず）に平行な支持トラックの表面からぶら下がることができる。そのような実施形態では、トロリは、上り勾配／下り勾配の表面にまたがって移動する、階段を登り降りするなどを行う患者を支持するのに使用され得る。
【００３９】
[1091]  いくつかの実施形態では、トロリ１１００は、相対的に小さいプロファイル（例えば、高さ）を有し又は規定し、トロリ１１００の表面と患者の一部との間の空間を、例えば患者が車椅子から立ち上がる時など、患者が座位と立位との間で移動することを可能にするのに十分に大きくすることができるようになっている。さらに、トロリ１１００が支持トラックからぶら下がる状態で、トロリ１１００の重量及び支持システムを利用する患者の重量は、駆動系の１つ又は複数の車輪とトロリ１１００がそこからぶら下がる支持トラックの表面との間の摩擦（例えば、牽引力）を増やすことができる。従って、駆動系１３００の１つ又は複数の車輪は、実質的に滑らずに支持トラックの表面に沿って転がることができる。
【００４０】
[1092]  いくつかの実施形態では、トロリ１１００を電動化することができる。例えば、いくつかの実施形態で、トロリ１１００は、駆動系１３００に動力を与える（例えば、駆動する、回転する、回る、係合する、アクティブ化するなど）ように構成された１つ又は複数のモーターを含むことができる。いくつかの実施形態で、モーター（１つ又は複数）は、本明細書でさらに詳細に説明するように、トロリ１１００が、支持システム１０００を利用する患者に歩調をつけることができるように、任意の適切な速度及び／又は任意の適切な方向（例えば、順方向又は逆方向）で駆動系１３００の車輪を回転させるように構成され得る。いくつかの実施形態で、電子システム１７００及び／又は制御１９００は、電子システム１７００及び／又は制御１９００がモーター（１つ又は複数）を動作させることに関連する電気信号を送ることができるように、１つ又は複数のモーターに動作可能に結合され（例えば、電気接続され）得る。いくつかの実施形態では、モーター（１つ又は複数）は、停電又は類似物に応答してモーター（１つ又は複数）を実質的にロックするように構成されたクラッチ、ブレーキ、又は類似物を含むことができる。同様に述べると、モーター（１つ又は複数）は、停電（例えば、部分的な停電及び／又は完全な停電）に応答してトロリ１１００の移動を制限する（例えば、駆動系１３００及び／又は患者支持機構１５００の移動を制限する）ために、ロックされた構成に配置され得る。
【００４１】
[1093]  患者支持機構１５００（本明細書では「支持機構」とも称する）は、任意の適切な構成とすることができ、接続機構１８００に少なくとも一時的に結合され得る。例えば、いくつかの実施形態で、支持機構１５００は、接続機構１８００の結合部分に一時的に結合され得るテザーを含むことができる。さらに、接続機構１８００は、患者が身に着けるか患者に結合されるハーネス又は類似物の一部を受けるように構成された患者結合部分（図１には図示せず）をさらに含むことができる。従って、接続機構１８００及び支持機構１５００は、患者の体重の一部を支持し、患者をトロリ１１００に一時的に結合することができる。
【００４２】
[1094]  いくつかの実施形態では、テザーの端部を、例えばウインチに結合することができる。そのような実施形態では、ウインチは、テザーを巻き又はほどくためにドラムを回転することのできるモーターを含むことができる。同様に述べると、テザーは、ドラムの回りに巻き付けられ得、モーターは、ドラムの回りにより多くのテザーを巻き付けるために第１方向にドラムを回転することができ、ドラムの回りからより多くのテザーを解くために第１方向と反対の第２方向にドラムを回転することができる。いくつかの実施形態で、支持機構１５００は、支持機構１５００が機械的利点を得るように、テザーを係合することのできる１つ又は複数のプーリーを含むことができる。同様に述べると、プーリーは、患者が接続機構１８００に結合されている間にドラムの回りでテザーを巻き又はほどくためにウインチが働かせる力が減らされるように配置され得る。
【００４３】
[1095]  トラックに沿ったトロリの移動を可能にするように構成された水平駆動系／モーター及びテザーを制御するために移動するように構成された垂直駆動系を、同時に制御し、操作することができ、そうでなくてもよい。例えば、患者がトレッドミル上でウォークしている時に、水平移動はほとんど又は全くないが、垂直（重量を担う）駆動系は、歩行中の変化、転倒、その他を補償するために動作している。
【００４４】
[1096]  いくつかの実施形態では、プーリー・システムは、移動する（例えば、ピボット回転する、並進する、スイングする、又は類似物）ように構成された少なくとも１つのプーリーを含むことができる。例えば、プーリーは、プーリーの動きの範囲を定義するように構成されたカム機構（図示せず）内に含まれ、又はこれに結合され得る。そのような実施形態では、少なくとも１つのプーリーの移動は、接続機構１８００に働く力と一致し、かつ／又はこれによって引き起こされ得る。例えば、いくつかの例で、患者は、患者の重量によってテザーに働く力が変更される（例えば、増やされ又は減らされる）ように、トロリ１１００に対して相対的に移動することができる。そのような例では、プーリーは、テザー内の張力が実質的に変更されないように、力の変化に従って移動され得る。さらに、カム機構内に含まれ又はこれに結合されたプーリーに関して、プーリーの移動は、動きの所定の範囲を介してカムを移動することができる。いくつかの実施形態で、電子システム１７００は、プーリー及び／又はカムの移動の量を判定するように構成された、プーリー及び／又はカムに動作可能に結合されたセンサ又はエンコーダを含むことができる。この形で、電子システム１７００は、プーリーの移動に従ってドラムの回りでテザーを巻き又はほどくことに関連する信号をウインチ内に含まれるモーターに送ることができる。例えば、プーリーは、テザーに働く力の増加に応答して第１方向に移動され得、電子システム１７００は、ドラムからテザーの一部をほどくためのドラムの回転に関連する信号をウインチのモーターに送ることができる。逆に、プーリーは、テザーに働く力の減少に応答して第１方向と反対の第２方向に移動され得、電子システム１７００は、ドラムの回りにテザーの一部を巻くためのドラムの回転に関連する信号をウインチのモーターに送ることができる。従って、支持機構１５００は、体重のうちで支持システム１０００によって支持される部分が実質的に未変更のままになるように、患者の働かせる力に応答して反力を働かせるように構成され得る。さらに、患者の体重の一部を能動的に支持することによって、支持システム１０００は、支持システム１０００によって支持される患者の転倒の尤度及び／又は重大さを制限することができる。同様に述べると、支持機構１５００及び電子システム１７００は、患者の転倒の重大さを能動的に制限するために、相対的に短い長さの時間（例えば、１秒よりはるかに短い）内に、テザーに働く力の変化に応答することができる。
【００４５】
[1097]  上で説明したように、トロリ１１００内に含まれる電子システム１７００は、トロリ１１００の少なくとも一部を制御することができる。電子システム１７００は、少なくともプロセッサ及びメモリを含む。メモリは、例えば、ランダム・アクセス・メモリ（ＲＡＭ）、メモリ・バッファ、ハード・ドライブ、読取専用メモリ（ＲＯＭ）、消去可能プログラム可能読取専用メモリ（ＥＰＲＯＭ）、及び／又は類似物とすることができる。いくつかの実施形態では、メモリは、上で説明したように、患者支持システム１０００内に含まれる１つ又は複数の機械系及び／又は電気システムの制御に関連するモジュール、プロセス、及び／又は機能をプロセッサに実行させる命令を記憶する。いくつかの実施形態では、制御信号は、例えば電力線ブロードバンド（ｂｒｏａｄｂａｎｄ  ｏｖｅｒ  ｐｏｗｅｒ−ｌｉｎｅ、ＢＯＰ）構成を使用して、電力を与えられたレールを介して配送される。
【００４６】
[1098]  電子デバイスのプロセッサは、命令のセット又はコードを走行させ又は実行するように構成された任意の適切な処理デバイスとすることができる。例えば、プロセッサは、汎用プロセッサ（ＧＰＵ）、中央処理装置（ＣＰＵ）、アクセラレーテッド・プロセッシング・ユニット（ＡＰＵ）、及び／又は類似物とすることができる。プロセッサは、患者支持システム１０００内に含まれる１つ又は複数の機械系及び／又は電気システムの制御に関連する、メモリ内に記憶された命令のセット又はコードを走行させ又は実行するように構成され得る。例えば、プロセッサは、上で説明したように、１つ又は複数のモーター、センサ、通信デバイス、エンコーダ、又は類似物の制御に関連する命令のセット又はコードを走行させ又は実行することができる。より具体的には、プロセッサは、駆動系１３００及び／又は支持機構１５００の一部に関連する１つ又は複数のセンサ及び／又はエンコーダからの信号の受信に応答して命令のセットを実行することができる。同様に述べると、プロセッサは、フィードバック・ループ（例えば、ｐｒｏｐｏｒｔｉｏｎａｌ−ｉｎｔｅｇｒａｌ−ｄｅｒｉｖａｔｉｖｅ（ＰＩＤ）制御法に基づく）に関連する命令のセットを実行するように構成され得、ここで、電子システム１７００は、本明細書でさらに詳細に説明するように、駆動系１３００及び／又は支持システム１５００から受信した現在及び／又は以前のデータ（例えば、位置、速度、力、加速度、テザーの角度、又は類似物）に少なくとも部分的に基づいて、駆動系１３００及び／又は支持システム１５００の後続アクションを制御することができる。
【００４７】
[1099]  いくつかの実施形態では、電子システム１７００は、制御１９００と通信していることのできる通信デバイス（図１には図示せず）を含むことができる。例えば、いくつかの実施形態で、通信デバイスは、１つ又は複数のネットワーク・インターフェース・デバイス（例えば、ネットワーク・インターフェース・カード）を含むことができる。通信デバイスは、制御１９００へのデータの送出及び／又は制御１９００からのデータの受信に関連する有線ネットワーク及び／又は無線ネットワーク（図１には図示せず）を介してデータを伝送するように構成され得る。制御１９００は、任意の適切なデバイス又はモジュール（例えば、ハードウェア・モジュール又はメモリ内に記憶されプロセス内で実行されるソフトウェア・モジュール）とすることができる。例えば、いくつかの実施形態で、制御１９００は、少なくともプロセッサ及びメモリ（図１には図示せず）を含み、例えばパーソナル・コンピュータ・アプリケーション、モバイル・アプリケーション、ウェブ・ページ、及び／又は類似物を走行させるように構成された電子デバイスとすることができる。この形で、ユーザは、本明細書でさらに詳細に説明するように、支持システム１０００に関連するシステム・パラメータのセットを確立するために制御１９００にかかわることができる。いくつかの実施形態では、制御１９００は、ハンドヘルド・コントローラとして実施され得る。
【００４８】
[1100]  いくつかの実施形態では、トロリ１１００の制御は、１つ又は複数のコントローラを使用して達成され得る。複数のコントローラが利用される（例えば、パーソナル・コンピュータ制御及びハンドヘルド制御）実施形態では、一時に１つのコントローラだけを使用することができる。他の実施形態では、コントローラのうちの１つ（例えば、ハンドヘルド・コントローラ）が、パーソナル・コンピュータ・コントローラをオーバーライドすることができる。他の実施形態では、ユーザが、関連するコントローラを作動させることによって、どのコントローラが利用されるのかを指定することができる。言い換えると、ユーザは、コントローラを使用して主導権を握ることができ、あるいは、コントローラを作動させることによって他のコントローラに制御を移すことができる。
【００４９】
[1101]  いくつかの実施形態では、患者支持システム１０００は、歩行及び安定性支援デバイスに視覚フィードバック及び聴覚フィードバックを追加することによって、歩行及び安定性リハビリテーション・トレーニングを改善するように構成される。トロリ１１００は、過去のトレーニング・セッションからのヒューリスティック患者データを用いてフィードバックを調整し、治療／トレーニングごとにデータを記憶する。
【００５０】
[1102]  図１に示されているように、トロリ１１００は、パワー・レール１６２０に動作可能に結合される。パワー・レール１６２０は、パワー・レール１６２０に電流の流れ（例えば、電力）を供給するように構成された電源１６１０にさらに結合される。より具体的には、パワー・レール１６２０は、任意の適切なトランス、コンバータ、コンディショナ、キャパシタ、抵抗、絶縁体、及び／又は類似物（図１には図示せず）を含むことができ、パワー・レール１６２０が、電源１６１０から電流の流れを受け取り、電流の流れの少なくとも一部をトロリ１１００に転送できるようになっている。パワー・レール１６２０は、例えば単相又は多相の電力を１つ又は複数のトロリ１１００に配送するために、１つ又は複数の電気導体を含むことができる。例えば、いくつかの実施形態で、パワー・レール１６２０は、トロリ１１００の電子システム１６００の導電部分を受けるように構成された実質的に管状のレールである。いくつかの実施形態で、パワー・レール１６２０は、電子システム１７００の導電部材がそれに沿って移動する（例えば、滑る、転がる、又は他の形で前進する）ことのできる管状のレールの内側部分内に配置された１つ又は複数の導電表面を含むことができる。他の実施形態では、パワー・レール１６２０は、実質的に開かれた構成（例えば、実質的に管状ではなく）とするか、これを有することができる。そのような実施形態では、パワー・レール１６２０は、パワー・レール１６２０の任意の適切な表面又は表面の組合せ上に配置された１つ又は複数の導電部材を含むことができる。
【００５１】
[1103]  パワー・レール１６２０は、本明細書でさらに詳細に説明するように、電源１６１０からトロリ１１００の電子システム１７００へ電流の流れを伝送するように構成される。パワー・レール１６２０は、任意の適切な形状、サイズ、又は構成とすることができる。例えば、パワー・レール１６２０は、支持トラック（図１には図示せず）に類似する形状で延びることができ、パワー・レール１６２０が支持トラックに実質的に平行になるように配置され得る。この形で、トロリ１１００は、パワー・レール１６２０と電気的に接触したままでありながら支持トラックの長さに沿って前進することができる。さらに、パワー・レール１６２０及びトロリ１１００の配置は、既知の支持システムを参照して上で説明したように、支持トラックの長さに沿ったトロリ１１００の移動が、ケーブルの束によって妨げられず、制限されないようになっている。他の実施形態では、パワー・レール１６２０及び／又はその一部は、支持トラック又はその一部に結合され、これに沿って配置され、かつ／又は他の形で少なくとも部分的にこれと一体化され得る。さらに他の実施形態では、パワー・レール１６２０は、パワー・レール１６２０が例えば中央の電源からトロリ１１００まで延びる伸縮構成とし、かつ／又はこれを有することができる。
【００５２】
[1104]  上ではパワー・レール１６２０に結合されるものとして説明したが、いくつかの実施形態では、トロリ１１００を、電池式とすることができる。そのような実施形態では、トロリ１１００は、トロリ１１００に電流の流れを供給するのに適切な１つ又は複数のバッテリ又はバッテリ・システムを含むことができる。そのような実施形態では、１つ又は複数のバッテリは、パワー・レール１６２０から受け取られる電力に加えて及び／又はその代わりに電力を供給するように構成され得る。いくつかの実施形態では、そのような実施形態に含まれる１つ又は複数のバッテリは、再充電可能とすることができる。例えば、パワー・レール１６２０から受け取られる電力又は電流の流れの少なくとも一部が、１つ又は複数のバッテリに配送され得る（例えば、バッテリを充電し又は再充電するために）。いくつかの実施形態では、パワー・レール１６２０及び／又は支持トラックは、支持トラック上又はこれに沿ったある位置（１つ又は複数）に配置された１つ又は複数の充電ステーションを含むことができる。そのような実施形態では、トロリ１１００は、例えば、所定の又は所望のアルゴリズム、スケジュール、及び／又は条件に従って充電ステーション（１つ又は複数）に自動的にドッキングすることができる。例えば、トロリは、１つ又は複数のバッテリの電力レベルが所定の及び／若しくは所望のレベル未満である時又は休止期間中（例えば、システムが、所与の時間、夜間、又は所定の時刻に使用されていない時）に、そのような充電ステーションに移動し、これにドッキングすることができる。
【００５３】
[1105]  トロリ１１００が、上ではパワー・レール１６２０、バッテリ、又はバッテリ・システムのうちの１つ又は複数から電力を受け取るものとして説明されたが、いくつかの実施形態では、支持システム１０００は、支持システム１０００の少なくとも一部に電力を供給できる無停電電力供給（又は任意の他の適切なエネルギ・キャパシタ若しくはエネルギ貯蔵デバイス）を含むことができる。例えば、いくつかの実施形態では、無停電電力供給（ＵＰＳ）は、電力供給１６１０及び／又はトロリ１１００内に含まれる１つ若しくは複数のバッテリに対するバックアップを提供するために含められ得る。すなわち、ＵＰＳは、電源１６１０とパワー・レール１６２０との間又は電源１６１０とトロリ１１００との間に電気的に接続され得る。他の実施形態では、ＵＰＳは、例えば送電網の障害及び／又は中断に応答して、電力供給１６１０に電力を供給するように構成され得る。すなわち、ＵＰＳは、送電網と電源１６１０との間に電気的に接続され得る。さらなる他の実施形態では、トロリ１１００は、パワー・レール１６２０又は１つ若しくは複数のバッテリからの電力の流れが中断されるか他の形で停止する場合にトロリ１１００に電力を供給できるＵＰＳを含むことができる。いくつかの実施形態では、支持システム１０００は、トロリ１１００と支持システム１０００内に含まれる１つ又は複数の追加のデバイス（例えば、トレッドミルなどの副トレーニング・デバイス、パーソナル・コンピュータ、サーバ、その他などの１つ若しくは複数の計算デバイス、及び／又は任意の他の適切なデバイス）とに主電力又はバックアップ電力を供給するように構成されたＵＰＳを含むことができる。
【００５４】
[1106]  いくつかの実施形態では、電力及び／又は電気エネルギは、パワー・レール１６２０（又は、パワー・レール１６２０の１つ若しくは複数の部分）からトロリ１１００へ、任意の適切な転送モードを介して転送され得る。例えば、いくつかの実施形態では、トロリ１１００の導電部材（例えば、コレクタ又は類似物）が、パワー・レール１６２０の導体又は導電部分に物理的にかつ／又は電気的に接触しているものとすることができる。他の実施形態では、トロリ１１００は、少なくともパワー・レール１６２０の一部及び／又はトラック１０５０の導電部分又は導電表面によって又はこれに沿って生成された交番する電磁場に応答して電流の流れがそれに沿って誘導される１つ又は複数の誘導コイルを含むことができる。そのような実施形態では、誘導を介して受け取られる電力は、トロリ１１００に電力を供給するのに使用され得、かつ／又は例えばトロリ１１００の１つ又は複数のバッテリを充電するのに使用され得る。
【００５５】
[1107]  さらに、制御１９００は、電力供給１６１０にも動作可能に結合され得、パワー・レール１６２０及び／又はトロリ１１００に配送される電力の量を制御するように構成され得る。例えば、制御１９００は、支持システム１０００をオンに切り替えるかパワー・アップするために電力供給１６１０からパワー・レール１６２０への電流の流れを開始するように構成され得る。逆に、制御１９００は、支持システム１０００をオフに切り替えるかパワー・ダウンするために電力供給１６１０からパワー・レール１６２０への電流の流れを停止するように構成され得る。
【００５６】
[1108]  制御１９００が、図１ではトロリ１１００とは独立であり、これに動作可能に結合されるものとして示されているが、いくつかの実施形態では、制御１９００は、トロリ１１００の電子システム１７００内に含められ得る。例えば、いくつかの実施形態で、制御１９００は、ハードウェア・モジュール及び／又は電子システム１７００のプロセッサによって実行され得るソフトウェア・モジュールとすることができる。そのような実施形態では、電子システム１７００は、ユーザ・インターフェース（例えば、タッチ・スクリーン及び／又は１つ若しくは複数のダイアル、ボタン、スイッチ、トグル、若しくは類似物）を含むことができる。従って、ユーザ（例えば、理学療法士、医師、看護師、技師など）は、支持システム１０００のシステム・パラメータのセットを確立するために制御１９００に関連するユーザ・インターフェースにかかわることができる。
【００５７】
[1109]  図１には示されていないが、いくつかの実施形態では、複数のトロリ１１００が同一の支持トラックに結合され得る。そのような実施形態では、支持トラックからぶら下がるトロリ１１００は、例えば、特定のトロリ１１００に対する相対的な１つ又は複数のトロリ１１００の近接に関連する信号を電子システム１７００に送ることのできるセンサ（例えば、超音波近接センサ及び／又は類似物）を含むことができる。この形で、トロリ１１００の電子システム１７００は、例えば、トロリ１１００の衝突を防ぐために駆動系１３００に含まれるモーターを制御することができる。従って、支持システム１０００は、患者をお互いから所望の距離に保ちながら、複数の患者（例えば、支持トラックの回りに配置された複数のトロリ１１００に対応する複数の患者）を支持するのに使用され得る。
【００５８】
[1110]  いくつかの実施形態では、支持システムは、使用中に患者にフィードバックを提供するように構成される。いくつかの実施形態では、レーザー光源又はカルミネーテッド（ｃｕｌｍｉｎａｔｅｄ）光源が、患者がセッション中に従うための光経路を作成するためにトロリ１１００に結合される。光経路は、患者が、脚／足／尻の動きを正しく制御するように脳をトレーニングすることを試みている間に前又は足元を見ることを可能にする。いくつかの実施形態では、第２光源が、患者が正しい位置に足を置くためにそこにねらいを定めることのできる「目標」位置を照明するように構成される。いくつかの実施形態では、目標のサイズは、ユーザの器用さに応じて変更され得る。言い換えると、よりよい筋肉制御を有するユーザに関して、目標をより小さくすることができる。光経路及び目標位置は、本明細書でより詳細に説明するように、ユーザ・インターフェースを使用して変更され得る。
【００５９】
[1111]  いくつかの実施形態では、患者の歩行が不正である時に、可聴フィードバックが患者に提供される。いくつかの実施形態では、患者が転倒し始める時に、可聴フィードバックが提供され得る。異なる可聴トーンが、異なる問題／目的のために提供され得る。
【００６０】
[1112]  いくつかの実施形態では、ＣＣＤカメラ・インターフェースが、将来の解析用のビデオ監視のために構成され、感知されたロープ位置、速度、張力などに相関され得る。いくつかの実施形態では、モニタが、筋肉使用（例えば、脚筋、胸部の筋肉など）を監視するために患者の身体に結合され得る。そのような情報は、電子システム１７００に無線で送信され、治療／リハビリテーション・セッション中及びその後に患者に提供されるフィードバック内で調整される。言い換えると、様々なセンサ、カメラなどによって収集されたデータのすべてが、動的なリアルタイム・フィードバック及び／又はセッション後フィードバックを提供するために調整され得る。
【００６１】
[1113]  図２〜図３３は、一実施形態による部分免荷システム２０００を示す。部分免荷システム２０００（本明細書では「支持システム」とも称する）は、例えば歩行治療中などに、患者の体重の一部を支持するのに使用され得る。図２及び図３は、支持システム２０００の透視図である。支持システム２０００は、トロリ２１００、電力系統２６００、及び患者接続機構２８００（例えば、図３４参照）を含む。図２及び図３に示されているように、トロリ２１００は、トロリ２１００の重量及び支持システム２０００を利用する患者の重量を支持するように構成された支持トラック２０５０に移動可能に結合される。支持トラック２０５０は、Ｉ字形を有するものとして図示されているが、支持トラック２０５０は、任意の適切な形状とすることができる。さらに、支持トラック２０５０は、実質的に直線として図示されているが、支持トラック２０５０は、曲線方向に延びることができる。他の実施形態では、支持トラック２０５０は、例えば円、長円、楕円、正方形、又は類似物などの閉ループに配置され得る。本明細書でさらに詳細に説明するように、電力系統２６００は、支持トラック２０５０に実質的に平行に延び、電源（図２〜図３２には図示せず）からトロリ２１００へ電流の流れを転送するためにトロリ２１００に少なくとも電気的に結合されるパワー・レール２６２０を含むことができる。
【００６２】
[1114]  図４〜図７は、トロリ２１００の透視図である。トロリ２１００は、任意の適切な形状、サイズ、又は構成とすることができる。例えば、トロリ２１００は、支持トラック２０５０から吊るされ得（本明細書でさらに詳細に説明するように）、トロリ２１００と患者との間の空間を最大にすることができるように、相対的に小さいプロファイル（例えば、高さ）を有し又は規定することができる。この形で、支持システム２０００は、変化する高さを有する患者を支持するのに使用されると同時に、車椅子に少なくとも部分的に追いやられた患者を支援する際に一般的であるように、座位から立位に立ち上がる患者を支持することができる。トロリ２１００は、ハウジング２２００（例えば、図８及び図９参照）、電子システム２７００（例えば、図１０及び図１１参照）、駆動系２３００（例えば、図１２〜図２６参照）、及び患者支持機構２５００（例えば、図２７〜図３３参照）を含む。
【００６３】
[1115]  図８及び図９に示されているように、ハウジング２２００は、基部２２１０、第１サイド・メンバ２２３０、第２サイド・メンバ２２４０、第３サイド・メンバ２２５０、及びカバー２２６０を含む。ハウジング２２０は、本明細書でさらに詳細に説明するように、電子システム２７００の少なくとも一部を囲み、かつ／又はカバーするように構成される。図９に示されているように、基部２２１０は、第１側面２２１１及び第２側面２２１２を有する。基部２２１０は、駆動機構開口部２２１３のセット、ファン開口部２２１４、案内機構開口部２２１５、バイアス機構開口部２２１７、案内部材開口部２２１８、及びカム・プーリー開口部２２１９、カム・ピボット開口部２２２０を規定する。本明細書でさらに詳細に説明するように、駆動機構開口部２２１３は、駆動系２３００内に含まれる車輪のセットが基部２２１０に接触せずに回転できるように、駆動系２３００内に含まれる第１駆動アセンブリ２３１０の少なくとも一部を受ける。ファン開口部２２１４は、電子システム２７００内に含まれるファン２７４０の一部を受ける。より具体的には、ファン２７４０の一部は、ファンが電子システム２７００によって作られる熱をハウジング２２００内から移動できるように、開口部を通って延びることができる。案内機構開口部２２１５は、患者支持機構２５００（本明細書では「支持機構」とも称する）内に含まれる案内機構２５４０の一部を受ける。より具体的には、基部２２１０は、案内機構開口部２２１５を規定する基部２２１０の表面から延びるように構成された取付けタブ２２１６のセットを含む。この形で、案内機構２５４０は、取付けタブ２２１６に結合され得る。バイアス機構開口部２２１７、案内部材開口部２２１８、カム・プーリー開口部２２１９、及びカム・ピボット開口部２２２０は、本明細書でさらに詳細に説明するように、それぞれ、支持機構２５００内に含まれるカム機構２５７０の一部を移動可能に受けることができる。
【００６４】
[1116]  第１サイド・メンバ２２３０は、第１側面２２３１及び第２側面２２３２を有する。第２側面２２３２は、そこに基部２２１０を結合するために基部２２１０の一部を受けるスロット２２３３を規定する。第１サイド・メンバ２２３０は、本明細書でさらに詳細に説明するように、電子システム２７００内に含まれるコレクタ２７７０の一部に結合される取付け部分２２３５をも含む。第２サイド・メンバ２２４０は、第１側面２２４１及び第２側面２２４２を有する。第２側面２２４２は、そこに基部２２１０を結合するために基部２２１０の一部を受けるスロット２２４３を規定する。第２側面２２４２は、支持機構２５００内に含まれるウインチ・アセンブリ２５１０の一部に結合される凹窩部分２２４４をも含む。第３サイド・メンバ２２５０は、第１サイド・メンバ２２３０、第２サイド・メンバ２２４０、及び基部２２１０に結合され、インジケータ・ライトを受けるライト開口部２２５１と電源出力モジュールを受ける電源出力開口部とを規定する。
【００６５】
[1117]  カバー２２６０は、基部２２１０の第２側面２２１２に隣接して配置される。より具体的には、カバー２２６０は、基部２２１０の第２側面２２１２に移動可能に結合され得、その中に囲まれた電子システム２７００の一部にアクセスできるようになっている。カバー２２６０は、第１端部２２６１及び第２端部２２６２を有する。第１端部２２６１は、開口であり、本明細書でさらに詳細に説明するように、コレクタ２７７０の一部を受けるように構成されたノッチ２２６５を規定する。カバー２２６０の第２端部２２６２は、実質的に囲まれ、凹窩領域２２６４を含むように構成される。この形で、支持機構２５００の一部は、本明細書でさらに詳細に説明するように、患者接続機構２８００に結合するために凹窩領域２２６４内に及び／又は凹窩領域２２６４を通って延びることができる。カバー２２６０は、その中に配置された電子システム２７００の少なくとも一部を冷却できるように、カバー２２６０によって囲まれた区域に空気の流れを提供するように配置され得る通気孔２２６３のセットをも規定する。
【００６６】
[1118]  図１０及び図１１は、トロリ２１００の電子システム２７００を示す。電子システム２７００は、トロリ２１００の少なくとも一部を制御するように集合的に操作される電子デバイスのセットを含む。上で説明したように、電子システム２７００は、ハウジング２２００の一部に結合され、パワー・レール２６２０と物理的に及び／又は電気的に接触して配置されたコレクタ２７７０を含む。コレクタ２７７０は、任意の適切な形状、サイズ、又は構成とすることができ、例えば鉄、鋼鉄、又は類似物など、任意の適切な導電材料から形成され得る。この形で、コレクタ２７７０は、パワー・レール２６２０から電流の流れを受け取ることができる。例えば、図１０に示されているように、パワー・レール２６２０は、電源（図示せず）に電気的に結合された１つ又は複数の導電部分２６２１（例えば、個々の導体又は表面）を収容し又は実質的に囲む実質的に中空の管である。この形で、コレクタ２７７０は、コレクタ２７７０の導電部分２７７１（例えば、個々の導体、導電表面、又は類似物）がパワー・レール２６２０の１つ又は複数の導電部分２６２１と電気通信して配置されるように、パワー・レール２６２０の中空の管内に配置され得る。従って、コレクタ２７７０は、パワー・レール２６２０によって転送される、電源からの電流の流れを受け取る。さらに、コレクタ２７７０は、コレクタ２７７０の結合部分２７７２が、ハウジング２２００の取付け部分２２３５に結合されるために、パワー・レール２６２０によって規定されたスロット２６２２を通って延びるように、パワー・レール２６２０内に配置され得る。結合部分２７７２は、トロリ２１００の電力モジュール（図示せず）にさらに結合され得る。従って、トロリ２１００は、パワー・レール２６２０を介して電源から電力を受け取る。
【００６７】
[1119]  パワー・レール２６２０が、実質的に中空の管であるものとして図示され、説明されるが、他の実施形態では、パワー・レールは、任意の適切な構成とすることができる。例えば、いくつかの実施形態で、パワー・レールは、相対的に平坦な又は開かれたパワー・レールの表面などの任意の適切な表面上の１つ又は複数の導電部分とすることができる。いくつかの実施形態で、パワー・レールは、例えば支持トラック２０５０の１つ又は複数の導電部分（例えば、１つ若しくは複数の内側表面及び／又は１つ若しくは複数の外側表面）とすることができる。本明細書でさらに詳細に説明するように、トロリ２１００の導電部分（例えば、コレクタ２７７０）は、パワー・レール２６２０及び／又は、トロリ２１００の１つ若しくは複数の部分に電力を供給する、電力の流れを供給する任意の他の適切な導電表面と電気接触しているものとすることができる。
【００６８】
[1120]  図１０及び図１１には示されていないが、電子システム２７００は、少なくともプロセッサ、メモリ、及び通信デバイスを含む。メモリは、例えば、ランダム・アクセス・メモリ（ＲＡＭ）、メモリ・バッファ、ハード・ドライブ、読取専用メモリ（ＲＯＭ）、消去可能プログラム可能読取専用メモリ（ＥＰＲＯＭ）、及び／又は類似物とすることができる。いくつかの実施形態では、メモリは、患者支持システム２０００内に含まれる１つ又は複数の機械系及び／又は電気システムの制御に関連するモジュール、プロセス、及び／又は機能をプロセッサに実行させる命令を記憶する。例えば、メモリは、ｐｒｏｐｏｒｔｉｏｎａｌ−ｉｎｔｅｇｒａｌ−ｄｅｒｉｖａｔｉｖｅ（ＰＩＤ）制御システムに関連する命令、情報、及び／又はデータを記憶することができる。いくつかの実施形態では、ＰＩＤ制御システムは、例えばソフトウェア・パッケージ内に含まれ得る。いくつかの実施形態では、ＰＩＤ制御は、本明細書でさらに詳細に説明するように、ユーザがＰＩＤ制御を「調整」することを可能にする、プロセッサによって実行されるユーザ制御される命令のセットとすることができる。
【００６９】
[1121]  電子デバイスのプロセッサは、命令のセット又はコードを走行させ又は実行するように構成された任意の適切な処理デバイスとすることができる。例えば、プロセッサは、汎用プロセッサ（ＧＰＵ）、中央処理装置（ＣＰＵ）、アクセラレーテッド・プロセッシング・ユニット（ＡＰＵ）、及び／又は類似物とすることができる。プロセッサは、患者支持システム内に含まれる１つ又は複数の機械系及び／又は電気システムの制御に関連する、メモリ内に記憶された命令のセット又はコードを走行させ又は実行するように構成され得る。例えば、プロセッサは、ＰＩＤ制御に関連し、メモリ内に記憶され、駆動系２３００及び／又は患者支持機構２５００の一部に関する制御にさらに関連する、命令のセット又はコードを走行させ又は実行することができる。より具体的には、プロセッサは、１つ又は複数のセンサ及び／又はエンコーダ（下で図示し、説明する）からの信号の受信に応答して、駆動系２３００及び／又は支持機構２５００の１つ又は複数の後続アクションを制御できる命令のセットを実行することができる。同様に述べると、プロセッサは、本明細書でさらに詳細に説明するように、駆動系２３００及び／又は支持機構２５００から受信された現在の及び／又は以前のデータ（例えば、位置、速度、力、加速度、又は類似物）に少なくとも部分的に関連する信号を送る１つ又は複数のセンサ又はエンコーダを含むフィードバック・ループに関連する命令のセットを実行することができる。
【００７０】
[1122]  通信デバイスは、例えば、有線ネットワーク又は無線ネットワークを介して電子デバイスと通信するように構成された１つ又は複数のネットワーク・インターフェース・デバイス（例えば、ネットワーク・カード）とすることができる。例えば、いくつかの実施形態で、ユーザは、トロリ２１００の動作に関連する１つ又は複数の信号を電子システム２７００に送り、かつ／又は電子システム２７００から受信する、リモート・コントロール・デバイスを操作することができる。リモート・コントロールは、任意の適切なデバイス又はモジュール（例えば、ハードウェア・モジュール又はメモリ内に記憶されプロセス内で実行されるソフトウェア・モジュール）とすることができる。例えば、いくつかの実施形態で、リモート・コントロールは、少なくともプロセッサ及びメモリを含み、例えばパーソナル・コンピュータ・アプリケーション、モバイル・アプリケーション、ウェブ・ページ、及び／又は類似物を走行させる電子デバイスとすることができる。この形で、ユーザは、例えば支持システム２０００によって支持される体重の所望の量など、支持システム２０００に関連するシステム・パラメータのセットを確立するためにリモート・コントロールにかかわることができる。
【００７１】
[1123]  図１２に示されているように、駆動系２３００は、第１駆動アセンブリ２３１０及び第２駆動アセンブリ２４００を含む。駆動系２３００は、基部２２１０の第１側面２２１１に結合され（例えば、図２及び図３参照）、第１駆動アセンブリ２３１０及び第２駆動アセンブリ２４００が整列される（例えば、同軸）ように配置される。この形で、第１駆動アセンブリ２３１０及び第２駆動アセンブリ２４００は、本明細書でさらに詳細に説明するように、支持トラック２０５０の一部を受けることができる。
【００７２】
[1124]  図１３〜図２３は、第１駆動アセンブリ２３１０を示す。第１駆動アセンブリ２３１０は、モーター２３１１、支持構造２３１５、案内輪アセンブリ２３６０のセット、駆動輪アセンブリ２３７０のセット、及び副車輪アセンブリ２３９０のセットを含む。モーター２３１１は、支持構造２３１５のサイド・メンバ２３２０に結合され、電子システム２７００の一部と電気通信している。モーター２３１１は、その中に含まれる駆動輪２３８５を回転するために駆動輪アセンブリ２３７０のうちの１つの一部に係合する出力軸２３１２（例えば、図１５及び図１６参照）を含む。より具体的には、モーター２３１１は、モーター２３１１に出力軸２３１２を回転させるアクティブ化信号（例えば、電流の流れ）を電子システム２７００から受信し、出力軸２３１２は、駆動輪２３８５を回転させる。図１３及び図１４に示されているように、第１駆動アセンブリ２３１０の少なくとも一部は、第１駆動アセンブリ２３１０によって規定される縦平面（図示せず）に関して実質的に対称である。この形で、第１駆動アセンブリ２３１０の各側面は、同様の構成要素を含み、これによって、多用途性を高め、製造コストを下げる。例えば、第１駆動アセンブリ２３１０は、２つのサイド・メンバ２３２０を含み、モーター２３１１は、特定のサイド・メンバ２３２０に結合されるものとして図示されているが、他の実施形態では、モーター２３１１は、他のサイド・メンバ２３２０に結合され得る。
【００７３】
[1125]  支持構造２３１５は、２つのサイド・メンバ２３２０、基部２３４０、２つの前端支持部材２３５０、２つの後端支持部材２３５４、及び２つの横支持部材２３５８を含む。図１３〜図１６に示されているように、サイド・メンバ２３２０は、同一である（例えば、第１駆動アセンブリ２３１０の対称に起因して）。サイド・メンバ２３２０は、それぞれ、ベアリング開口部２３２１、ノッチ２３２２、及びスロット２３２５のセットを規定する。各サイド・メンバ２３２０のベアリング開口部２３２１は、駆動輪アセンブリ２３７０内に含まれる駆動ベアリング２３７６（図２０）を受ける。より具体的には、駆動ベアリング２３７６は、駆動ベアリング２３７６の外側表面がベアリング開口部２３２１を規定するサイド・メンバ２３２０の表面との摩擦ばめを形成するように、ベアリング開口部２３２１内に配置され得る。同様に述べると、駆動ベアリング２３７６及びベアリング開口部２３２１を規定するサイド２３２０の表面は、駆動ベアリング２３７６をベアリング開口部２３２１内に保持するためにプレス・フィットを形成する。
【００７４】
[1126]  サイド・メンバ２３２０のそれぞれによって規定されるノッチ２３２２は、ばね棒２３２３及びばね２３２４を受ける。ばね２３２４は、ばね棒２３２３がばね２３２４の動きを実質的に制限するようにばね棒２３２３の回りに配置される。より具体的には、ばね棒２３２３は、ばね２３２４の移動を横方向に実質的に制限しながら、ばね２３２４が軸方向に移動する（例えば、縮み、かつ／又は延びる）ことを可能にするように構成される。本明細書でさらに詳細に説明するように、ばね棒２３２３及びばね２３２４は、基部２３４０のばね突起２３４４と係合するためにノッチ２３２２の表面から延びる。スロット２３２５のセットは、本明細書でさらに詳細に説明するように、各スロット２３２５が、サイド・メンバ２３２０を基部２３４０に移動可能に結合するように構成された取付けハードウェア（例えば、メカニカル・ファスナ、ピン、ドエルなど）を受けるように構成される。
【００７５】
[1127]  上で説明したように、基部２３４０は、サイド・メンバ２３２０に移動可能に結合される。基部２３４０は、側壁２３４２のセット及び車軸部分２３４６を含む。基部２３４０の車軸部分２３４６は、駆動輪アセンブリ２３７０内に含まれる伝達車軸２３８８を受ける開口部２３４７を規定する。より具体的には、伝達車軸２３８８は、本明細書でさらに詳細に説明するように、回転運動が駆動アセンブリ２３７０のうちの一方から駆動アセンブリ２３７０の他方に伝達され得るように、車軸部分２３４６の開口部２３４７内で回転することができる。
【００７６】
[1128]  側壁２３４２は、それぞれ、ノッチ２３４３を規定し、ばね突起２３４４を含む。より具体的には、ばね突起２３４４は、それぞれ、側壁２３４２から実質的に垂直の方向に延びる。図１３及び図１４に示されているように、サイド・メンバ２３２０が基部２３４０に結合される時に、サイド・メンバ２３２０のノッチ２３２２は、それぞれ、基部２３４０のばね突起２３４４のうちの１つを受ける。同様に、サイド・メンバ２３２０が基部２３４０に結合される時に、基部２３４０によって規定されるノッチ２３４３は、それぞれ、ばね２３２４のうちの１つの一部を受ける。この形で、各サイド・メンバ２３２０のばね棒２３２３及びばね２３２４は、ばね２３２４が対応するばね突起２３４４の表面に接触して配置されるように、基部２３４０の側壁２３４２から延びるばね突起２３４４に整列される。サイド・メンバ２３２０が基部２３４０に移動可能に結合された状態で（例えば、スロット２３２５内に取付けハードウェアを配置することによって）、各サイド・メンバ２３２０のばね２３２４は、基部２３４０に対する相対的なサイド・メンバ２３２０の移動を減衰させることができる。同様に述べると、各サイド・メンバ２３２０のばね２３２４は、サイド・メンバ２３２０の一方又は両方に印加される外力（例えば、動作上の振動、モーターが働かせるトルク、又は類似物）に応答して反力（例えば、ばねの圧縮によってもたらされる）を働かせるために、対応するばね突起２３４４の表面に係合することができる。
【００７７】
[1129]  図１７〜図１９は、それぞれ、前端支持部材２３５０、後端支持部材２３５４、及び横支持部材２３５８のそれぞれのうちの１つを示す。上で説明したように、第１駆動アセンブリ２３１０の対称は、２つの前端支持部材２３５０が同一であり、２つの後端支持部材２３５４が同一であり、２つの横支持部材２３５８が同一であるようになっている。前端支持部材２３５０は、それぞれ、サイド・メンバ２３２０のうちの１つに固定して結合される。図１７に示されているように、前端支持部材２３５０は、それぞれ、副車輪アセンブリ２３９０のレバー・アーム２３９１を受けるレバー・アーム・ノッチ２３５５と、副車輪アセンブリ２３９０のばね２３９４を受けるばね凹窩２３５２と、例えば支持トラック２０５０の水平部分２０５１（例えば、図２３参照）を受ける支持トラック・ノッチ２３５３とを規定する。
【００７８】
[1130]  後端支持部材２３５４は、それぞれ、サイド・メンバ２３２０のうちの１つに固定して結合され、前端支持部材２３５４に対して相対的に後方の位置に配置される。さらに詳説すると、後端支持部材２３５４は、前端支持部材２３５４から、駆動輪アセンブリ２３７０の一部がその間に配置されることを可能にするのに十分に長い距離に離隔される。図１８に示されているように、後端支持部材２３５４は、それぞれ、駆動輪アセンブリ２３７０の駆動ベルト２３８９を受けるように構成されたベルト・ノッチ２３５５と、支持トラック２０５０の水平部分２０５１を受けるように構成された支持トラック・ノッチ２３５３とを規定する（例えば、前端支持部材２３５０に関して説明したように）。
【００７９】
[1131]  横支持部材２３５８は、それぞれ、前端支持部材２３５０のうちの１つ及び後端支持部材２３５４のうちの１つに固定して結合される。従って、それぞれ対応するサイド・メンバ２３２０に結合された前端支持部材２３５０及び後端支持部材２３５４と共に、横支持部材２３５８は、駆動輪アセンブリ２３７０を収容し又は受けるように構成された空間を実質的に囲む。さらに、支持構造２３１５の配置は、横支持部材２３５８の隣接する表面の間に規定される空間が、例えば支持トラック２０５０の垂直部分２０５２を受けるのに十分に大きくなるようになっている。
【００８０】
[1132]  図１９に示されているように、横支持部材２３５８は、駆動輪アセンブリ２３７０の支持ベアリング２３７７を受けるベアリング開口部２３５９を規定する。より具体的には、支持ベアリング２３７７は、支持ベアリング２３７７の外側表面がベアリング開口部２３５９を規定する横支持部材２３５８の表面との摩擦ばめを形成するように、ベアリング開口部２３５９内に配置される。同様に述べると、支持ベアリング２３７７の外側表面及び横支持部材２３５８の表面は、ベアリング開口部２３５９内に支持ベアリング２３７７を保持するためにプレス・フィットを形成する。
【００８１】
[1133]  戻って図１３〜図１５を参照すると、第１駆動アセンブリ２３１０は、４つの案内輪アセンブリ２３６０を含む。案内輪アセンブリ２３６０は、それぞれ、取付けブラケット２３６１及び案内輪２３６３を含む。より具体的には、案内輪２３６３のそれぞれは、案内輪２３６３が取付けブラケット２３６１に対して相対的に回転できるように、取付けブラケット２３６１のうちの１つに回転可能に結合される。
【００８２】
[1134]  案内輪アセンブリ２３６０は、それぞれ、支持構造２３１５の一部に結合されるように構成される。さらに詳説すると、図１３〜図１６に示されているように、各案内輪アセンブリ２３６０の取付けブラケット２３６１は、前端支持部材２３５０のうちの１つ又は後端支持部材２３５４のうちの１つに結合される。同様に述べると、前端支持部材２３５０の両方は、案内輪アセンブリ２３６０のうちの１つに含まれる取付けブラケット２３６１に結合され、後端支持部材２３５４の両方は、案内輪アセンブリ２３６０のうちの１つに含まれる取付けブラケット２３６１に結合される。案内輪アセンブリ２３６０は、案内輪２３６３の一部が横部材２３５８の間に規定される空間内に延びるように、支持構造２３１５に結合される。この形で、案内輪２３６３は、第１駆動アセンブリ２３１０が支持トラック２０５０に結合される時に支持トラック２０５０の垂直部分２０５２の表面に沿って転がることができる（例えば、図２３参照）。
【００８３】
[1135]  図１３〜図１５に示されているように、案内輪アセンブリ２３６０は、前端支持部材２３５０に結合される案内輪アセンブリ２３６０内に含まれる案内輪２３６３が、取付けブラケット２３６１の実質的に下に配置されるように、支持構造２３１５に対して相対的に配置され得る。逆に、後端支持部材２３５０に結合される案内輪アセンブリ２３６０内に含まれる案内輪２３６３は、取付けブラケット２３６１の実質的に上に配置される。この配置は、支持トラック２０５０の垂直部分２０５１の、少なくとも１つの案内輪２３６０と接触する表面積を増やすことができる。この形で、支持トラック２０５０の縦中心線（図示せず）の回りの回転運動が、最小にされ又は除去され得る。特定の配置であるものとして図示されているが、他の実施形態では、案内輪２３６３が、任意の適切な形で配置され得る。例えば、いくつかの実施形態では、すべての案内輪２３６３が、取付けブラケット２３６１の下に取り付けられ得る。他の実施形態では、すべての案内輪２３６３が、取付けブラケット２３６１の上に取り付けられ得る。さらなる他の実施形態では、案内輪２３６３は、構成の任意の組合せで取付けブラケット２３６１に取り付けられ得る（例えば、任意の適切な配置で取付けブラケット２３６１の上又は下に取り付けられる）。
【００８４】
[1136]  図２０は、駆動輪アセンブリ２３７０の分解図である。上で説明したように、第１駆動アセンブリ２３１０の対称は、駆動輪アセンブリが同一であるようになっている。従って、図２０に示された駆動輪アセンブリ２３７０の議論は、両方の駆動輪アセンブリ２３７０にあてはまる。駆動輪アセンブリ２３７０は、駆動軸２３７１、駆動ベアリング２３７６、支持ベアリング２３７７、駆動スプロケット２３７９、伝達スプロケット２３８１、駆動輪２３８５、伝達車軸２３８８（図２０には図示せず）、及び駆動ベルト２３８９を含む。駆動軸２３７１は、第１部分２３７２、第２部分２３７３、及び第３部分２３７４を有し、開口部２３７５を規定する。第１部分２３７２は、駆動スプロケット２３７８に少なくとも部分的に関連する第１直径を有する。さらに詳説すると、駆動スプロケット２３７８は、駆動軸２３７１の第１部分２３７２の直径に関連する直径を有する開口部２３８０を規定する。この形で、駆動スプロケット２３７８は、開口部２３８０を規定する駆動スプロケット２３７８の表面が、駆動軸２３７１の第１部分２３７２の外側表面との摩擦ばめを形成するように、駆動軸２３７１の第１部分２３７２の回りに配置される。同様に、駆動ベアリング２３７６は、このベアリングの内側表面が駆動軸２３７１の第２部分２３７２の外側表面との摩擦ばめを形成するように、第１部分２３７２の回りに配置される。従って、駆動ベアリング２３７６内の駆動軸２３７１の回転は、駆動スプロケット２３７８を回転させる。さらに、駆動ベアリング２３７６がサイド・メンバ２３７０のうちの１つのベアリング開口部２３２１を用いて保持される状態で、駆動軸２３７１は、本明細書でさらに詳細に説明するように、対応するサイド・メンバ２３７０に対して相対的に回転され得る。
【００８５】
[1137]  駆動軸２３７１の第２部分２３７３は、第１部分２３７２の直径より小さく、駆動輪２３８５に少なくとも部分的に関連する第２直径を有する。さらに詳説すると、駆動輪２３８５は、駆動軸２３７１の第２部分２３７３の直径に関連する直径を有する開口部２３８７を規定するハブ２３８６を含む。図２０に示されているように、駆動輪２３８５の開口部２３８７は、駆動軸２３７１の第２部分２３７３の外側表面から延びるキーを受けるように構成されたキー溝を含む。この形で、駆動輪２３８５は、駆動軸２３７３の第２部分２３７３の回りに固定して配置される。
【００８６】
[1138]  駆動軸２３７１の第３部分２３７４は、第２部分２３７２の直径より小さく、支持ベアリング２３７７に少なくとも部分的に関連する第３直径を有する。さらに詳説すると、支持ベアリング２３７７は、第３部分２３７４の外側表面が支持ベアリング２３７７の内側表面との摩擦ばめを形成するように、駆動軸２３７１の第３部分２３７４の回りに配置される。さらに、支持ベアリング２３７７が横支持部材２３５８のベアリング開口部２３５９内に配置された状態で、駆動軸２３７１の第３部分２３７４は、少なくとも部分的に支持され得る。
【００８７】
[1139]  駆動軸２３７１によって規定される開口部２３７５は、モーター２３１１の出力軸２３１２を受ける。より具体的には、駆動軸２３７１は、モーター２３１１の出力軸２３１２に少なくとも一時的に固定して結合され得、従って、出力軸２３１２が回転される（例えば、電子システム２７００からのアクティブ化信号に応答して）時に、駆動軸２３７１は、同時に回転される。駆動ベアリング２３７６及び支持ベアリング２３７７がそれぞれサイド・メンバ２３２０のベアリング開口部２３２１内及び横支持部材２３５８のベアリング開口部２３５９内に配置された状態で、駆動軸２３７１は、支持構造２３１５に対して相対的に回転することができる。さらに、駆動軸２３７１の回転は、駆動スプロケット２３７８と駆動輪２３８５との両方を回転させる。
【００８８】
[1140]  駆動スプロケット２３７８は、駆動ベルト２３８９と係合するように構成される。より具体的には、駆動ベルト２３８９は、ベルト２３８９の内側表面から延びる歯のセット（図示せず）と係合する歯２３７９のセットを含む。ベルト２３８９は、伝達スプロケット２３８１にさらに結合される。伝達スプロケット２３８１は、ベルト２３８９の歯と係合する歯２３８２のセットを含む。この形で、駆動スプロケット２３７８の回転（上で説明した）は、ベルト２３８９を回転させ、これが、伝達スプロケット２３８１を回転させる。伝達スプロケット２３８１は、伝達車軸２３８８（例えば、図１６参照）を受けるように構成された開口部２３８３を規定する。より具体的には、伝達車軸２３８８は、第１駆動輪アセンブリ２３７０（例えば、モーター２３１１の出力軸２３１２に結合された駆動輪アセンブリ２３７０）の伝達スプロケット２３８１の回転が、第２駆動輪アセンブリ２３７０の伝達スプロケット２３８１を回転させるように、各駆動輪アセンブリ２３７０の伝達スプロケット２３８１に固定して結合され得る。従って、モーター２３１１が、出力軸２３１２を回転させるためにアクティブ化される時には、両方の駆動輪アセンブリ２３７０の両方の駆動輪２３８５が、回転するように促される。
【００８９】
[1141]  いくつかの実施形態では、支持構造２３１５のサイド・メンバ２３２０及び基部２３４０は、サイド・メンバ２３２０のばね２３２４が、予荷重構成になる（例えば、追加の外力がサイド・メンバ２３２０の一方又は両方に印加されることなく部分的に圧縮される）ように配置され得る。より具体的には、各ばね２３２４は、対応するサイド・メンバ２３２０を基部２３４０に対する相対的な所望の位置に配置するために、基部２３４０の対応するばね突起２３４４の表面に力を働かせる（例えば、予荷重に起因して）ことができる。さらに、駆動ベアリング２３７６が対応するサイド・メンバ２３２０のベアリング開口部２３２１内に固定して配置され、伝達車軸２３８８が基部２３４０の車軸部分２３４６によって規定される開口部２３４７内に配置された状態で、駆動スプロケット２３７８及び伝達スプロケット２３８１の回りに配置されたベルト２３７９は、引張り状態にされ得る。従って、基部２３４０に移動可能に結合されたサイド・メンバ２３２０の配置は、ベルト２３７９が駆動スプロケット２３７８の歯２３７９及び／又は伝達スプロケット２３８１の歯２３８２に沿って実質的に滑らなくなるように、適切な量の張力でベルト２３７９を保持することができる。
【００９０】
[1142]  図２１に示されているように、第１駆動アセンブリ２３１０は、副車輪アセンブリ２３９０を含む。副車輪アセンブリ２３９０は、レバー・アーム２３９１、副車輪２３９３、及びばね２３９４を含む。レバー・アーム２３９１は、車軸部分２３９２、ピボット部分２３９５、及び係合部分２３９６を含む、実質的に角度を付けられた部材である。車軸部分２３９２は、レバー・アーム２３９１の第１端に配置され、副車輪２３９３が車軸部分２３９２の回りで回転するように副車輪２３９３に移動可能に結合される。ピボット部分２３９５は、前端支持部材２３５０の、レバー・アーム・ノッチ２３５１を規定する部分に移動可能に結合される。例えば、いくつかの実施形態では、レバー・アーム２３９１のピボット部分２３９５は、例えば前端支持部材２３５０内に含まれるピボット・ピン（図示せず）を受けるように構成された開口部を含むことができる。この形で、ピボット・ピンは、その回りでピボット部分２３９５がピボット回転し又は回転することのできる軸を規定することができる。
【００９１】
[1143]  係合部分２３９６は、ばね２３９４の一部と係合するように構成される。より具体的には、図２２に示されているように、ばね２３９４の第１端部は、前端支持部材２３５０によって規定されるばね凹窩２３５２と接触し、ばね２３９４の第２端部は、係合部分２３９６と接触する。この形で、ばね２３９４は、レバー・アーム２３９１をピボット部分２３９５の回りでピボット回転するために係合部分２３９６に力を働かせることができる。さらに詳説すると、図２２に示されているように、ばね２３９４が働かせる力は、副車輪２３９３が駆動輪２３８５に向かってピボット回転されるように、レバー・アーム２３９１をピボット回転することができる。従って、第１駆動アセンブリ２３１０が、支持トラック２０５０の付近に配置される時に、副車輪２３９３は、支持トラック２０５０の水平部分２０５１の下面と接触して配置され得る。さらに、ばね２３９４が働かせる力は、駆動輪２３８５及び副車輪２３９３が、それぞれ支持トラック２０５１の水平部分２０５１の上面及び下面に圧縮力を働かせるようになっている。この配置は、例えば、駆動輪２３８５と支持トラック２０５０の水平部分２０５１との間の摩擦を増やすことができる。
【００９２】
[1144]  図２４〜図２６は、第２駆動アセンブリ２４００を示す。第２駆動アセンブリ２４００は、第１駆動アセンブリ２３１０と同様に機能することができ、従って、第２駆動アセンブリ２４００のいくつかの部分は、本明細書でさらに詳細には説明されない。第２駆動アセンブリ２４００は、支持構造２４０５、案内輪アセンブリ２４３０のセット、主車輪アセンブリ２４４０のセット、カプラ２４６０、及びエンコーダ２４７０を含む。図示されているように、第２駆動アセンブリ２４００の少なくとも一部は、第２駆動アセンブリ２４００によって規定される縦平面（図示せず）に関して実質的に対称である。この形で、第２駆動アセンブリ２４００の各側面は、同様の構成要素を含み、これによって、多用途性を高め、製造コストを下げる。例えば、第２駆動アセンブリ２４００は、２つのサイド・メンバ２４２０を含み、カプラ２４６０及びエンコーダ２４７０は、特定のサイド・メンバ２４２０に結合されて図示されているが、他の実施形態では、カプラ２４６０及びエンコーダ２４７０は、他のサイド・メンバ２４２０に結合され得る。
【００９３】
[1145]  支持構造２４０５は、２つのサイド・メンバ２４１０、基部２４２０、前端支持部材２４３１のセット、後端支持部材２４３２のセット、及び横支持部材２４３３のセットを含む。図２４〜図２６に示されているように、サイド・メンバ２４１０は、同一である（例えば、第１駆動アセンブリ２４００の対称に起因して）。サイド・メンバ２４１０は、それぞれ、駆動輪アセンブリ２４７０内に含まれるベアリング２４５４（図２５）を受けるベアリング開口部２４１１を規定する。より具体的には、ベアリング２４５４は、駆動ベアリング２４５４の外側表面がベアリング開口部２４１１を規定するサイド・メンバ２４１０の表面との摩擦ばめを形成するように、ベアリング開口部２４１１内に配置され得る。同様に述べると、駆動ベアリング２４５４及びベアリング開口部２４１１を規定するサイド２４１０の表面は、ベアリング開口部２４１１内に駆動ベアリング２４５４を保持するためにプレス・フィットを形成する。
【００９４】
[1146]  基部２４２０は、サイド・メンバ２４１０に固定して結合されるように構成される。基部２４２０は、第２駆動アセンブリ２４００をハウジング２２００の基部２２１０に結合する（例えば、例えばメカニカル・ファスナ又は類似物などの任意の適切な取付けハードウェアを介して）ために、基部２４２０の上面及び下面から延びるように構成された取付け板２４２１を含む。取付け板２４２１の配置は、第２駆動アセンブリ２４００が支持トラック２０５０付近に配置される時に、取付け板２４２１が、支持トラック２０５０の縦中心線（図示せず）に対する相対的な横方向での第２駆動機構２４００の移動を実質的に制限できるようなものとすることができる。いくつかの実施形態では、取付け板２４２１は、支持トラック２０５０の水平部分２０５１の底面に沿って滑るのに十分に滑らかとすることのできる任意の適切な表面仕上げを含むことができる。他の実施形態では、取付け板２４２１は、支持トラック２０５０の底面に沿った取付け板２４２１の滑りを容易にする、例えばナイロン又は類似物などの材料から形成され得る。
【００９５】
[1147]  前端支持部材２４３１、後端支持部材２４３２、及び横支持部材２４３３は、図１７〜図１９を参照して上で説明した前端支持部材２３５０、後端支持部材２３５４、及び横支持部材２３５８と同様に配置され得る。この形で、サイド・メンバ２４１０並びに支持部材２４３１、２４３２、及び２４３３は、主車輪アセンブリ２４４０の少なくとも一部を実質的に囲むように構成された空間を規定することができる。さらに、横支持部材２４３３は、上で説明した横部材２３３３に類似する形で主車輪アセンブリ２３５０のベアリング２４５４を受けるように構成された開口部を規定することができる。しかし、図２４〜図２６に示されているように、前端支持部材２４３１、後端支持部材２４３２、及び横支持部材２４３３は、前端支持部材２４３１、後端支持部材２４３２、及び横支持部材２４３３が、第２駆動アセンブリ２４００の任意の部分を収容するために１つ又は複数のノッチ及び／又は凹窩を含む必要がないという点で、異なることができる。
【００９６】
[1148]  第２駆動アセンブリ２４００は、４つの案内輪アセンブリ２４４０を含む。案内輪アセンブリ２４４０は、それぞれ、取付けブラケット２４４１及び案内輪２４４３を含む。より具体的には、案内輪２４４３のそれぞれは、案内輪２４４３が取付けブラケット２４４１に対して相対的に回転できるように、取付けブラケット２４４１のうちの１つに回転可能に結合される。案内輪アセンブリ２４４０は、それぞれ、支持構造２４０５の一部に結合されるように構成される。さらに詳説すると、図２４〜図２６に示されているように、各案内輪アセンブリ２４４０の取付けブラケット２４４１は、前端支持部材２４３１のうちの１つ又は後端支持部材２４３２のうちの１つに結合される。同様に述べると、前端支持部材２４３１の両方が、案内輪アセンブリ２４４０のうちの１つに含まれる取付けブラケット２４４１に結合され、後端支持部材２４３２の両方が、案内輪アセンブリ２４４０のうちの１つに含まれる取付けブラケット２４４１に結合される。案内輪アセンブリ２４４０は、案内輪２４４３の一部が横部材２４３３の間に規定される空間内に延びるように、支持構造２４０５に結合される。この形で、案内輪２４４３は、第２駆動アセンブリ２４００が支持トラック２０５０に結合される時に、支持トラック２０５０の垂直部分２０５２の表面に沿って転がることができる（例えば、図２６参照）。第１駆動アセンブリ２３１０を参照して上で説明したように、案内輪アセンブリ２４４０は、支持トラック２０５０の縦中心線の回りでの第２駆動アセンブリ２４００の回転運動を制限するために、任意の適切な構成で配置され得る。
【００９７】
[1149]  主車輪アセンブリ２４５０は、それぞれ、ハブ２４５２、車軸２４５３、及びベアリング２４５４を有する主車輪２４５１を含む。上で説明したように、車軸２４５３は、ベアリング２３５４内に配置され得、ベアリング２３５４は、サイド・メンバ２４１０及び横部材２４３３に結合される。この形で、各主車輪２４５１は、対応する車軸２４５３の回りで支持構造２４０５に対して相対的に回転することができる。図２６に示されているように、第２駆動アセンブリ２４００は、主車輪２４５１が水平部分２０５１の上面に沿って転がるように、支持トラック２０５０付近に配置される。同様に、案内輪２４４３は、支持トラック２０５０の垂直部分２０５２の表面に沿って転がる。
【００９８】
[1150]  図２４及び図２６に示されているように、車軸２４５３は、サイド・メンバ２４１０の開口部２４１１内に配置されたベアリング２４５４を通って延びるように構成される。この形で、カプラ２４６０は、車軸２４５３をエンコーダ２４７０に結合するために車軸２４５３に結合することができる。従って、エンコーダ２４７０は、主車輪２４５１の回転に関連する情報を受け取り、かつ／又は判定することができる。例えば、エンコーダ２４７０は、位置、回転速度、回転加速度、又は類似物を判定することができる。さらに、エンコーダ２４７０は、電子システム２７００の一部と電気通信している（例えば、有線通信又は無線通信を介して）ことができ、第２駆動アセンブリ２４００に関連する情報を電子システム２７００の一部に送ることができる。エンコーダ２４７０から情報を受信する時に、電子システム２７００の一部は、本明細書でさらに詳細に説明するように、アクションの実行（例えば、１つ若しくは複数のモーターの出力の増加若しくは減少又は類似物）に関連する信号を任意の他の適切なシステムに送ることができる。いくつかの例で、電子システム２７００は、第２駆動アセンブリ２４００に関連するエンコーダ２４７０から送られた情報に少なくとも部分的に基づいて支持トラック２０５０に対する相対的なトロリ２１００の位置を判定することができる。そのような例では、ユーザ（例えば、医師、内科医、看護師、技師、又は類似物）は、支持トラック２０５０のうちでそれに沿ってトロリ２１００が移動する部分に関連するパラメータのセットを入力することができる。この形で、ユーザは、治療セッションに関する支持トラック２０５０に沿った所望の経路を定義することができる。
【００９９】
[1151]  図２７〜図３３は、トロリ２１００内に含まれる支持機構２５００を示す。図２７に示されているように、支持機構２５００は、テザー２５０５、ウインチ・アセンブリ２５１０、案内機構２５４０、第１プーリー２５６３、第２プーリー２５６５、及びカム機構２５７０を含む。テザー２５０５は、例えば、ナイロン又は他の適切なポリマなどの任意の適切な材料から形成され得るロープ又は他の長く柔軟な部材とすることができる。テザー２５０５は、ウインチ・アセンブリ２５１０の一部に結合される第１端部２５０６と、例えば図３４に示された患者接続機構２８００などの任意の適切な患者接続機構に結合され得る第２端部２５０７とを含む。テザー２５０５は、本明細書でさらに詳細に説明するように、支持機構２５００が患者の体重の少なくとも一部を能動的に支持するように、ウインチ・アセンブリ２５１０の一部、案内機構２５４０、カム機構２５７０、第１プーリー２５６３、及び第２プーリー２５６５と係合するように構成される。
【０１００】
[1152]  図２９及び図３０に示されているように、ウインチ・アセンブリ２５１０は、モーター２５１１、取付けフランジ２５１５、カプラ２５２０、ドラム２５２５、及びエンコーダ・アセンブリ５２３０を含む。モーター２５１１は、カプラ２５２０に結合され、電子システム２７００の一部と電気通信している。モーター２５１１は、モーター２５１１の出力軸２５１２の回転がカプラ２５２０の出力部材２５２１を回転させるようにカプラ２５２０の入力部分（図示せず）と係合する出力軸２５１２を含む。より具体的には、モーター２５１１は、モーター２５１１に第１回転方向又は第１回転方向と反対の第２回転方向に出力軸２５１２を回転させるアクティブ化信号（例えば、電流の流れ）を電子システム２７００から受信する。出力軸２５１２は、それぞれ第１回転方向又は第２回転方向にカプラ２５２０の出力部材２５２１を回転させる。
【０１０１】
[1153]  取付けフランジ２５１５は、カプラ２５２０の一部の上に配置され、ハウジング２２００の第３サイド・メンバ２２５０に結合され得る部分を含む。この形で、モーター２５１１は、取付けフランジ２５１５及びハウジング２２００によって支持される。カプラ２５２０の出力部材２５２１は、モーター２５１１の出力軸２５１２が第１方向又は第２方向に回転される時に、ドラム２５２５が、それぞれ第１方向又は第２方向に回転されるように、ドラム２５２５の取付け板２５２２に結合される。図示されていないが、いくつかの実施形態では、カプラ２５２０は、所望の歯車比を定義する任意の適切な形で配置され得る１つ又は複数の歯車を含むことができる。この形で、出力軸２５１２の回転は、第１方向又は第２方向で第１回転速度を有するものとすることができ、ドラム２５２５の回転は、それぞれ第１方向又は第２方向で、出力軸２５２５の第１回転速度とは異なる第２回転速度（例えば、より高い又はより低い回転速度）を有するもののとすることができる。いくつかの実施形態では、カプラ２５２０は、電子システム２７００が出力軸２５１２の回転方向の変更に関連する信号をモーター２５１１に送ることから生じる可能性がある衝撃（すなわち、力）を減らし、かつ／又は減衰させるように構成され得る１つ又は複数のクラッチを含むことができる。
【０１０２】
[1154]  ドラム２５２５は、取付け板２５２２と鏡板２５２９との間に配置される。本明細書でさらに詳細に説明するように、エンコーダ・アセンブリ２５３０のエンコーダ・ドラム２５３１は、エンコーダ・アセンブリ２５３０の少なくとも一部がドラム２５２５によって規定される内容積２５２８内に配置されるように端フランジ２５２９に結合される。ドラム２５２５は、螺旋溝２５２７のセットを規定する外側表面２５２６を有する。螺旋溝２５２７は、テザー２５０５の一部を受け、テザー２５０５がドラム２５２５の回りで巻きかつ／又はほどくためにそれに沿って巻き付くことができる経路を規定する。例えば、モーター２５１１は、第１方向に出力軸２５１２を回転する信号を電子システム２７００から受信することができる。この形で、ドラム２５２５は、第１方向に回転され、テザー２５０５は、例えば、ドラム２５２５の回りに巻かれ得る。逆に、モーター２５１１は、第２方向に出力軸２５１２を回転する信号を電子システム２７００から受信することができ、従って、ドラムは、第２方向に回転され、テザー２５０５は、例えば、ドラム２５２５からほどかれ得る。
【０１０３】
[1155]  エンコーダ・アセンブリ２５３０は、エンコーダ・ドラム２５３１、取付けフランジ２５３２、ベアリング・ブラケット２５３３、ベアリング２５３５、カプラ２５３６、エンコーダ２５３７、及びエンコーダ・ハウジング２５３８を含む。上で説明したように、エンコーダ・ドラム２５３１の第１端部は、エンコーダ・アセンブリ２５３０の一部がドラム２５２５の内容積２５２８内に配置されるように、ドラム２５２５の端フランジ２５２９に結合される。取付けフランジ２５３２は、エンコーダ・ドラム２５３１の第２端部に結合され、ベアリング・ブラケット２５３３にさらに結合される。ベアリング・ブラケット２５３３は、ベアリング２５３５がその回りに配置される車軸２５３４を含む。カプラ２５３６は、ベアリング・ブラケット２５３３の車軸２５３４に結合され、ベアリング・ブラケット２５３３にエンコーダ２５３７を結合するように構成される。図２８に示されているように、カプラ２５３６及びエンコーダ２５３７は、エンコーダ・ハウジング２５３８内に配置される。より具体的には、カプラ２５３６は、エンコーダ・ハウジング２５３８内に移動可能に配置され、エンコーダ２５３７は、エンコーダ・ハウジング２５３８に固定して結合される。さらに、エンコーダ・ハウジング２５３８の第１端部は、ベアリング２５３５の回りに配置され、エンコーダ・ハウジング２５３８の第２端部は、ハウジング２２４０の第２サイド・メンバ２２４０の凹窩部分２２４４に接触し、これに固定して結合される。この形で、エンコーダ・ドラム２５３１、取付けフランジ２５３２、ベアリング・ブラケット２５３３、及びカプラ２５３６は、エンコーダ２５３７及びエンコーダ・ハウジング２５３８に対して相対的に、ドラム２５２５と同時に回転するように構成される。従って、エンコーダ２５３７は、ドラム２５２５の回転に関連する情報を受信し、かつ／又は判定することができる。例えば、エンコーダ２５３７は、テザー２５０５の位置、回転速度、回転加速度、供給速度、又は類似物を判定することができる。さらに、エンコーダ２５３７は、電子システム２７００の一部と電気通信している（例えば、有線通信又は無線通信を介して）ことができ、ウインチ・アセンブリ２５１０に関連する情報を電子システム２７００の一部に送ることができる。エンコーダ２５３７から情報を受信する時に、電子システム２７００の一部は、本明細書でさらに詳細に説明するように、アクションの実行（例えば、１つ若しくは複数のモーターの出力の増加若しくは減少又は類似物）に関連する信号を任意の他の適切なシステムに送ることができる。
【０１０４】
[1156]  戻って図２７を参照すると、支持機構２５００の案内機構２５４０は、ハウジング２２００内に含まれる基部２２１０の案内機構開口部２２１５内に少なくとも部分的に配置される。より具体的には、案内機構２５４０は、基部２２１０の取付けタブ２２１６に結合される取付けブラケット２５４１のセットを含む。この形で、案内機構２５４０の少なくとも一部が、案内機構開口部２２１５内に吊るされる。図３１に示されているように、案内機構２５４０は、取付けブラケット２５４１、案内ドラム・アセンブリ２５４５、ストッパ・ブラケット２５５０、ストッパ２５５１、ローラー・アセンブリ２５５４、カプラ２５５９、支持ブラケット２５６０、及びエンコーダ２５６１を含む。上で説明したように、取付けブラケット２５４１は、基部２２１０の取付けタブ２２１６に結合される。取付けブラケット２５４１は、それぞれ、案内ドラム・アセンブリ２５４５の一部に移動可能に結合される第１取付け部分２５４２、ストッパ・ブラケット２５５０に固定して結合される第２取付け部分２５４３、及びローラー・アセンブリ２５５４の一部に移動可能に結合されるピボット部分２５４４を含む。ストッパ・ブラケット２５５０は、ストッパ２５５１にさらに結合され、取付けブラケット２５４１に対する相対的な案内ドラム・アセンブリ２５４５の移動を制限するように構成される。
【０１０５】
[1157]  案内ドラム・アセンブリ２５４５は、案内ドラム２５４６、ピボット・プレート２５４７のセット、及びストッパ・プレート２５４９を含む。案内ドラム２５４６は、ピボット・プレート２５４７に移動可能に結合される。例えば、図３１には示されていないが、ピボット・プレート２５４７は、それぞれ、案内ドラム２５４６がその回りで回転できる車軸を受けるように構成された開口部を含むことができる。ピボット・プレート２５４７は、それぞれ、取付けブラケット２５４１の第１取付け部分２５４２によって規定される開口部（図示せず）内に配置され得るピボット車軸２５４８を含む。この形で、案内ドラム・アセンブリ２５４５は、ピボット車軸２５４８の回りで取付けブラケット２５４１に対して相対的にピボット回転することができる。ストッパ・プレート２５４９は、取付けブラケット２５４１に対する相対的な案内ドラム・アセンブリ２５４５のピボット回転運動を制限するためにストッパ２５５１の一部と係合するように構成される。より具体的には、ストッパ・ブラケット２５５０が取付けブラケット２５４１及びストッパ２５５１に固定して結合された状態で、案内ドラム・アセンブリ２５４５は、ストッパ・プレート２５４９がストッパ２５５１と接触して配置されるように、ストッパ・ブラケット２５５０に向かってピボット回転することができる（例えば、本明細書でさらに詳細に説明するように、テザー２５０５に働く力に応答して）。ストッパ２５５１は、任意の適切な形状、サイズ、又は構成とすることができる。例えば、いくつかの実施形態で、ストッパ２５５１は、ストッパ・プレート２５４９がストッパ２５５１に接触して配置される時に、案内ドラム・アセンブリ２５４５の働かせる力の一部を吸収するように構成されたエラストマ部材とすることができる。
【０１０６】
[1158]  ローラー・アセンブリ２５５４は、スイング・アーム２５５５のセット及びローラー２５５８のセットを含む。スイング・アーム２５５５は、第１端部２５５６及び第２端部２５５７を含む。スイング・アーム２５５５の第１端部２５５６は、ローラー２５５８に移動可能に結合される。より具体的には、ローラー２５５８は、ローラー２５５８の間に規定される間隔がテザー２５０５の一部を受けることができるように配置され得る。従って、テザー２５０５が、ローラー２５５８に対して相対的に動かされる時に、ローラー２５５８は、スイング・アーム２５５５に対して相対的に回転することができる。スイング・アーム２５５５の第２端部２５５７は、取付けブラケット２５４１のピボット部分２５４３に結合される。例えば、図３１に示されているように、ピボット部分２５４３は、ベアリング内に配置された車軸のセットを含むことができる。この形で、スイング・アーム２５５５の第２端部２５５７は、ローラー・アセンブリ２５５４及び車軸が取付けブラケット２５４１に対して相対的にピボット回転できる（例えば、本明細書でさらに詳細に説明するように、テザー２５０５に働く力に応答して）ように車軸に結合することができる。
【０１０７】
[1159]  案内機構２５４０内に含まれるカプラ２５５９は、取付けブラケット２５４１のうちの１つのピボット部分２５４３の車軸に結合される。カプラ２５５９は、エンコーダ２５６１の入力軸にさらに結合される。より具体的には、支持ブラケット２５６０は、ハウジング２２００の基部２２１０に結合され、基部２２１０に対する相対的なエンコーダ２５６１の一部の移動を制限するために、エンコーダ２５６１の一部にも結合される。従って、エンコーダ２５６１は、取付けブラケット２５４１に対する相対的なローラー・アセンブリ２５５４のピボット運動に関連する情報を受信し、かつ／又は判定することができる。例えば、エンコーダ２５６１は、テザー２５０５の位置、回転速度、回転加速度、供給速度、又は類似物を判定することができる。さらに、エンコーダ２５６１は、電子システム２７００の一部と電気通信している（例えば、有線通信又は無線通信を介して）ことができ、案内機構２５４０に関連する情報を電子システム２７００の一部に送ることができる。エンコーダ２５６１から情報を受信する時に、電子システム２７００の一部は、アクションの実行（例えば、１つ若しくは複数のモーター２３１１及び２５１１の出力の増加若しくは減少、１つ若しくは複数のモーター２３１１及び２５１１の方向の変更、又は類似物）に関連する信号を任意の他の適切なシステムに送ることができる。
【０１０８】
[1160]  図３２に示されているように、第１プーリー２５６３及び第２プーリー２５６５は、それぞれ第１プーリー・ブラケット２５６４及び第２プーリー・ブラケット２５６５に回転可能に結合される。第１プーリー・ブラケット２５６４及び第２プーリー・ブラケット２５６５は、ハウジング２２００の基部２２１０にさらに結合される。この形で、第１プーリー２５６３、第２プーリー２５６５、及びカム機構２５７０の少なくとも一部は、本明細書でさらに詳細に説明するように、ウインチ・アセンブリ２５１０に機械的利点を提供するためにテザー２５０５と係合することができる。
【０１０９】
[1161]  図３２及び図３３に示されているように、カム機構２５７０は、カム・プーリー・アセンブリ２５７１、カム２５８０、カプラ２５８５、カプラ・ハウジング２５８６、エンコーダ２５８７、及びバイアス機構２５８８を含む。カム・プーリー・アセンブリ２５７１は、カム・プーリー２５７２、カム・アーム２５７４、カム車軸２５７５、及びスペーサ２５７６を含む。カム・アーム２５７４は、カム・プーリー２５７２に回転可能に結合される第１端部と、カム車軸２５７５に回転可能に結合される第２端部とを含む。カム車軸２５７５は、カプラ２５８５に結合されるために、カム・ピボット開口部２２２０（基部２２１０によって規定される）、スペーサ２５７６、及びカム２５８０を通って延びる。スペーサ２５７６は、基部２２１０に結合され、基部２２１０の第２側面２２１２とカム２５８０の表面との間に配置される。スペーサ２５７６は、カム２５８０がスペーサ２５７６の表面に沿って相対的に簡単に移動することを可能にするために、例えばポリエチレン、ナイロン、又は類似物などの相対的に低い摩擦係数を有する材料から形成され得る。この形で、カム２５８０は、本明細書でさらに詳細に説明するように、バイアス機構２５８８の一部がカム２５８０と第２側面２２１２との間に配置されることを可能にするために、基部２２１０の第２側面２２１２から十分な距離に間隔を置かれる。
【０１１０】
[1162]  カム・アセンブリ２５７０のカム２５８０は、開口部２５８１を規定し、取付け部分２５８２及び係合表面２５８３を含む。カム２５８０の係合表面２５８３は、本明細書でさらに詳細に説明するように、バイアス機構２５８８の一部と接触する。カム２５８０によって規定される開口部２５８１は、ベアリング２５８４を受ける。開口部２５８１内に配置された時に、ベアリング２５８４は、カム２５８０がカム車軸２５７５の回りで回転することを可能にする。カム２５８０の取付け部分２５８２は、カム・プーリー開口部２２１９内に少なくとも部分的に配置され、カム・プーリー２５７２に結合される。例えば、図３３に示されているように、取付け部分２５８２は、カム・プーリー２５７２によって規定されるねじ付き開口部（図示せず）によって受けられ得るカム２５８０の表面から延びるねじ付きの棒である。この形で、テザー２５０５に働く力の変化（例えば、力の増加又は減少）に応答するカム・プーリー・アセンブリ２５７１の移動は、カム２５８０をカム車軸２５７５の回りで回転させる（上で説明したように）。
【０１１１】
[1163]  カプラ・ハウジング２５８６は、スペーサ２５７６に隣接する側面と反対の、カム２５８０の表面に結合される。言い換えると、カプラ・ハウジング２５８６は、カム２５８０に結合される時に、基部２２１０から離れて延びる。カプラ・ハウジング２５８６は、エンコーダ２５８７にさらに結合される。従って、カム２５８０が、カム車軸２５７５の回りで回転される時には、カプラ・ハウジング２５８６及びエンコーダ２５８７も、カム車軸２５７５の回りで回転される。カプラ２５８５は、カプラ・ハウジング２５８６内に配置され、カム車軸２５７５とエンコーダ２５７５の入力部分（図示せず）との両方に結合される。従って、カプラ２５８５が、カム車軸２５７５とエンコーダ２５８７の入力部分とに結合された状態で、カム２５８０及びカプラ・ハウジング２５８６の回転は、エンコーダ２５８７をその入力部分の回りで回転させる。この形で、エンコーダ２５８７は、カム車軸２５７５に対する相対的なカム２５８０及び／又はカム・プーリー・アセンブリ２５７１のピボット運動に関連する情報を受信し、かつ／又は判定することができる。例えば、エンコーダ２５８７は、テザー２５０５の位置、回転速度、回転加速度、供給速度、又は類似物を判定することができる。さらに、エンコーダ２５８７は、電子システム２７００の一部と電気通信している（例えば、有線通信又は無線通信を介して）ことができ、カム機構２５７０に関連する情報を電子システム２７００の一部に送ることができる。エンコーダ２５８７から情報を受信する時に、電子システム２７００の一部は、アクションの実行（例えば、１つ若しくは複数のモーター２３１１及び２５１１の出力の増加若しくは減少、１つ若しくは複数のモーター２３１１及び２５１１の方向の変更、又は類似物）に関連する信号を任意の他の適切なシステムに送ることができる。
【０１１２】
[1164]  バイアス機構２５８８は、車軸２５８９、取付けフランジ２５９０、第１ピボット・アーム２５９１、第２ピボット・アーム２５９５、案内部材２５９６、バイアス部材２５９７、及び取付けポスト２５９８を含む。車軸２５８９は、取付けフランジ２５８８内に移動可能に配置され、第２ピボット・アーム２５９１によって規定される車軸開口部２５９２内に固定して配置されるために、基部２２１０によって規定されるバイアス機構開口部２２１７を通って延びる。さらに詳説すると、取付けフランジ２５８９の一部は、第２ピボット・アーム２５９１の表面に接触するために、バイアス機構開口部２２１７を通り、基部２２１０の第２側面２２１２を超えて延びる。この形で、第２ピボット・アーム２５９１の表面は、基部２２１０の第２側面２２１２からオフセットされる。さらに、スペーサ２５７６（上で説明した）の配置は、車軸２５８９が車軸開口部２５９２内に配置される時に、第１ピボット・アーム２５９１の第２表面がカム２５８０の表面からオフセットされるようになっている。従って、第１ピボット・アーム２５９１は、相対的に少ない量の摩擦を伴って基部２２１０に対して相対的にピボット回転することができる。いくつかの実施形態では、少なくとも、取付けフランジ２５９０のうちでバイアス機構開口部２２１７を通って延びる部分は、例えばポリエチレン、ナイロン、又は類似物など、相対的に低い摩擦係数を有する材料から作られ得る。
【０１１３】
[1165]  第１ピボット・アーム２５９１は、車軸開口部２５９２及び案内部材開口部２５９３を規定し、係合部材２５９４を含む。案内部材開口部２５９３は、案内部材２５９６を第１ピボット・アーム２５９１に結合するために、案内部材２５９６の一部を受けるように構成される。案内部材２５９６は、案内部材２５９６の一部が基部２２１０によって規定される案内部材開口部２２１８を通って延びるように、第１ピボット・アーム２５９１の表面から基部２２１０に向かって延びる。いくつかの実施形態では、案内部材２５９６は、基部２２１０と係合するように構成されたスリーブ又は類似物を含むことができる。そのような実施形態では、スリーブは、例えばポリエチレン、ナイロン、又は類似物など、相対的に低い摩擦係数を有する材料から形成され得る。従って、案内部材２５９６は、第１ピボット・アーム２５９１が基部２２１０に対して相対的に移動される時に、案内部材トラック２２１８内で移動することができる。
【０１１４】
[1166]  第１ピボット・アーム２５９１の係合部材２５９４は、第１ピボット・アーム２５９１の表面からカム２５８０に向かって延びる。この形で、係合部材２５９４は、本明細書でさらに詳細に説明するように、カム２５８０が基部２２１０に対して相対的に移動される時に、カム２５８０の係合表面２５８３に沿って移動され得る。いくつかの実施形態では、係合部材２５９４は、第１ピボット・アーム２５９１に回転可能に結合され得、係合表面２５８３に沿って転がるように構成され得る。他の実施形態では、係合部材２５９４及び／又は係合表面２５８３は、相対的に低い摩擦係数を有する材料から形成され得る。そのような実施形態では、係合部材２５９４は、係合表面２５８３に沿って滑らされ得る。
【０１１５】
[1167]  バイアス機構２５８８の第２ピボット・アーム２５９５は、車軸２５８９に固定して結合される第１端部と、バイアス部材２５９７の第１端部に結合される第２端部とを有する。取付けポスト２５９８は、基部２２１０に固定して結合され、バイアス部材２５９７の第２端部にさらに結合される。従って、第２ピボット・アーム２５９５は、バイアス部材２５９７が第１構成（変形されていない構成）である第１位置と、バイアス部材２５９７が第２構成（変形されている構成）である第２位置との間で取付けフランジ２５９０に対して相対的にピボット回転することができる。例えば、いくつかの実施形態では、バイアス部材２５９７は、圧縮されていない構成（例えば、第１構成）と圧縮された構成（例えば、第２構成）との間で移動され得るばねとすることができる。他の実施形態では、バイアス部材２５９７は、延ばされていない構成と延ばされた構成との間で移動され得るばねとすることができる。言い換えると、バイアス部材２５９７は、それぞれ圧縮ばね又は伸張ばねのいずれかとすることができる。さらなる他の実施形態では、バイアス部材２５９７は、例えばガス・ストラット又は類似物など、任意の他の適切なバイアス機構及び／又はエネルギ貯蔵デバイスとすることができる。
【０１１６】
[1168]  カム２５８０が、テザー２５０５に働く力に応答して第１位置から第２位置に回転される時に（上で説明した）、バイアス部材２５９７は、カム２５８０の回転に抵抗する反力を働かせることができる。より具体的には、係合部材２５９４がカム２５８０の係合表面２５８３に接触した状態で、バイアス部材２５８７は、係合表面２５８３に沿った係合部材２５９４の移動に抵抗する反力を働かせる。従って、いくつかの例では、テザー２５０５に働く力の相対的に小さい変化は、カム２５８０及びカム・プーリー・アセンブリ２５７１を回転させるのに十分に大きくはない可能性がある。この配置は、テザー２５０５に働く力の些細な動揺に応答する支持システム２０００によって支持される体重の量の望ましくない変化を減らすことができる。
【０１１７】
[1169]  図３４は、患者接続機構２８００を示す。患者接続機構２８００は、患者接続機構２８００をトロリ２１００に結合するためにテザー２５０５の第２端部２５０７に噛み合わされ得る。さらに、患者接続機構２８００は、下で説明するように、支持システム２０００に患者を結合するために、患者によって身に着けられるハーネス又は類似物に結合され得る。
【０１１８】
[1170]  患者接続機構２８００は、第１結合部分２８１０及び第２結合部分２８１２を有する。第１結合部分２８１０は、上で説明したように、テザーの第２端部２５０７に結合するように構成された結合機構２８１１を含む。例えば、結合機構２８１１は、テザー２５０５の接続デバイス（図２〜図３４には図示せず）に結合するように構成されたループ又はフックとすることができる。第２結合部分２８２１は、第１腕２８２０及び第２腕２８４０に移動可能に結合される。本明細書でさらに詳細に説明するように、第１２８２０及び第２腕２８４０は、患者接続機構２８００に結合された患者の重量によって働かされる力の少なくとも一部を吸収するためにお互いに対して相対的にピボット回転することができる。
【０１１９】
[1171]  患者接続機構２８００の第１腕２８２０は、ピボット部分２８２１及びマウント部分２８２２を含む。ピボット部分２８２１は、第２結合部分２８１２に移動可能に結合される。マウント部分２８２２は、本明細書でさらに詳細に説明するように、案内棒２８３０を受ける。第１腕２８２０は、第２腕２８４０の一部を受けるスロット２８２４と、患者によって身に着けられるハーネスの一部を受ける開口部２８２６とを規定する。
【０１２０】
[1172]  第２腕２８４０は、ピボット部分２８４１及び結合部分２８４２を有する。ピボット部分２８４１は、第２結合部分２８１２に移動可能に結合される。この形で、第１腕２８２０と第２腕２８４０との両方が、本明細書でさらに詳細に説明するように、結合部分２８１２に対して相対的に、及びお互いに対して相対的に、ピボット回転することができる。結合部分２８４２は、患者によって身に着けられるハーネスの一部を受ける開口部２８４３を規定する。結合部分２８４２は、第１エネルギ貯蔵部材２８４４の第１端部及び第２エネルギ貯蔵部材２８５１（集合的にエネルギ貯蔵部材２８５０と称する）の第１端部にも移動可能に結合される。エネルギ貯蔵部材２８５０は、例えば、ガス・ストラット又は類似物とすることができる。
【０１２１】
[1173]  図３４に示されているように、エネルギ貯蔵部材２８５０は、第１腕２８２０に向かって延びるように構成される。より具体的には、第２エネルギ貯蔵部材２８５１は、第１腕２８２０の案内棒２８３０に移動可能に結合される結合部分２８５２を含む。第１エネルギ貯蔵部材２８４４は、係合部材２８４５に移動可能に結合され、第２エネルギ貯蔵部材２８５１の結合部分２８５２にさらに結合される結合部分（図３４には図示せず）をも含む。同様に述べると、第１エネルギ貯蔵部材２８４４の結合部分は、第１エネルギ貯蔵部材２８４４の縦中心線（図示せず）に対して相対的に実質的に垂直な方向に延びる。
【０１２２】
[1174]  係合部材２８４５は、第１エネルギ貯蔵部材２８４４の結合部分及び第２結合部分２８５１の結合部分２８５２に移動可能に結合される。係合部材２８４５は、スロット２８２５を少なくとも部分的に規定する第１腕２８２０の係合表面２８２５と接触して配置されるように構成される。同様に述べると、係合部材２８４５は、第１腕２８２０によって規定されるスロット２８２４内で、係合表面２８２５と接触２８２５して配置される。さらに、係合部材２８４５及びエネルギ貯蔵部材２８５０の配置は、係合部材２８４５が係合表面２８２５に沿って転がることを可能にする。
【０１２３】
[1175]  力が、患者によって第１腕２８２０  第２腕２８４０に働かされる時に、第１腕２８２０及び第２腕２８４０は、第２結合部分２８１２の回りでお互いに向かってピボット回転する。第１腕２８２０及び第２腕２８４０のピボット回転は、係合部材２８４５を係合表面２８２５に向かって移動し、より低いポテンシャル・エネルギの構成のエネルギ貯蔵部材２８５０をより高いポテンシャル・エネルギの構成にさらに移動する（例えば、ガス・ストラットを圧縮する）。従って、エネルギ貯蔵部材２８５０は、患者接続機構２８００に働く力の少なくとも一部を吸収することができる。さらに、患者接続機構２８００に働く力が、第２構成のエネルギ貯蔵部材２８５０のポテンシャル・エネルギより小さい時には、エネルギ貯蔵部材２８５０は、第１腕２８２０及び第２腕２８４０をお互いから離れてピボット回転するために、その第１位置に向かって移動することができる。
【０１２４】
[1176]  使用中に、患者支持システム２０００は、それに結合される患者の体重の少なくとも一部を能動的に支持するのに使用され得る。例えば、上で説明したように、いくつかの例で、患者は、患者接続機構２８００に結合され、患者接続機構２８００は、テザー２５０５の第２端部２５０７に結合される。この形で、支持システム２０００（例えば、テザー２５０５、トロリ２１００、及び支持レール２０５０）は、患者の体重の少なくとも一部を支持することができる。
【０１２５】
[1177]  いくつかの例では、ユーザ（技師、療法士、医師、内科医、又は類似物）は、患者及び支持システム２０００に関連するシステム・パラメータのセットを入力することができる。例えば、いくつかの実施形態では、ユーザは、例えばパーソナル・コンピュータ、モバイル・デバイス、スマートフォン、又は類似物などのリモート・コントロール・デバイスを介してシステム・パラメータのセットを入力することができる。他の実施形態では、ユーザは、例えばトロリ２１００内又はトロリ２１００上に含まれるコントロール・パネル上で、システム・パラメータを入力することができる。システム・パラメータは、例えば、患者の体重、患者の身長、支持システム２０００によって支持される体重の所望の量、歩行治療中の患者ウォーキングの所望の速度、支持トラック２０５０の長さに沿った所望の経路又は距離、又は類似物を含むことができる。
【０１２６】
[1178]  システム・パラメータが入力された状態で、患者は、例えば歩行治療セッションを開始することができる。いくつかの例では、トロリ２１００は、患者の移動に応答して支持構造２０５０に沿って移動することができる（上で図２３及び図２６を参照して説明したように）。同様に述べると、トロリ２１００は、患者がウォークする時に、支持構造２０５０に沿って移動することができる。いくつかの例では、トロリ２１００は、患者の実質的に頭上に留まるように構成され得る。そのような例では、電子システム２７００は、例えば駆動系２３００のエンコーダ２４７０、案内機構２５４０のエンコーダ２５６１、及び／又はカム・アセンブリ２５７０のエンコーダ２５８７から受信した情報に基づいて、駆動系２３００のモーター２３１１の制御に関連する命令のセットを実行することができる。例えば、電子システム２７００は、案内機構２５４０のエンコーダ２５６１に関連する情報に少なくとも部分的に基づいて駆動輪２３８５の回転速度を変更する際に動作する信号を駆動系２３００のモーター２３１１に送ることができる。さらに詳説すると、いくつかの例では、患者は、トロリ２１００より速くウォーキングし、これによって、基部２２１０に対する相対的なテザー２５０５及び案内機構２５４０の角度を変更する場合がある。従って、案内機構２５４０のエンコーダ２５６１は、基部２２１０に対する相対的な案内機構２５４０の角度に関連する信号を送ることができ、この信号の受信時に、電子システム２７００は、駆動輪２３８５の回転速度を高めるために駆動系２３００のモーター２３１１に信号を送ることができる。この形で、患者に対する相対的なトロリ２１００の位置が、ユーザ定義のパラメータに少なくとも部分的に基づき、さらに、駆動系２３００のエンコーダ２４７０、案内機構２５４０のエンコーダ２５６１、及び／又はカム・アセンブリ２５７０のエンコーダ２５８７から受信された情報に少なくとも部分的に基づいて、能動的に制御され得る。患者の頭上になるように能動的に制御されるものとして説明されるが、他の例は、ユーザは、トロリ２１００が所望の距離で患者に続くか所望の距離で患者に先行することに関連するパラメータを定義することができる。
【０１２７】
[1179]  いくつかの例では、患者によってテザー２５０５に働かされる力の量が、増加し又は減少する場合がある。例えば、患者がつまずき、これによって、テザー２５０５に働かされる力の量が増加する場合がある。そのような例では、テザー２５０５に働く力の増加は、案内機構２５４０をピボット回転させることができ、力の増加に応答してカム・ピボット・アーム２５７１を移動することができる。カム・ピボット・アーム２５７１の移動は、カム・アセンブリ２５７０を移動する（上で図３３を参照して説明したように）。この形で、案内機構２５４０のエンコーダ２５６１及びカム・アセンブリ２５７０のエンコーダ２５８７は、それぞれ案内機構２５４０及びカム・アセンブリ２５７０の状態の変化に関連する信号を電子システム２７００に送ることができる。
【０１２８】
[1180]  エンコーダ２５６１及び２５８７から信号を受信する際に、プロセッサは、カム・アセンブリ２５７０に関連する、メモリ内に含まれる命令のセットを実行することができる。例えば、プロセッサは、カム２５８０又は案内機構２５４０の位置、カム２５８０又は案内機構２５４０の速度及び加速度、又は類似物を判定することができる。案内機構２５４０及びカム・アセンブリ２５７０の構成の変化の判定に基づいて、プロセッサは、駆動系２３００及び／又は患者支持機構２５００の現在の状態を変更するために、第１駆動アセンブリ２３１０のモーター２３１１及び／又はウインチ・アセンブリ２５１０のモーター２５１１に信号を送ることができる。いくつかの例では、駆動系及び／又は患者支持機構２５００の状態の変化の大きさは、ｐｒｏｐｏｒｔｉｏｎａｌ−ｉｎｔｅｇｒａｌ−ｄｅｒｉｖａｔｉｖｅ（ＰＩＤ）制御に少なくとも部分的に基づく。そのような例では、電子システム２７００（例えば、プロセッサ又はプロセッサと通信している任意の他の電子デバイス）は、患者支持機構２５００の変化を判定し、ＰＩＤ制御に基づいて変化をモデル化する。モデル化の結果に基づいて、プロセッサは、駆動系２３００及び／又は患者支持機構２５００の変化の適切な大きさを判定することができる。
【０１２９】
[1181]  相対的に短い時間期間の後（例えば、１秒よりはるかに短く、例えばプロセッサの１つ又は少数のクロック・サイクルの後）に、プロセッサは、それぞれ駆動系２３００、ウインチ・アセンブリ２５１０、案内機構２５４０、及び／又はカム・アセンブリ２５７０の構成の変化に関連する信号を駆動系２３００のエンコーダ２４７０、ウインチ・アセンブリ２５１０のエンコーダ２５３７、案内機構２５４０のエンコーダ２５６１、及び／又はカム・アセンブリ２５７０のエンコーダ２５８７から受信することができる。この形で、プロセッサを含むがこれに限定されない、電子システム２７００内に含まれる電子デバイスのうちの１つ又は複数が、エンコーダ２４７０、２５３７、２５６１、及び２５８７に関連するフィードバックに関連する、メモリ内に記憶された命令のセットを実行する。従って、トロリ２１００の駆動系２３００及び患者支持機構２５００は、テザー２５０５に働く力の変化に応答し、駆動系２３００及び患者支持機構２５００の現在の状態及び／又は以前の状態に少なくとも部分的に基づいて、能動的に制御され得る。同様に述べると、支持システム２０００は、つまずくか他の理由で転倒した後に患者が倒れる量を能動的に減らすことができる。
【０１３０】
[1182]  患者支持システム２０００が、上では図２〜図３４を参照して、患者の体重の一部を能動的に支持するものとして説明されるが、いくつかの実施形態では、患者支持システムは、患者の体重の一部を受動的に（すなわち、能動的にではなく）支持することができる。図３５及び図３６は、一実施形態による部分免荷システム３９００を示す。部分免荷システム３９００（本明細書では「支持システム」とも称する）は、例えば歩行治療中、歩行トレーニング中、又は類似物中に患者の体重の一部を支持するのに使用され得る。支持システム３９００は、支持システム３９００の重量及び支持システム３９００を利用する患者の重量を支持するように構成された支持トラック（図示せず）に移動可能に結合され得る。支持トラックは、例えば、上で説明した支持トラック２０５０に類似するかこれと同一とすることができる。
【０１３１】
[1183]  支持システム３９００は、第１結合部分３９１０及び第２結合部分３９４０を含む。第１結合部分３９１０は、上で説明したように、支持トラックに移動可能に結合するように構成される。第１結合部分３９１０は、第１側面アセンブリ３９１１、第２側面アセンブリ３９２１、及び基部３９３０を含む。第１側面アセンブリ３９１１は、駆動輪３９１２のセット、案内輪３９１３のセット、外壁３９１４、内壁３９１５、及びカプラ３９１６のセットを含む。カプラ３９１６は、外壁３９１４及び内壁３９１５を一緒に結合するために、外壁３９１４と内壁３９１５との間に延びるように構成される。外壁３９１４は、基部３９３０にさらに結合される。駆動輪３９１２は、支持トラックの上面上に配置されるように構成された駆動輪３９１２の上側セット及び支持トラックの下面上に配置されるように構成された駆動輪３９１２の下側セットに配置される。この形で、駆動輪３９１２は、支持トラック（図３５及び図３６には図示せず）の水平部分に沿って転がる。案内輪３９１３は、駆動輪３９１２に対して相対的に垂直方位で配置され、支持トラックの垂直部分に沿って転がるように構成される（例えば、上で図３２を参照して同様に説明されるように。
【０１３２】
[1184]  第２側面アセンブリ３９２１は、駆動輪３９２２のセット、案内輪３９２３のセット、外壁３９２４、内壁３９２５、及びカプラ３９１６のセットを含む。第１側面アセンブリ３９１１及び第２側面アセンブリ３９２１は、実質的に同一であり、鏡像構成で配置される。従って、第２側面アセンブリ３９２１は、本明細書でさらに詳細には説明されず、明示的に説明されない限り、第１側面アセンブリ３９２１と同一と考えられなければならない。
【０１３３】
[1185]  図３６に示されているように、第２結合部分３９４０は、シリンダ３９４１、接続部材３９４５、ピストン３９５０、及びエネルギ貯蔵部材３９６０を含む。シリンダ３９４１は、基部３９３０に結合され、ばね３９６０及びピストン３９５０の少なくとも一部を収容するように構成される。より具体的には、シリンダ３９４１は、基部３９３０と反対の端部で開口部３９４２を規定し、この開口部３９４２を介して、少なくともピストン３９５０の第１端部３９５１が移動することができる。ピストン３９５０は、エネルギ貯蔵部材３９６０の一部と接触している第２端部３９５２をさらに有する。エネルギ貯蔵部材３９６０は、より低いポテンシャル・エネルギを有する第１構成とより高いポテンシャル・エネルギを有する第２構成との間で移動するように構成された任意の適切なデバイスとすることができる。例えば、図３６に示されているように、エネルギ貯蔵部材３９６０は、第２構成に移動される時に圧縮されるばねとすることができる。
【０１３４】
[1186]  接続部材３９４５は、ピストン３９５０の第１端部３９５１に結合される第１結合部分３９４６と、例えば患者が身に着けるハーネスに結合され得る第２結合部分３９４７とを含む。図３５及び図３６に示されているように、第２端部３９５２は、環状の突出部とすることができる。この形で、フック又は類似物などのハーネスの一部が、支持システム３９００に患者を結合するために第２結合部分３９４７によって規定される開口部内に少なくとも部分的に配置され得る。
【０１３５】
[1187]  使用中に、患者は、支持システム３９００が患者の体重の少なくとも一部を支持するように、支持システム３９００に結合され得る（上で説明したように）。この形で、患者は、支持トラック（図示せず）に関連する経路に沿ってウォークすることができる。支持システム３９００が患者に結合された状態で、患者の移動は、支持トラックに沿って支持システム３９００を移動する。同様に述べると、患者は、支持トラックに沿って支持システム３９００を引っ張る。いくつかの例では、患者が、ウォーキング中につまずき、これによって、支持システム３９００に働く力の量が増える場合がある。そのような例では、支持システム３９００に働く力の増加は、エネルギ貯蔵部材３９６０にその第１構成からその第２構成（例えば、圧縮）に向かって移動させるのに十分である可能性がある。この形で、ピストン３９５０は、シリンダ３９４１に対して相対的に移動することができ、エネルギ貯蔵部材３９６０は、支持構造３９００に働く力の増加の少なくとも一部を吸収することができる。従って、患者がつまずく場合に、支持システム３９００は、そうでなければ既知の受動支持システム３９００内で生じるはずの患者によって経験される衝撃を減衰させることができる。
【０１３６】
[1188]  支持システム３９００は、エネルギ貯蔵部材を含むものとして説明されるが、他の実施形態では、支持システム３９００がエネルギ貯蔵部材を含む必要はない。例えば、いくつかの実施形態では、支持システム３９００は、例えば上で図３４を参照して説明した接続機構２８００に結合され得る。この形で、接続機構２８００は、支持システム３９００に働く力の変化の少なくとも一部を減衰させるのに使用され得る。例えば、いくつかの例で、支持システム３９００に結合された患者がつまずき、これによって、支持システム３９００に働く力を増加させる場合がある。そのような例では、力の増加は、第１腕２８２０を第２腕２８４０に向かって移動し（例えば、図３４参照）、これによって、エネルギ貯蔵部材２８５０をその第２構成に向かって移動することができる。従って、力の増加の少なくとも一部が、接続機構２８００によって吸収され得る。
【０１３７】
[1189]  図２〜図３６には示されていないが、１つ又は複数の能動支持システム（例えば、支持システム２０００）及び／又は１つ又は複数の受動支持システム（例えば、支持システム３９００）が、同様の支持トラックの付近に配置され得、同時に利用され得る。例えば、図３７は、一実施形態による支持システム４０００の概略図である。支持システム４０００は、支持トラック４０５０、第１支持部材４１００、及び第２支持部材４９００を含む。支持システム４０００は、例えば歩行治療中（例えば、怪我の後）、歩行トレーニング中（例えば、低重力シミュレーション）、及び／又は類似物中に、１つ又は複数の患者の体重の少なくとも一部を支持するのに使用され得る。支持トラック４０５０は、第１支持部材４１００及び第２支持部材４９００の重量と、第１支持部材４１００及び／又は第２支持部材４９００を利用する患者の重量とを支持するように構成される。
【０１３８】
[1190]  図３７に示されているように、支持トラック４０５０は、閉ループ・トラックを形成することができる。支持トラック４０５０は、上で図２及び図３を参照して説明した支持トラック２０５０に類似するかこれと同一とすることができ、第１支持部材４１００は、上で図２〜図３３を参照して説明したトロリ２１００に類似するかこれと同一とすることができ、第２支持部材４９００は、上で図３５及び図３６を参照して説明した支持システム３９００に類似するかこれと同一とすることができる。この形で、第１支持部材４１００及び第２支持部材４９００は、上で詳細に説明したように、支持トラック４０５０からぶら下がることができる。
【０１３９】
[1191]  いくつかの実施形態で、第１患者（図３７には図示せず）は、第１支持部材４１００に結合され得、第２患者（図３７には図示せず）は、第２支持部材４９００に結合され得、両方の支持部材は、支持トラック４０５０から吊るされる。図３７に示されているように、第１支持部材４１００は、それに結合された第１患者の移動に応答して、矢印Ａの方向に移動することができる。同様に、第２支持部材４９００は、それに結合された第２患者の移動に応答して、矢印Ｂの方向に移動することができる。さらに詳説すると、第１支持部材４１００は、能動支持部材とすることができ、上で詳細に説明したように第１患者の移動に従って移動するように構成され得る。逆に、第２支持部材４９００は、受動支持部材とすることができ、上で詳細に説明したように、これに結合された第２患者によって移動され得る。
【０１４０】
[1192]  支持システム４０００は、第１支持部材４１００及び第２支持部材４９００を含むものとして図示され、説明されるが、他の実施形態では、支持システム４０００は、支持トラック４０５０に移動可能に結合された任意の適切な個数の支持部材を含むことができる。さらに、能動支持部材及び受動支持部材の任意の組合せが、支持システム４０００内に含まれ得る。例えば、能動支持部材（例えば、第１支持部材４１００）及び受動支持部材（例えば、第２支持部材４９００）を含むものとして図示されるが、他の実施形態では、支持システム４０００は、２つの能動支持部材、２つの受動支持部材、２つの能動支持部材及び２つの受動支持部材、又はその任意の他の適切な組合せを含むことができる。
【０１４１】
[1193]  図３７には示されていないが、支持システム４０００（すなわち、第１支持部材４１００及び／又は第２支持部材４９００）は、第１支持部材４１００と第２支持部材４９００との間の衝突の衝撃、力、又は影響を防ぎ、かつ／又は軽減するように構成された衝突管理システムを含むことができる。例えば、いくつかの実施形態では、第１支持部材４１００は、第２支持部材４９００に対する相対的な第１支持部材４１００の位置を感知するように構成されたセンサ（例えば、超音波近接センサ又は類似物）を含むことができる。従って、第１支持部材４１００と第２支持部材４９００との間の距離が、所定のしきい値（例えば、最小距離）に近づく時に、第１支持部材４１００内に含まれる電子システム（例えば、上で説明した電子システム２７００に類似するかこれと同一）は、１つ又は複数の駆動輪の回転速度を増加させ又は減少させるために駆動系（図示せず）に信号を送ることができる。従って、第１支持部材４１００及び第２支持部材４９００の衝突が、回避され得る。他の実施形態では、衝突管理システムは、第１支持部材４１００と第２支持部材４９００との間の衝突に関連する力を実質的に減少させるために、１つ又は複数の駆動輪の速度を増加させ又は減少させることができる。
【０１４２】
[1194]  第１支持部材４１００は、上では第２支持部材４９００に対する相対的な第１支持部材４１００の位置を感知するように構成されたセンサ及び／又は類似物を含むものとして説明されるが、他の実施形態では、支持システムは、その中に含まれる第１支持部材と第２支持部材との間の距離を実質的に維持し、かつ／又は衝突に関連する力又は衝突の尤度を他の形で下げるように構成された任意の適切な部材、デバイス、機構、アセンブリ、及び／又は類似物を含むことができる。他の実施形態では、支持システムは、第１支持部材と第２支持部材との間の直接接触を防ぐように構成される（例えば、その間に配置され、かつ／又は結合される）任意の適切な部材、デバイス、機構、アセンブリ、及び／又は類似物を含むことができ、かつ／又はこれに結合され得る。例えば、図３８〜図４０は、一実施形態による支持システム５０００を示す。支持システム５０００は、第１支持部材５１００、第２支持部材５１００’、衝突管理アセンブリ５０８０、及び支持トラック５０５０を含む。支持トラック５０５０は、支持トラック２０５０（上で図２及び図３を参照して説明した）及び／又は支持トラック４０５０（上で図３７を参照して説明した）に類似するかこれと同一とすることができる。第１支持部材５１００及び第２支持部材５１００’は、お互いに実質的に類似するものとすることができ、それぞれ、上で図２〜図３３を参照して説明したトロリ２１００に実質的に類似し又はこれと同一とすることができる。従って、第１支持部材５１００（例えば、第１トロリ）及び第２支持部材５１００’（例えば、第２トロリ）は、それぞれ、支持トラック５０５０からぶら下がる能動支持システムとすることができる。より具体的には、図３８に示されているように、支持トラック５０５０は、その回りに支持部材５１００及び５１００’の駆動機構が配置され得る水平部分５０５１及び垂直部分５０５２を含み、これによって、上で詳細に説明したように、支持部材５１００及び５１００’が、支持された患者の動きに応答して支持トラック５０５０の長さに沿って移動することを可能にする。従って、支持部材５１００及び５１００’の形態及び機能は、本明細書でさらには説明されない。
【０１４３】
[1195]  支持システム５０００の衝突管理アセンブリ５０８０は、第１支持部材５１００と第２支持部材５１００’との間に結合され、かつ／又は他の形で配置され得る。いくつかの実施形態では、衝突管理アセンブリ５０８０は、第１支持部材５１００又は第２支持部材５１００’に結合され得る。例えば、図３８に示されているように、衝突管理アセンブリ５０８０は、第１支持部材５１００に結合される結合部分５０９０と、支持トラック５０５０の回りに移動可能に配置されるトロリ部分５０８５とを含む。トロリ部分５０８５は、上で図３５を参照して説明した支持システム３９００の第１結合部分３９１０に形態及び／又は機能において実質的に類似するものとすることができる。従って、トロリ部分５０８５は、上で詳細に説明したように、支持トラック５０５０の水平部分５０５１又は垂直部分５０８２に沿って転がるように構成される車輪５０８６のセットを含む。
【０１４４】
[1196]  トロリ部分５０８５は、トロリ部分５０８５の表面から延びるバンパ５０８７のセットをも含む。いくつかの実施形態では、バンパ５０８７は、物体と接触して配置される時に力の少なくとも一部を吸収するように構成され得る相対的に弾力性のある材料（例えば、ゴム、シリコーン、ポリエチレン、ポリプロピレン、ポリウレタン、及び／又は共重合体を含む類似物、並びにその組合せ）から形成され得る。より具体的には、いくつかの例で、バンパ５０８７を物体（例えば、第２支持部材５１００’）に接触して配置するために支持トラック５０８５に沿ってトロリ部分５０８５を移動することのできる力が、働かされ得る。バンパ５０８７の配置は、バンパが物体と接触して配置される時に、支持トラック５０５０に沿ってトロリ部分５０８５を移動するために働かされる力の少なくとも一部が、バンパ５０８７によって吸収され、その変形（例えば弾性変形又は非永久変形）をもたらすようなものとすることができる。そのような例では、バンパ５０８７の変形は、バンパ５０８７を介して物体（例えば、第２支持部材５１００’）に伝送される力の一部が減らされ、これが、物体の一部への損傷及び／又はその疲労を軽減できるようなものとすることができる。同様に述べると、バンパ５０８７は、トロリ部分５０８５と物体（例えば、壁、支持部材、及び／又は類似物）との間の衝撃力の少なくとも一部を吸収できる材料から形成され得、かつ／又は他の形でこれを含むことができる。
【０１４５】
[1197]  上で説明したように、結合部分５０９０は、第１支持部材５１００の一部に結合される。より具体的には、結合部分５０９０の第１端部５０９２は、第１支持部材５１００の一部に回転可能に結合される。例えば、第１端部５０９２は、これによって第１アイレットがその回りで回転できる軸を規定する、例えばボルト、ピン、ポスト、及び／又は類似物を介して第１支持部材５１００の一部に結合され得る回転可能なアイレット又は類似物を含むことができる。同様に、結合部分５０９０の第２端部５０９４は、トロリ部分５０８５の一部に回転可能に結合され得る。従って、結合部分５０９０は、支持トラック５０５０に沿った第１支持部材５１００の移動が、トロリ部分５０８５を支持トラック５０５０に沿って移動するように、第１支持部材５１００とトロリ部分５０８５との間を結合し、又はその間のリンケージを他の形で形成することができる。例えば、結合部分５０９０は、支持トラック５０５０に沿った第１支持部材５１００の移動に関連する力の少なくとも一部をトロリ部分５０８５に伝送し、伝達し、かつ／又は他の形で働かせるように構成され得る。さらに、第１支持部材５１００及びトロリ部分５０８５への結合部分５０９０の回転可能な結合は、第１支持部材５１００が、図３８に示されているように実質的に非直線の支持トラックに沿ってトロリ部分５０８５を押すことができるようなものとすることができる。
【０１４６】
[1198]  結合部分５０９０は、任意の適切な部材、デバイス、及び／又は機構とすることができる。例えば、いくつかの実施形態では、結合部分５０９０は、トロリ部分５０８５と第１支持部材５１００との間で実質的に固定された距離を維持するように構成された実質的に剛体の棒又は類似物とすることができる。他の実施形態では、結合部分５０９０は、実質的に非剛体とすることができ、ここで、第１支持部材５１００とトロリ部分５０８５との間の距離は、変更され得る（すなわち、非固定とすることができる）。例えば、いくつかの実施形態で、結合部分５０９０の第１部分５０９１は、結合部分５０９０の第２部分５０９２に対して相対的に移動するように構成され得る。さらに、いくつかの実施形態で、結合部分５０９０は、そうでなければトロリ部分５０８５に働くはずの力（支持トラック５０５０に沿った第１支持部材５１００の移動に関連する）の少なくとも一部を吸収するように構成され得る。例えば、図３８〜図４０に示されているように、結合部分５０９０は、ピストン−シリンダ構成とすることができ、ここで、第１部分５０９１の領域（例えば、ピストン）は、第２部分５０９３（例えば、シリンダ）内に移動可能に配置される。さらに、エネルギ貯蔵部材５０９５（例えば、ばね又は類似物）が、図４０に示されているように結合部分５０９０の第２部分５０９３内に配置され得る。この形で、第２部分５０９３に対する相対的な第１部分５０９１の移動が、エネルギ貯蔵部材５０９５のポテンシャル・エネルギを増加させることができる。例えば、いくつかの実施形態で、エネルギ貯蔵部材５０９５は、第１部分５０９１が第２部分５０９３に対して相対的に移動される時に、実質的に圧縮されていない構成（すなわち、相対的により低いポテンシャル・エネルギ）から実質的に圧縮された構成（すなわち、相対的により高いポテンシャル・エネルギ）に推移され得るばねとすることができる。エネルギ貯蔵部材５０９５は、例えば約０．５インチ（０．５”）、約１”、約１．５”、約２”、約２．５”、約３”、約４”、約５”、約７”、約１０”、又はその間の任意の適切な距離若しくは分数まで、第１部分５０９１が第２部分５０９３に対して相対的に移動することを可能にするように構成され得る。従って、結合部分５０９０は、そうでなければ第１支持部材５１００とトロリ部分５０８５との間で伝達されかつ／又は伝送されるはずのエネルギ及び／又は力の少なくとも一部を吸収するように構成され得る。エネルギ貯蔵部材５０９５は、ばねであるものとして図示され、説明されるが、他の実施形態では、エネルギ貯蔵部材５０９５は、例えば圧縮可能な気体の体積及び／又は類似物など、任意の適切なデバイス、部材、及び／又は体積とすることができる。
【０１４７】
[1199]  使用中に、衝突管理アセンブリ５０８０は、第１支持部材５１００と第２支持部材５１００’との間の衝突を実質的に防ぐために支持システム５０００内に含められ得る（例えば、図３８参照）。同様に述べると、衝突管理アセンブリ５０８０は、第１支持部材５１００と第２支持部材５１００’との間の直接接触を実質的に防ぐために支持システム内に含められ得る。例えば、いくつかの例で、所定の最小距離及び／又は距離しきい値より大きい、第１支持部材５１００と第２支持部材５１００’との間の距離を維持することが望ましい可能性がある。この形で、衝突管理アセンブリ５０８０は、第１支持部材５１００及び第２支持部材５１００’が、お互いとは実質的に独立に支持トラック５０５０に沿って移動する時に、所定の最小距離及び／又は距離しきい値より大きい、その間の距離が維持されるように、第１支持部材５１００に結合され得る。例えば、いくつかの例で、第１支持部材５１００は、第２支持部材５１００’との間の距離が、トロリ部分５０８５のバンパ５０８７を第２支持部材５１００’の一部に接触して配置する範囲まで減らされるように、第２支持部材５１００’に対して相対的に移動することができる。従って、衝突管理アセンブリ５０８０は、第１支持部材５１００及び第２支持部材５１００’を最小距離より長い距離に維持し、これによって、その間の直接接触（すなわち、直接衝突）を防ぐことができる。さらに、バンパ５０８７及び結合部分５０９０の配置は、衝突管理アセンブリ５０８０が第２支持部材５１００’の一部と接触するようにされる時に、衝撃に関連する力の少なくとも一部が吸収される（例えば、バンパ５０８７が、変形されていない構成から変形された構成に推移され得、かつ／又はエネルギ貯蔵部材５０９５が、より低いポテンシャル・エネルギの構成からより高いポテンシャル・エネルギの構成に推移され得る）ようになっている。この形で、第１支持部材５１００及び／又は第２支持部材５１００’の加速度及び／又はジャーク（例えば、加速度の変化の割合）は、衝突管理アセンブリ５０８０が第２支持部材５１００’に接触するようにされる時に、素早くは変更されない。いくつかの例で、衝突管理アセンブリ５０８０が、第２支持部材５１００’に接触して配置された後に、第１支持部材５１００及び第２支持部材５１００’は、支持トラック５０５０に沿って実質的に一致して移動することができる。言い換えると、衝突管理アセンブリ５０８０が、第２支持部材５１００’に接触して配置される時に、衝突管理アセンブリ５０８０は、第１支持部材５１００、第２支持部材５１００’、及び衝突管理アセンブリ５０８０が支持トラック５０５０に沿って実質的に同一の速度で集合的に移動するように、第２支持部材５１００’を押すことができる。
【０１４８】
[1200]  いくつかの実施形態では、衝突管理アセンブリ５０８０並びに／又は支持部材５１００及び／若しくは５１００’の一部は、例えば、衝突管理アセンブリ５０８０に関連する１つ又は複数のパラメータを感知し、かつ／又は検出することのできる１つ又は複数のセンサ又は類似物を含むことができる。例えば、いくつかの実施形態では、衝突管理アセンブリ５０８０のトロリ部分５０８５は、例えば、バンパ５０８７が第２支持部材５１００’と接触して配置される時にトロリ部分５０８５の及び加速度を感知し、かつ／又は他の形で検出できる加速度計又は類似物などのセンサを含むことができる。いくつかの例では、センサは、例えば第１支持部材５１００の電子システムに、トロリ部分５０８５の加速度に関連する信号を送ることができる。従って、電子システムは、センサから受信された信号に少なくとも部分的に基づいて、第１支持部材５１００の１つ又は複数のシステム（例えば、駆動系又は類似物）を制御するように構成され得る。例えば、いくつかの例で、電子システムは、衝突管理アセンブリ５０８０のセンサから受信された情報に少なくとも部分的に基づいて、第１支持部材５１００の速度を下げることができる。
【０１４９】
[1201]  衝突管理アセンブリ５０８０は、第１支持部材５１００に結合され、第２支持部材５１００’に接触して配置されるものとして図示され、説明されるが（例えば、図３８参照）、他の実施形態では、衝突管理アセンブリ５０８０は、第２支持部材５１００’に回転可能に結合され、上で説明したものに類似する形で第１支持部材５１００と接触して配置され得る。さらに、第２支持部材５１００’は、第１支持部材５１００（すなわち、能動支持部材）に実質的に類似するものとして図示され、説明されるが、他の実施形態では、第２支持部材５１００は、例えば上で図３５及び図３６を参照して説明した支持システム３９００などの受動支持部材とすることができる。
【０１５０】
[1202]  支持システム５０００は、上では第１支持部材５１００と第２支持部材５１００との間の距離を実質的に維持する衝突管理アセンブリ５０８０を含むものとして説明されるが、他の実施形態では、支持システムは、支持部材と別の物体（例えば、第２支持部材、壁、及び／又は任意の他の障害物）との間の衝突に関連するエネルギの少なくとも一部を吸収するように構成された任意の適切な部材、デバイス、機構、アセンブリ、及び／又は類似物を含むことができる。例えば、図４１〜図４２は、一実施形態による支持システム６０００を示す。支持システム６０００は、支持トラック６０５０の回りに移動可能に配置された支持部材６９００を含む。支持トラック６０５０は、支持トラック２０５０（上で図２及び図３を参照して説明した）及び／又は支持トラック４０５０（上で図３７を参照して説明した）に類似するかこれと同一とすることができる。支持部材６９００は、上で図３５〜図３６を参照して説明した支持システム３９００に実質的に類似するものとすることができる。従って、支持部材６９００は、例えば、支持トラック６０５０からぶら下がる受動支持システムとすることができる。より具体的には、図４１及び図４２に示されているように、支持トラック６０５０は、支持部材６９００の駆動機構６９１０（例えば、上で説明した支持システム３９００の第１結合部分３９１０に類似するかこれと同一の）がその回りに配置され得、これによって、上で詳細に説明したように、支持部材６９００が、支持された患者の動きに応答して支持トラック６０５０の長さに沿って移動することを可能にする、水平部分６０５１及び垂直部分６０５２を含む。従って、支持部材６９００の形態及び機能は、本明細書でさらに詳細には説明されない。
【０１５１】
[1203]  図４１及び図４２に示されているように、支持部材６９００は、衝突板６０２０に結合され得、かつ／又は他の形でこれを含むことができる。衝突板６０２０（例えば、衝突管理アセンブリ又は衝突管理部材）は、任意の適切な形状、サイズ、又は構成とすることができる。例えば、衝突板６０２０は、実質的に円形の周辺を有するものとして図示されているが、他の実施形態では、衝突板は、正方形、長方形、楕円、長円、及び／又は類似物など、任意の適切な形状とすることができる。図４２に示されているように、衝突板６０２０は、支持部材６９００に接触する衝突板６０２０の表面が、支持トラック６０５０の水平部分６０５１に実質的に平行になるように、支持部材６９００の一部に結合され得る。さらに、図４１及び図４２には示されていないが、支持部材６９００の配置は、衝突板６０２０が駆動機構６９１０と結合部分（例えば、上で図３６を参照して説明した、支持システム３９００内に含まれる第２結合部分３９４０など）との間に配置されるようなものとすることができる。
【０１５２】
[1204]  図示されているように、衝突板６０２０は、支持部材６９００の周辺を超えて延びるように構成される。衝突板６０２０は、例えば木、ｍｅｄｉｕｍ  ｄｅｎｓｉｔｙ  ｆｉｂｅｒ（ＭＤＦ）、合板、及び／又は金属若しくはその合金（例えば、アルミニウム、アルミニウム合金、鋼、合金鋼など）など、実質的に剛体とすることのできる任意の適切な材料から形成され得、かつ／又はこれを含むことができる。他の実施形態では、衝突板６０２０は、例えば、ゴム、シリコーン、ポリエチレン、ポリプロピレン、ポリウレタン、ナイロン、及び／又は共重合体を含む類似物、並びに／あるいはその組合せなど、実質的に弾力性のあるものとすることのできる任意の適切な材料から形成され得、かつ／又はこれを含むことができる。衝突板６０２０は、図４１及び図４２に示されているように、周囲表面に結合され、かつ／又は周囲表面から延びるように他の形で構成されるバンパ６０２１を含む。バンパ６０２１は、任意の適切な形状、サイズ、及び／又は構成とすることができる。例えば、いくつかの実施形態では、バンパ６０２１は、例えば、発泡フォーム・ネオプレン、エチレン・プロピレン・ジエン・モノマ（ＥＰＤＭ）ゴム、エチレン酢酸ビニル（ＥＶＡ）フォーム、ポリプロピレン（ＰＰ）フォーム、高密度ポリエチレン（ＨＤＰＥ）フォーム、低密度ポリエチレン（ＬＤＰＥ）フォーム、直鎖状低密度ポリエチレン（ＬＬＰＤＥ）フォーム、及び／又は任意の他の適切な熱可塑性エラストマ（ＴＰＥ）フォーム、並びに／あるいは類似物から形成され得、かつ／又はこれを含むことができる。この形で、バンパ６０２１は、例えば衝撃に関連するエネルギの少なくとも一部を吸収するように構成され得る。例えば、いくつかの例で、支持部材６９００は、衝突板６０２０のバンパ６０２１が他の支持部材及び／又は他の物体に接触して配置されるまで、支持トラック６０５０に沿って別の支持部材及び／又は他の物体に対して相対的に移動することができる。より具体的には、支持部材６９００は、これに結合され、支持部材６９００を引きずり又は牽引する患者から生じる力に伴って支持トラック６０５０に沿って移動され得る（上で説明したように）。いくつかの例では、支持部材６９００は、支持部材６９００及び他の物体（例えば、第２支持部材又は類似物）が衝突する形で、支持トラック６０５０上の又はこれによって支持される別の物体に対して相対的に移動され得る。従って、衝突板６０２０が支持部材６９００に結合され、バンパ６０２１が支持部材６９００を超えて延びる状態で、バンパ６０２１は、他の物体に接触して配置され、衝突に関連する力の少なくとも一部に応答するバンパ６０２１の弾性変形をもたらす。従って、バンパ６０２１は、例えば、そうでなければ衝突から生じる可能性がある支持部材６９００及び／又は他の物体への損傷から保護し、かつ／又はこれを他の形で最小にするために、衝突に関連するエネルギの少なくとも一部を吸収することができる。
【０１５３】
[1205]  支持トラック４０５０は、実質的に閉ループ・トラックであるものとして図示され、上で説明されるが、他の実施形態では、支持トラックは、開ループ・トラックとすることができる。例えば、いくつかの実施形態では、支持トラックは、第２端部とは実質的に別個の第１端部を有することができる（すなわち、開ループ構成）。いくつかの実施形態では、そのような支持トラックは、例えば、支持トラックの端に達する前に、支持部材、支持システム、トロリなどの移動を実質的に制限するように構成され得るエンド・ストップ又は類似物を含むことができる。例えば、図４３及び図４４は、一実施形態による、トラック・ストップ（ｔｒａｃｋ  ｓｔｏｐ）７０６０を含む支持トラック７０５０を示す。支持トラック７０５０は、上で説明した支持トラック２０５０に実質的に類似するものとすることができる。従って、支持トラック７０５０は、水平部分７０５１及び垂直部分７０５２を含むことができ、例えばトロリ２１００及び／又は支持システム３９００などの支持システムを支持するように構成され得る。
【０１５４】
[1206]  トラック・ストップ７０６０は、トロリ部分７０６５及び結合部分７０７０を含む。トロリ部分７０６５は、上で図３８〜図４０を参照して説明した衝突管理アセンブリ５０８０内に含まれるトロリ部分５０８５に形態及び／又は機能において実質的に類似するものとすることができる。従って、トロリ部分７０６５は、上で詳細に説明したように、支持トラック７０５０の水平部分７０５１又は垂直部分７０５２に沿って転がるように構成される車輪７０６６のセットを含む。トロリ部分７０６５は、トロリ部分７０６５の表面から（例えば、支持トラック７０５０の端表面から離れて）延びる少なくとも１つのバンパ７０６７をも含む。いくつかの実施形態では、バンパ７０６７は、上で詳細に説明したように、物体と接触して配置された時に力の少なくとも一部を吸収するように構成され得る相対的に弾力性のある材料（例えば、ゴム、シリコーン、ポリエチレン、ポリプロピレン、ポリウレタン、及び／又は共重合体を含む類似物、並びにその組合せ）から形成され得る。バンパ７０６７の配置は、例えば支持部材と接触して配置された時に、支持トラック７０５０に沿って支持部材を移動するために働かされる力の少なくとも一部がバンパ７０６７によって吸収され、その変形（例えば、弾性変形又は非永久変形）をもたらし、この変形が、上で詳細に説明したように、支持部材の一部への損傷及び／又はその疲労を軽減できるようなものとすることができる。
【０１５５】
[1207]  結合部分７０７０は、図４３に示されているように、支持トラック７５０の端部及びトロリ部分７０６５の一部に結合される。より具体的には、取付けブラケット７０７５が、支持トラック７０５０の端部に結合され、支持トラック７０５０の結合部分７０７０に結合し、かつ／又は他の形でこれを取り付けるように構成される。結合部分７０７０は、任意の適切な部材、デバイス、及び／又は機構とすることができる。例えば、いくつかの実施形態で、結合部分７０７０は、ピストン−シリンダ・デバイス、ストラット、及び／又は類似物とすることができる。従って、結合部分７０７０は、第２部材７０７３（例えば、シリンダ）に対して相対的に移動され得る第１部材７０７１（例えば、ピストン）を含む。例えば、第１部材７０７１の少なくとも一部は、第２部材７０７３内に移動可能に配置され得る。より具体的には、第１部材７０７１の接続部材７０７２は、トロリ部分７０６５に回転可能に結合され（上で説明したように）、第１部材７０７１は、トロリ部分７０６５と実質的に同時に移動するように構成される。同様に述べると、接続部材７０７２は、トロリ部分７０６５が支持トラック７０５０に沿って移動される時に、第１部材７０７１が軸方向に移動されるように、第１部材７０７１をトロリ部分７０６５に回転可能に結合する。結合部分７０７０の第２部材７０７３は、取付けブラケット７０７５に固定して結合され、取付けブラケット７０７５は、支持トラック７０５０に対して相対的に実質的に固定された位置に第２部材７０７３を維持するように構成される。従って、支持トラック７０５０に沿ったトロリ部分７０６５の移動は、本明細書でさらに詳細に説明するように、結合部分７０７０の第１部材７０７１を第２部材７０７３に対して相対的に移動する。
【０１５６】
[1208]  図４４に示されているように、エネルギ貯蔵部材７０７４（例えば、ばね又は類似物）は、結合部分７０７０の第２部分７０９３内に配置され、少なくとも第１部材７０７１の表面と係合し、かつ／又はこれに接触するように構成される。この形で、第２部材７０７３に対する相対的な第１部材７０７１の移動は、エネルギ貯蔵部材７０７４のポテンシャル・エネルギを増加させることができる。例えば、いくつかの実施形態では、エネルギ貯蔵部材７０７４は、第１部材７０７１が第２部材７０７３に対して相対的に移動される時に、実質的に圧縮されていない構成（すなわち、相対的により低いポテンシャル・エネルギ）から実質的に圧縮された構成（すなわち、相対的により高いポテンシャル・エネルギ）に推移され得るばねとすることができる（図４４に示されているように）。エネルギ貯蔵部材７０７４は、例えば約０．５インチ（０．５”）、約１”、約１．５”、約２”、約２．５”、約３”、約４”、約５”、約７”、約１０”、又はその間の任意の適切な距離若しくは分数まで、第１部材７０７１が第２部材７０７３に対して相対的に移動することを可能にするように構成され得る。従って、結合部分７０７０は、本明細書でさらに詳細に説明するように、エネルギ及び／又は力の少なくとも一部を吸収するように構成され得る。エネルギ貯蔵部材７０７４は、ばねであるものとして図示され、説明されるが、他の実施形態では、エネルギ貯蔵部材７０７４は、例えば圧縮可能な気体の体積及び／又は類似物など、任意の適切なデバイス、部材、及び／又は体積とすることができる。
【０１５７】
[1209]  使用中に、トラック・ストップ７０６０は、支持部材及び／又はトロリ（図４３及び図４４には図示せず）が、支持トラック７０５０の長さに沿って移動する時にその端に達するのを実質的に防ぐために支持システム７０００内に含められ得る。例えば、支持部材は、支持トラック７０５０に沿って、端部に向かって、支持部材の一部がトロリ部分７０６５のバンパ７０６７に接触して配置される位置まで移動することができる。従って、支持部材は、バンパ７０６７を変形されていない構成から変形された構成に推移させることのできる力をバンパ７０６７に働かせ、これによって、力及び／又は運動エネルギの少なくとも一部を吸収する。さらに、支持部材の働かせる力は、トロリ部分７０６５を支持トラック７０５０に沿って移動させることができ、これは、結合部分７０７０の第１部材７０７１を結合部分７０７０の第２部材７０７３に対して相対的に移動させる。従って、第１部材７０７１がエネルギ貯蔵部材７０７４に接触した状態で、第２部分７０７２に対する相対的な第１部材７０７１の移動は、エネルギ貯蔵部材７０７４をより低いポテンシャル・エネルギ構成からより高いポテンシャル・エネルギ構成に推移させることができる。この形で、支持部材の加速度及び／又はジャーク（例えば、加速度の変化の割合）は、トラック・ストップ７０６０が支持トラック７０５０に沿った支持部材のさらなる移動を制限するので、素早くは変化しない。さらに、支持部材の働かせる運動エネルギ及び／又は力の少なくとも一部を吸収することによって、そうでなければ支持部材が「ハード・ストップ」（例えば、エネルギ吸収をほとんど又は全く伴わない停止機構）にぶつかることから生じる可能性がある支持部材への損傷。
【０１５８】
[1210]  トロリ２１００が、上では駆動系２３００のエンコーダ２４７０、案内機構２５４０のエンコーダ２５６１、及びカム・アセンブリ２５７０のエンコーダ２５８７を含み、これらが１つ又は複数のシステム・パラメータ（例えば、位置、速度、加速度など）を判定するのに集合的に使用されるものとして説明されるが、他の実施形態では、トロリ及び／又は類似物は、１つ又は複数のシステム・パラメータを判定するように構成された任意の適切なデバイス、機構、及び／又はシステムを含むことができる。例えば、図４５〜図４７は、一実施形態による光学追跡システム８７２０を含むトロリ８１００の概略図である。トロリ８１００（例えば、支持部材）は、上で図２〜図３３を参照して説明したトロリ２１００に実質的に類似し又はこれと同一とすることができる。従って、トロリ８１００は、支持トラック（図４５〜図４７には図示せず）からぶら下がる能動支持システムである。しかし、トロリ８１００は、本明細書でさらに詳細に説明するように、トロリ２１００とは異なり、光学追跡システム８７２０を含むことができる。
【０１５９】
[1211]  光学追跡システム８７２０は、少なくとも撮像デバイス８７２５及び追跡部材８８６０を含む。図４５に示されているように、追跡部材８８６０は、患者接続機構８８００に結合され、かつ／又はその中に含まれ得、患者接続機構８８００は、それ以外の点では上で図３４を参照して説明した患者接続機構２８００に実質的に類似するものとすることができる。患者接続機構８８００は、テザー８５０５によってトロリ８１００に動作可能に結合される。テザー８５０５は、上で図２７〜図３３を参照して説明した支持システム２５００内に含まれるテザー２５０５に実質的に類似し又はこれと同一とすることができる。追跡部材８８６０は、任意の適切な形状、サイズ、及び／又は構成とすることができる。例えば、いくつかの実施形態で、追跡部材８８６０は、実質的に球形又は楕円形の球とすることができる。図４５〜図４７には示されていないが、追跡部材８８６０は、光学追跡を容易にすることのできる表面仕上げを含むことができる。例えば、いくつかの実施形態で、追跡部材８８６０は、例えば、相対直線位置、相対角度位置、絶対位置、その他などの位置情報を識別するのに使用され得る色及び／又はパターンを有する表面を含むことができる。さらに、追跡部材８８６０の色、パターン、サイズ、形状、及び／又は類似物に関連する情報は、例えばトロリ８１００の電子システム（例えば、トロリ２１００（図４５〜図４７には図示せず）の電子システム２７００に実質的に類似する）内に含まれるメモリ内に記憶され得る。
【０１６０】
[1212]  光学追跡システム８７２０の撮像デバイス８７２５は、任意の適切な撮像デバイスとすることができる。例えば、いくつかの実施形態では、撮像デバイス８７２５は、別個の写真を撮り込むことができ、かつ／又はビデオ・ストリームを連続的に記録することができるカメラ及び／又は類似物とすることができる。撮像デバイス８７２５は、トロリ８１００に結合され、これに対して相対的に固定された位置関係に維持される。図４５〜図４７には示されていないが、撮像デバイス８７２５は、トロリ８１００の電子システムに動作可能に結合される。従って、撮像デバイス８７２５は、取り込まれた画像及び／又はビデオ・ストリームに関連するデータを表す信号を送るように構成され得、受信時に、電子システムは、例えばメモリ及び／又は類似物内にそのデータを記憶することができる。さらに、電子システムのメモリは、トロリ８１００の位置に対する相対的な、撮像デバイス８７２５又は撮像デバイス８７２５の一部（例えば、レンズ、アパーチャ、焦点位置、電荷結合素子（ＣＣＤ）センサ、相補形金属酸化膜半導体（ＣＭＯＳ）センサ、及び／又は類似物）の位置に関連するデータを記憶することができる。従って、トロリ８１００の電子システム並びにより具体的にはプロセッサ及び／又はモジュールは、例えば、撮像デバイス８７２５及び／又はトロリ８１００の一部に対する相対的な基準座標系を判定することができる。
【０１６１】
[1213]  いくつかの例では、撮像デバイス８７２５は、例えば歩行トレーニング及び／又は類似物中に使用されている間に、追跡部材８８６０の１つ又は複数の画像及び／又はビデオ・ストリームを取り込むのに使用され得る。例えば、図４６及び図４７に示されているように、光学追跡システム８７２０は、追跡部材８８６０の、従って患者接続機構８８００の第１位置Ｐ及び第２位置Ｐ’を判定するのに使用され得る。より具体的には、いくつかの例で、患者（図示せず）は、患者接続機構８８００に（例えば、上で説明したようにハーネス又は類似物を介して）結合され得、歩行トレーニング治療セッションを実行し、これによって、トロリ８１００に対して相対的に患者接続機構８８００を移動し、支持トラック（図４５〜図４７には図示せず）に沿ってトロリ８１００を移動することができる。使用中に、撮像デバイス８７２５は、例えば追跡部材８８６０の第１位置Ｐ及び第２位置Ｐ’を判定するために、追跡部材８８６０の１つ又は複数の画像及び／又はビデオ・ストリームを取り込むことができる。より具体的には、図４６に示されているように、撮像デバイス８７２５は、１つ又は複数の画像及び／又はビデオ・ストリームを取り込むことができ、１つ又は複数の画像及び／又はビデオ・ストリームに関連するデータを表す信号を、電子システム内に含まれるプロセッサ及び／又はモジュール（例えば、処理モジュール）に送ることができる。プロセッサ及び／又はモジュールは、例えば、画像を解析することができ、基準平面Ｒからの追跡部材８８６０の画像の距離Ｄ及び追跡部材８８６０の画像のサイズＳを計算することができる。計算された距離Ｄ及び計算されたサイズＳに少なくとも部分的に基づいて、プロセッサ及び／又はモジュールは、テザー８５０５の角度Ａ、テザー８５０５の長さＬ、及びトロリ８１００からの追跡部材８８６０の距離Ｈ（図４７）を判定し、かつ／又は計算し、これによって、追跡部材８８６０及び患者接続機構８８００の第１位置Ｐを判定することができる。同様に、患者が第１位置Ｐから移動する時に、撮像デバイス８７２５は、１つ又は複数の画像及び／又はビデオ・ストリームを取り込むことができ、新しい画像及び／又はビデオ・ストリームに関連するデータを表す信号をプロセッサ及び／又はモジュールに送ることができる。従って、プロセッサ及び／又はモジュールは、例えば、画像を解析することができ、基準平面Ｒからの追跡部材８８６０’の画像の第２距離Ｄ’及び追跡部材８８６０’の画像の第２サイズＳ’を計算することができる。計算された第２距離Ｄ’及び計算された第２サイズＳ’に少なくとも部分的に基づいて、プロセッサ及び／又はモジュールは、テザー８５０５’の第２角度Ａ’、テザー８５０５’の第２長さＬ’、及びトロリ８１００からの追跡部材８８６０’の第２距離Ｈ’（図４７）を判定し、かつ／又は計算し、これによって、追跡部材８８６０’及び患者接続機構８８００’の第２位置Ｐ’を判定することができる。
【０１６２】
[1214]  トロリ２１００が、上では駆動系２３００のエンコーダ２４７０、案内機構２５４０のエンコーダ２５６１、及びカム・アセンブリ２５７０のエンコーダ２５８７を含み、これらが１つ又は複数のシステム・パラメータ（例えば、位置、速度、加速度など）を判定するのに集合的に使用されるものとして説明され、トロリ８１００が、上では１つ又は複数のシステム・パラメータを判定するために光学追跡システム８７２０を含むものとして説明されるが、他の実施形態では、トロリ及び／又は支持システムは、エンコーダ・システム及び光学追跡システムの任意の適切な組合せを使用することができる。例えば、いくつかの実施形態では、トロリは、任意の個数のエンコーダ（例えば、駆動系、案内機構、及び／又はカム・アセンブリの）及び光学追跡システムからのデータを使用することができる。
【０１６３】
[1215]  トロリ２１００及び８１００は、上では患者の重量の少なくとも一部を支持するためにトロリ２１００及び８１００の動作条件を能動的に制御する電子システム（例えば、電子システム２７００）を含むものとして説明されるが、いくつかの実施形態では、トロリは、トロリの動作条件の制御に加えて、使用中の患者の歩行に関連する１つ又は複数の特性を判定できる電子システムを含むことができる。例えば、トロリ２１００及び／又は８１００などのトロリは、トロリの位置に関連する動作条件のセットを判定できるエンコーダ、センサ、及び／又は類似物のセットを含むことができる。具体的には、いくつかの実施形態で、トロリは、図１２〜図２６の駆動系２３００に類似する駆動系、図２７〜図３３の患者支持機構２５００に類似する患者支持機構、並びに図１０及び図１１の電子システム２７００に類似する電子システムを含むことができ、これらは、トロリに関連する動作条件のセットを判定するのに集合的に使用され得る。電子システムは、動作条件のセットに基づいて、使用中の患者の歩行に関連する１つ又は複数の特性を判定することができる。
【０１６４】
[1216]  例えば、いくつかの実施形態で、患者支持機構は、なかんずく、テザーに結合されたウインチ・アセンブリ、案内機構、及びカム・アセンブリを含むことができる。ウインチ・アセンブリは、エンコーダ（例えば、エンコーダ２５３７に類似する）を有することができ、案内機構は、エンコーダ（例えば、エンコーダ２５６１に類似する）を有することができ、カム・アセンブリは、エンコーダ（例えば、エンコーダ２５８７に類似する）を有することができる。同様に、駆動系は、エンコーダ（例えば、エンコーダ２４７０に類似する）を有することができる。電子システムは、少なくとも、駆動機構及び患者支持機構のエンコーダから１つ又は複数の信号を受信するように構成されたプロセッサ及びメモリを含むことができる。いくつかの実施形態では、電子システムは、追跡部材（例えば、追跡部材８８６０に類似する）の画像又はビデオ・ストリームを取り込むように構成された撮像デバイス（例えば、図４６及び図４７の撮像デバイス８７２５に類似する）をも含むことができる。
【０１６５】
[1217]  上で詳細に説明したように、患者支持システムを使用する患者がウォークし始める時に、駆動機構は、彼又は彼女の移動に応答して支持トラックに沿ってトロリを移動することができる。駆動機構のエンコーダは、駆動機構の動作に関連する１つ又は複数の特性を感知することができる。例えば、エンコーダは、支持トラックに対する相対的な駆動機構の位置、支持トラックに沿った駆動機構の並進速度、支持トラックに沿った駆動機構の並進加速度、１つ又は複数の車輪の回転速度、１つ又は複数の車輪の回転加速度、１つ又は複数の車輪の角度方位、モーターの速度及び／若しくは方向、モーターの少なくとも一部に関連する電圧、並びに／又は類似物を感知することができる。次に、上でトロリ２１００を参照して詳細に説明したように、エンコーダは、駆動機構の１つ又は複数の特性に関連する信号を電子システムに送ることができ、電子システムは、応答して、駆動機構の以前に定義された動作条件（例えば、メモリ又は類似物内に記憶された）に対する相対的な駆動機構の１つ又は複数の特性の変化に少なくとも部分的に基づいて、プロセッサに駆動機構の動作条件を判定させ、かつ／又は又は更新させることができる。
【０１６６】
[1218]  同様に、患者のウォーキングに応答して、ウインチ・アセンブリ、案内機構、及び／又はカム・アセンブリのエンコーダ（並びに、その中に含まれる場合に撮像デバイスのエンコーダ）は、患者支持機構の動作に関連する１つ又は複数の特性を感知し、かつ／又は判定することができる。例えば、いくつかの例で、患者が、トロリより速くウォークし、これによって、トロリに対する相対的なテザー及び案内機構の角度を変更する場合がある。案内機構のエンコーダは、案内機構の角偏向を感知することができ、案内機構の角度に関連する信号を電子システムに送ることができる。受信時に、電子システムは、プロセッサに、案内機構の動作条件を判定させ、かつ／又は更新させることができる。
【０１６７】
[1219]  いくつかの例で、患者の移動が、例えば、テザーの一部の長さを増加させる場合がある。従って、テザーの一部は、ウインチ・アセンブリ内に含まれるドラム又は類似物からほどかれ得る。より具体的には、患者がテザーに働かせる力の少なくとも一部が、ドラム又は類似物を回転させ、これが、テザーがほどかれること（すなわち、患者とウインチ・アセンブリとの間のテザーの一部の長さの増加）をもたらす可能性がある。ウインチ・アセンブリのエンコーダは、ウインチ・アセンブリの動作に関連する１つ又は複数の特性を感知することができる。例えば、エンコーダは、ドラムの角度位置、ドラムの回転速度、ドラムの加速度、ウインチ・アセンブリ内に含まれるモーターの速度及び／若しくは方向、ウインチ・アセンブリのモーターの少なくとも一部に関連する電圧、並びに／又は類似物を感知することができる。その後、上でトロリ２１００を参照して詳細に説明したように、エンコーダは、ウインチ・アセンブリの１つ又は複数の特性に関連する信号を電子システムに送ることができ、電子システムは、応答して、ウインチ・アセンブリの以前に定義された動作条件（例えば、メモリ又は類似物内に記憶された）に対する相対的なウインチ・アセンブリの１つ又は複数の特性の変化に少なくとも部分的に基づいて、プロセッサにウインチ・アセンブリの動作条件を判定させ、かつ／又は又は更新させることができる。いくつかの例では、ウインチ・アセンブリの更新された動作条件に少なくとも部分的に基づいて、プロセッサは、患者とウインチ・アセンブリとの間に配置されたテザーの一部の長さを判定することができる。いくつかの実施形態で、テザーは、患者がテザーに働かせる力を感知する（例えば、テザーの一部に沿った及び／又はその中の応力、張力、ひずみ、及び／又は類似物を測定することによって）ように構成されたロード・セル又は類似物に結合され得る。ロード・セルは、テザーに働く荷重（例えば、力）に関連する信号を電子システムに送るように構成され得、電子システムは、プロセッサに、患者の働かせる力を判定させることができる。
【０１６８】
[1220]  いくつかの例では、患者がテザーに働かせる力の量は、実質的に突然な形で増加し又は減少する場合がある。例えば、患者がつまずく場合に、テザーに働く力の量は、相対的に突然に増加する。そのような例では、テザーに働く力の増加は、案内機構をピボット回転させ、かつ／又はテザーの一部の長さを増加させる（上で説明したように）と同時に、カム・アセンブリ内に含まれるカム及び／又はカム・アームを回転させる（例えば、図３２及び図３３のカム機構２５７０を参照して説明したように）可能性がある。言い換えると、カム・アセンブリの少なくとも一部は、テザーの相対的に高速の移動及び／又は偏向に応答して回転するように構成され得る。カム・アセンブリのエンコーダは、例えば位置、速度、加速度、ジャーク、方位、アライメント、力、及び／又は類似物など、カム及び／又はカム・アームの移動に関連する１つ又は複数の特性を感知することができる。その後、上でトロリ２１００を参照して説明したように、カム・アセンブリのエンコーダは、カム・アセンブリの１つ又は複数の特性に関連する信号を電子システムに送ることができ、電子システムは、応答して、プロセッサに、カム・アセンブリの以前に定義された動作条件（例えば、メモリ内に記憶された）に対する相対的なカム・アセンブリの１つ又は複数の特性の変化に少なくとも部分的に基づいて、カム・アセンブルの動作条件を判定させ、かつ／又は更新させることができる。
【０１６９】
[1221]  駆動機構及び／又は患者支持機構の１つ又は複数の動作条件を定義し、判定し、かつ／又は更新することによって、電子システム（例えば、少なくとも電子システムのプロセッサ）は、患者支持システムを使用する患者の重量の少なくとも一部を支持するためにトロリを能動的に制御することができる。上で説明したように、いくつかの例で、駆動系及び／又は患者支持機構の動作条件の変化の大きさは、ｐｒｏｐｏｒｔｉｏｎａｌ−ｉｎｔｅｇｒａｌ−ｄｅｒｉｖａｔｉｖｅ（ＰＩＤ）制御に少なくとも部分的に基づく。そのような例では、電子システム（例えば、プロセッサ又はプロセッサと通信している任意の他の電子システム）は、患者支持機構の変化を判定し、ＰＩＤ制御に基づいて変化をモデル化することができる。モデル化の結果に基づいて、プロセッサは、駆動系及び／又は患者支持機構の動作条件の変化の適切な大きさを判定することができる。
【０１７０】
[1222]  例えば、図４８は、一実施形態による制御図を示す概略図である。この実施形態では、電子システム（上で説明した）は、テザーの一部の中及び／又はこれに沿った張力に少なくとも部分的に基づいて駆動系及び／又は患者支持機構を制御するように構成され得る。具体的には、看護師、技師、療法士、医師、内科医などが、目標テザー張力Ｔ＊（例えば、指令されたテザー張力）に関連する所定の値を定義することができる。指令されたテザー張力Ｔ＊が、例えばメモリ内に記憶された状態で、電子システムのプロセッサは、テザーの一部の中及び／又はこれに沿った実際の張力Ｔを指令されたテザー張力Ｔ＊と比較して、張力誤差を判定することができる。いくつかの例で、プロセッサは、その後、張力誤差に対して微分制御動作１０１を実行することができ、微分制御動作１０１の出力は、例えば、駆動系及び／又は患者支持機構内に含まれるモーターに関連するモーター及び駆動力学１０２を制御するためにモーター速度コマンドωＭ＊を判定するために、１つ又は複数の比例制御動作出力（下でさらに詳細に説明する）に加算され得る。
【０１７１】
[1223]  図４８に示されているように、比例制御動作１０３は、駆動系及び／又は患者支持機構内に含まれるモーターの実際のモーター速度ωＭに関連する値に対して実行され得る。さらに、実際のモーター速度ωＭは、例えば患者支持機構のカム・アセンブリに関連するばね機構力学１０４を制御するために、テザーの下向きの動き（例えば、患者の働かせる力に応答する）に関連する値Ｚと共に評価され得る。その結果、プロセッサは、（１）テザーの一部の中及び／又はこれに沿った実際の張力Ｔの更新された値と（２）カム除荷回転速度ωＣとを定義することができる。等価モーター速度が、カムの一部に関連する回転速度及び例えばウインチ・アセンブリのドラムに関連する回転速度を評価すること（図４８では符号１０５によって表される）によって判定され得る。比例制御動作１０６が、等価モーター速度に対して実行され得、その出力は、その後、比例制御動作１０３の出力に加算され得る。上で説明したように、比例制御動作１０３及び１０６の和は、モーター速度コマンドωＭ＊を定義するために微分制御動作１０１の出力に加算され得る。従って、この実施形態では、上で説明したように、電子システム（例えば、又は少なくともその中に含まれるプロセッサ）は、ＰＩＤ制御フィードバック・ループ及び／又は類似物に少なくとも部分的に基づいて、患者の移動に応答してトロリを制御することができる。
【０１７２】
[1224]  いくつかの場合に、電子システムは、駆動機構及び／又は患者支持機構の動作条件及び／又は動作条件の変化に少なくとも部分的に基づいて、患者の歩行に関連する１つ又は複数の特性を判定することができる。例えば、図４９は、一実施形態による患者の質量中心の変位を示すグラフ２００である。図示されているように、患者の質量中心は、歩行サイクル中にシフトし（例えば、約５センチメートル（ｃｍ）まで）、このシフトは、患者が患者支持システムを使用する時にテザーに働く力のシフト及び／又は変化をもたらす。例えば、患者の質量中心は、歩行サイクルの約５％及び約５５％で最も低い点（すなわち、患者がウォークしている表面に最も近い）にある可能性があり、これは、歩行サイクルの遊脚期の終りに対応する。患者の質量中心は、歩行サイクルの約３０％及び約８０％に最も高い点（すなわち、患者がウォークしている表面から最も遠い）にある可能性があり、これは、患者の質量中心が彼又は彼女の重量を支える脚を通過することに対応する。同様に、患者の質量中心は、図４９に示されているように、歩行サイクル中に横方向にシフトする可能性がある。患者の重量の少なくとも一部が患者支持機構によって支持される状態で、患者の質量中心のシフトは、患者の重量がテザーに働かせる力の対応するシフト及び／又は変化をもたらす。従って、駆動系及び／又は患者支持機構に関連する１つ又は複数の動作条件に基づいて、プロセッサは、患者の歩行に関連する特性のセットを判定することができる。
【０１７３】
[1225]  例えば、図５０〜図５３は患者の移動に応答する患者支持機構に関連する動作条件を示すグラフである。この例では、患者支持機構に関連する動作条件は、テザー位置及びカム・アセンブリ内に含まれるカムのカム角度に関係し、これらは、患者の歩行に関連する１つ又は複数の特性を判定するのに使用され得る。より具体的には、電子システムのプロセッサは、１つ又は複数のエンコーダ（例えば、ウインチ・アセンブリ、案内部材のエンコーダ、及び／又は任意の他の適切なエンコーダ）から受信された信号に基づいてテザー位置を判定することができ、例えばカム・アセンブリのエンコーダに基づいて、カム角度を判定することができる。
【０１７４】
[1226]  図５０に示されているように、テザー位置及びカム角度は、正常な又は健康な患者の歩行の相対的に遅い移動に応答してグラフ化されている。具体的には、グラフ３０１は、患者の歩行に応答する、カムに関連する位置を考慮に入れた又は考慮に入れないテザーの一部の位置を示し、グラフ３０２は、患者の歩行に応答するカムのカム角度を示し、グラフ３０３は、患者の歩行に応答するテザー位置の変化＋カム角度の変化を示し、グラフ３０４は、患者の歩行に応答するテザーに関連する速度及び加速度を示す。いくつかの例で、グラフ３０１内に示されたテザーの一部の位置は、患者の移動に相対的に遅い、徐々の、及び／又は実質的な変化に応答して変化することができるが、グラフ３０２に示されたカムのカム角度は、テザーの相対的に速い、突然の、及び／又は不意の移動に応答して変化する可能性がある。いくつかの例では、テザーの相対的に高速の移動に応答するカム角度の変化は、例えば、そうでなければテザー位置の判定を変更する可能性がある雑音又は類似物を減らすことができる。グラフ３０３に示されているように、テザー位置の変化及びカム角度の変化が判定され得、これらは、グラフ３０４に示されているように、テザー位置に関連する速度及び加速度を判定するのに使用され得る。さらに、テザー位置、速度、及び加速度を判定することによって、電子システムのプロセッサは、患者の歩行に関連する１つ又は複数の特性を判定することができる。例えば、いくつかの例で、健康な患者の歩行は、患者の左脚の移動と患者の右脚の移動とを比較する時に、実質的に対称の特性を有し、かつ／又は定義する可能性がある。従って、テザーの位置、速度、及び加速度を判定することによって、プロセッサは、例えば、歩数、移動距離、歩長、速度、左脚及び右脚に関連する歩行特性の間の差、及び／又は任意の他の適切な特性などの歩行特性を判定することができる。
【０１７５】
[1227]  同様の形で、図５１は、正常な又は健康な患者の歩行の相対的に速い移動に応答するテザー位置及びカム角度を示すグラフを示す。具体的には、グラフ４０１は、患者の歩行に応答する、カムに関連する位置を考慮に入れた又は考慮に入れないテザーの一部の位置を示し、グラフ４０２は、患者の歩行に応答するカムのカム角度を示し、グラフ４０３は、患者の歩行に応答するテザー位置の変化＋カム角度の変化を示し、グラフ４０４は、患者の歩行に応答するテザーに関連する速度及び加速度を示す。図５０及び図５１からわかるように、患者の移動に関連する速度は、テザー位置及びカム角度の異なる応答をもたらす可能性がある。従って、電子システムのプロセッサは、患者の相対的に速い歩行に関連する任意の適切な歩行特性を判定することができ、この歩行特性は、患者の相対的に遅い歩行に関連する対応する歩行特性とは異なる可能性がある。
【０１７６】
[1228]  図５０及び図５１のグラフは、正常な又は健康な患者の歩行に対する相対的なテザー位置及びカム角度を示すが、図５２及び図５３は、障害を有する患者の歩行、具体的には脚の一方を引きずることをもたらす障害を有する患者の歩行に対する相対的なテザー位置及びカム角度を示す。例えば、図５２では、グラフ５０１は、障害を有する患者の歩行に対する相対的なカムに関連する位置を考慮に入れた及び考慮に入れない、テザーの一部の位置を示し、グラフ５０２は、障害を有する患者の歩行に対する相対的なカムのカム角度を示し、グラフ５０３は、障害を有する患者の歩行に対する相対的なテザー位置の変化＋カム角度の変化を示し、グラフ４０４は、障害を有する患者の歩行に対する相対的なテザーに関連する速度及び加速度を示す。同様に、図５３では、グラフ６０１は、障害を有する患者の歩行の分回し移動に対する相対的なカムに関連する位置を考慮に入れた及び考慮に入れない、テザーの一部の位置を示し、グラフ６０２は、障害を有する患者の歩行の分回し移動に対する相対的なカムのカム角度を示し、グラフ６０３は、障害を有する患者の歩行の分回し移動に対する相対的なテザー位置の変化＋カム角度の変化を示し、グラフ６０４は、障害を有する患者の歩行の分回し移動に対する相対的なテザーに関連する速度及び加速度を示す。
【０１７７】
[1229]  図５２及び図５３からわかるように、患者に歩行中に一方の脚を引きずらせる障害は、障害を有しない患者の歩行から生じるテザー位置及びカム角度の応答に対して相対的により一貫性のない、不意の、及び／又は他の形でより不規則なテザー位置及びカム角度の応答をもたらす。いくつかの例で、障害を有する患者の歩行から生じるテザー位置の位置、速度、及び／又は加速度は、障害を有しない患者の歩行から生じるテザー位置の位置、速度、及び／又は加速度と比較され得る。従って、電子システムのプロセッサは、障害を有する患者の歩行の特性を判定し、予測し、かつ／又は他の形で解析することができ、この特性は、治療処方計画、治療進捗レポート、診断方法、及び／又は類似物を定義するのに使用され得る。
【０１７８】
[1230]  いくつかの例で、患者支持システム（及び／又は本明細書で説明される患者支持システムのいずれか）は、患者の歩行に関連する特性を判定し、供給し、かつ／又は定義するように構成された任意の他の適切なデバイスに関連して使用され得る。いくつかの例で、駆動機構及び／又は患者支持機構の１つ又は複数の動作条件の解析は、例えば障害を有する患者の歩行を改善するように構成された電気刺激装置に関連するデータの解析に関連して使用され得る。例えば、患者支持システムは、その開示全体が参照によって本明細書に組み込まれている、２０１４年４月４日に出願した米国特許公告第２０１４／０３０３７０５号、名称「Ｏｒｔｈｏｓｉｓ  ｆｏｒ  ａ  Ｇａｉｔ  Ｍｏｄｕｌａｔｉｏｎ  Ｓｙｓｔｅｍ」に記載されたものなど、下垂足又は類似物を経験する患者の歩行を容易にするように構成された電気刺激装置を身に着けた患者を支持するのに使用され得る。図５４に示されているように、電気刺激装置は、電気刺激装置及び／又は障害を有する患者の歩行に関連する１つ又は複数の動作条件を定義することができる。例えば、図５４に示されているように、電気刺激装置は、前への動き若しくは後への動き、横の動き、全体的な動き（例えば、横の動きと前への動き若しくは後への動きとの組合せ）、及び／又は踵接地（ｈｅｅｌ  ｏｎ）事象若しくは踵離地事象に関連する圧力を感知し、かつ／又は判定することができる。この例では、グラフ７０１は、電気刺激装置の動作に関連する加速度を示し、グラフ７０２は、電気刺激装置の動作に関連する速度を示し、グラフ７０３は、電気刺激装置の動作に関連する回転を示し、グラフ７０４は、電気刺激装置の動作に関連する角度を示す。
【０１７９】
[1231]  いくつかの実施形態では、電気刺激装置は、その動作条件のうちの１つ又は複数に関連する信号を患者支持システムの電子システムに送ることができる。従って、プロセッサは、駆動系及び／又は患者支持機構並びに電気刺激装置から受信したデータに基づいて、障害を有する患者の１つ又は複数の歩行特性を判定することができる。例えば、図５５は、患者支持システム及び電気刺激装置に関連するデータに少なくとも部分的に基づいて判定された（上で詳細に説明したように）患者の歩行特性のセットのグラフ表現を示す。具体的には、グラフ８０１は、患者の歩行中の遊脚及び接地の持続時間を示し、グラフ８０２は、患者の歩行の遊脚対接地比を示し、グラフ８０３は、患者の歩行の歩調を示し、グラフ８０４は、患者の脚の一方又は両方に関連する、前可動域（ＲＯＭ）及び横ＲＯＭを示し、グラフ８０５は、患者の脚の一方又は両方に関連する前対横比を示し、グラフ８０６は、患者の歩行の歩長及び高さを示す。従って、患者支持システム及び任意の他の適切なデバイスに関連する動作条件は、患者の歩行の１つ又は複数の特性を判定するのに使用され得る。さらに、電子システムは、患者の歩行の１つ又は複数の特性に関連するデータを出力する命令を示す信号を任意の適切な出力デバイス（例えば、モニタ、ラップトップ、パーソナル・コンピュータ、ハンドヘルド・コントローラ、スマートフォン、及び／又は類似物）に送るように構成され得る。
【０１８０】
[1232]  上で説明したように、本明細書で説明される患者支持システム及び／又は部分免荷システムのいずれもが、そのシステムを使用する間の患者の歩行の解析を容易にするのに使用され得、かつ／又は他の形で容易にすることができる。例えば、いくつかの実施形態で、患者支持システムは、患者の歩行に関連するデータを判定し、そのデータをディスプレイ上でグラフィカルに及び／又は英数字的に表すために、電子デバイス（例えば、パーソナル・コンピュータ、ラップトップ、タブレット、スマートフォン、コントローラ、リモート・ディスプレイ、ワークステーション、サーバ、及び／又は類似物）と共に使用され得る。患者支持システムは、例えば、トロリ速度、移動距離、テザー長、カム角度、体重除荷、経過時間、及び／又は任意の他の適切なデータ・セットを判定するために、トロリ追跡及び動的体重エンジン、モジュール、プロセッサ、コンピュータ・デバイス、その他を含むことができる。
【０１８１】
[1233]  さらに、本明細書で説明されるものなどの患者支持システムが、例えば、電気刺激装置システム又は、任意の他の適切な電気データ収集システム及び／若しくは電子データ収集システムと共に使用される時に、患者支持システムは、例えば踵接地事象若しくは踵離地事象及び／又は他の歩行相に関連する信号をそのような電気システム又は電子システムから受信し、かつ／又はこれに送るように構成され得る。従って、いくつかの例で、本明細書で説明される患者支持システムは、ステップ持続時間、ステップ長、ウォーキング速度、歩行パターンの対称レベル（左／右）、及び／又は任意の他の適切な歩行特性を計算し、かつ／又は判定することができる。さらに、本明細書で説明される患者支持システムは、計算され、かつ／又は判定された歩行特性のグラフ表現、数値表現、及び／又は英数字表現をディスプレイ上に提示させる１つ又は複数の信号を（例えば、有線通信又は無線通信を介して）、例えば電子デバイスに送ることができる。他の例では、患者支持システムは、患者支持システムの１つ又は複数の動作条件に関連するデータを電子デバイスに送ることができる。そのような例では、電子デバイスは、患者支持システムから受信したデータに少なくとも部分的に基づいて、歩行特性を計算し、かつ／又は定義することができる。さらに、電気刺激装置は、患者の歩行に関連するデータを実質的に患者支持システムと同時に電子デバイスに送ることができる。他の例では、電気刺激装置は、患者の歩行に関連するデータを患者支持システムに送ることができ、患者支持システム（例えば、その中に含まれるプロセッサ、モジュール、又は計算デバイス）は、患者支持システムに関連するデータ及び電気刺激装置に関連するデータを集計することができ、集計されたデータ・セットを電子デバイスに送ることができる。
【０１８２】
[1234]  いくつかの実施形態では、患者支持システム及び／又はこれと通信している電子デバイスは、１つ又は複数の所定の運動、ルーチン、検査、及び／又は類似物に関連するデータを記憶するメモリ及び／又は少なくとも１つのモジュールを含むことができる。例えば、メモリ及び／又はモジュールは、患者のウォーキングの能力を追跡し、その改善を助けるために、患者の現在の及び／又は以前の歩行検査又は歩行解析を解析するために運動のセットに関連するデータを含むことができる。いくつかの例で、患者支持システム及び／又はこれと通信している電子デバイスは、運動、ルーチン、検査、及び／又は類似物に関連するデータをグラフ的に表現することができる。
【０１８３】
[1235]  例えば、図５６は、非対称運動に関連するデータのグラフ表現を示すスクリーンショット９０１である。非対称運動のスクリーンショット９０１は、患者の垂直非対称（ある側より反対側により大きく傾くこと）及び彼又は彼女の水平非対称（ステップ持続時間の間の差）を視覚的に示す。図示されているように、対称は、位置対称棒グラフ並びにラジオ・ダイヤル内に表示され得、この位置対称棒グラフ及びラジオ・ダイヤルは、例えば変化するテザー位置及びウォーキング速度のヒストリを示すリアル・タイム・グラフによって補足され得る。非対称検査中及びその後に、患者支持システム及び／若しくは電子デバイスは、平均ウォーキング速度、最小ウォーキング速度、及び／若しくは最大ウォーキング速度、垂直対称及び／若しくは水平対称、並びに／又は類似物に関連するデータがディスプレイ上でグラフ的に表現されるように、信号又は命令を送ることができる。
【０１８４】
[1236]  別の例として、図５７は、ｔｉｍｅｄ−ｕｐ−ａｎｄ−ｇｏ（ＴＵＧ）運動に関連するデータのグラフ表現を示すスクリーンショット９０２である。ＴＵＧ運動のスクリーンショット９０２は、患者が座位から立ち上がり、所定の距離をウォークし、座るのに要する時間に関連する、患者支持システム及び／又は電子デバイスによって定義されたデータをグラフ的に表現することができる。ＴＵＧ運動中及びその後に、患者支持システム及び／又は電子デバイスは、ＴＵＧトレーニング運動中の平均速度、最小速度、及び／又は最大速度に関連するデータがディスプレイ上でグラフ的に表現されるように、信号又は命令を送ることができる。さらに、患者支持システム及び／又は電子デバイスは、起立、ウォーキング、及び着座のプロセスのヒストリ、テザー位置（上で詳細に説明したように、患者支持システムの患者支持機構内に含まれる）、及び／又は時間持続時間、並びに運動中のウォーキング速度を示すリアル・タイム・グラフなど、データをディスプレイ上にグラフ的に表現させることができる。時間持続時間に少なくとも部分的に基づいて、転倒リスク（例えば高又は低）が、患者に関して判定され得る。さらに、ＴＵＧ運動に関連するデータは、患者の以前のＴＵＧ運動からのヒストリカル・データ（例えば、メモリ内に記憶された）と比較され得、これによって、臨床医又は療法士が患者の歩行の改善を保持することを可能にする。
【０１８５】
[1237]  別の例として、図５８は、ｔｉｍｅｄ−ｄｉｓｔａｎｃｅ運動に関連するデータのグラフ表現を示すスクリーンショット９０３である。例えば、ユーザ（例えば、臨床医及び／又は患者）は、固定距離（例えば、１０メートル）又は固定時間（例えば、２分）のいずれかを選択することができる。その後、患者は、その距離又はその時間だけウォークし、患者支持システム及び／又は電子デバイスは、患者のパフォーマンスを判定し、かつ／又は定義することができる。固定距離に関して、ｔｉｍｅｄ−ｄｉｓｔａｎｃｅ運動は、歩行速度及び持続時間を判定することができる。固定時間に関して、ｔｉｍｅｄ−ｄｉｓｔａｎｃｅ運動は、合計移動距離及び／又は歩行速度を判定することができる。患者支持システム及び／又は電子デバイスは、移動距離及びウォーキング速度、平均ウォーキング速度、最小ウォーキング速度、及び／若しくは最大ウォーキング速度、並びに／又は類似物を示すリアル・タイム・グラフなどのデータをディスプレイ上でグラフ的に表現させることができる。
【０１８６】
[1238]  上で説明したように、運動、ルーチン、検査、その他に関連するすべてのデータは、例えばメモリ内に保存され得、運動後解析のために再生され、かつ／又は他の形で提示され得る。さらに、任意の所与の運動に関連するデータは、ベースラインとして保存され得、従って、患者の歩行の改善を示すために将来の運動に対して比較するのに使用され得る。いくつかの例では、歩行速度、距離、時間、立ち上がる時間、座る時間、歩調、対称インデックス、又は類似物、並びにＰｅｒｒｙ  Ａｍｂｕｌａｔｏｒｙ  Ｃａｔｅｇｏｒｙ、Ｆｕｎｃｔｉｏｎａｌ  Ａｍｂｕｌａｔｉｏｎ  Ｃａｔｅｇｏｒｙ、及び／又は転倒リスクを含む所与の運動の詳細を提供するために、レポートが、定義され（例えば、患者支持システム及び／又は電子デバイスによって）、ディスプレイ上でグラフ的に表現され得る。
【０１８７】
[1239]  患者支持機構及び／又は電子デバイス（又は、その中に含まれるプロセッサ、モジュール、計算デバイスなど）は、例えばテザー位置、カム角度、ウォーキング速度、モーター速度、踵接地事象若しくは踵離地事象（及び／又は他の歩行相）、及び／又は類似物に関連するデータに基づいて、運動、ルーチン、検査、又は類似物を実行するように構成され得る。いくつかの例で、患者支持機構及び／又は電子デバイスは、例えば、患者の歩行の垂直対称を判定するために、２つの踵事象の間のテザー（すなわち、上で詳細に説明したように、患者支持機構内に含まれる）の位置の変化を判定することができる。いくつかの例で、データは、歩行パターン及び／又は歩行特性を判定するために、直線テザー位置及び／又はカム角度（例えば、線分グラフ）と、テザー位置及び／又はカム角度（直線長さに変換される）のその導関数（例えば、傾き又は変化の速度）との両方に基づくものとすることができる。
【０１８８】
[1240]  判定された歩行パターンに基づいて、患者支持機構及び／又は電子デバイスは、線分グラフ又は導関数グラフとしてグラフ的に表現され得る、歩行事象に関連するピーク及び／又は谷を判定することができる。いくつかの例では、患者支持機構及び／又は電子デバイスは、例えば、線分グラフ及び／又は導関数グラフを正規化するのに中点論理（ｍｉｄｐｏｉｎｔ  ｌｏｇｉｃ）を使用することができる（例えば、グラフ・オフセットを除去する、又は類似物）。いくつかの例で、グラフのピーク及び谷（例えば、データの極小値及び／又は極大値）は、踵接地事象又は踵離地事象を判定するために使用され得る。異なる所定の歩行パターン（例えば、正常なウォーカーに関する第１カテゴリ及び病気のウォーカーに関する第２カテゴリ）に基づいて、ピーク及び谷が、異なって定義され、かつ／又は判定され得る。例えば、正常なウォーカーに関して、谷（局所的に最短のテザー位置）は、歩行の立脚中期（両脚支持）付近である可能性がある。逆に、病気のウォーカーに関して、谷は、ステップ中である可能性がある。
【０１８９】
[1241]  ピーク及び谷が、それぞれの踵接地事象又は踵離地事象に関連付けられた後に、以前のステップのテザー位置と現在のステップのテザー位置との間の差が、テザー位置の変化を定義する（例えば、右ステップと左ステップとの間の垂直対称差又は２つの後続ステップの間の差を判定する）ために判定され得る。以前のステップの経過時間及び現在のステップの経過時間も、ステップ持続時間の変化を定義する（例えば、水平対称を判定する）ために判定され得る。
【０１９０】
[1242]  患者支持システムが、上では歩行パターン及び／又は歩行特性を判定するために１つ又は複数の動作条件を使用するものとして説明されるが、他の例では、患者支持システムの１つ又は複数の動作条件は、部分免荷の所定のレベル又は所定の量に対する相対的な部分免荷の現在のレベル又は現在の量を判定するのに使用され得る。いくつかの実施形態では、患者支持システム（「支持システム」）は、テザーに関連する特性に基づいて部分免荷の所定の量を提供する（又は、所定の形及び／若しくは事前にプログラムされた形で部分免荷を提供する）ようにプログラムされ、かつ／又はセットされ得る。例えば、いくつかの実施形態で、支持システムは、例えばテザーの所定の伸延及び／又は事前定義の伸延の後に（例えば、患者の転倒又は部分的転倒に応答して）、患者に支持を提供するように構成され、かつ／又はプログラムされ得る。言い換えると、支持システムは、患者が所定のしきい値を超えて転倒した後に、患者の体重の少なくとも一部を支持するように構成され、かつ／又はプログラムされ得る。
【０１９１】
[1243]  例えば、図５９及び図６０は、それぞれ、支持システム、より具体的には「転倒予防」構成、セッティング、インターフェース、及び／又は類似物に関連するデータのグラフ表現を示すスクリーンショット９０４及び９０４Ａである。上で説明したように、いくつかの例で、支持システムは、患者が転倒し又は転倒し始めることに応答するテザーの伸延に基づいて、患者の体重の少なくとも一部の支持を提供するように構成され得る。いくつかの実施形態で、例えば、支持システム及び／又はその中に含まれるエレクトロニクス・アセンブリは、テザーの初期長さ（例えば、患者及び／又はユーザが静止し、かつ／又は転倒しつつあるのではない時の）を判定し、定義し、かつ／又は計算するように構成され得る。患者及び／又はユーザがウォーキングを開始する時に、エレクトロニクス・アセンブリは、現在のテザー長に関連するデータを１つ又は複数のセンサ、エンコーダ、及び／又は類似物から受信することができる。いくつかの例で、患者、ユーザ、療法士、及び／又はトレーナは、支持システムが患者に支持を提供する前にテザーの長さが増加され得るしきい量に対応する転倒限界（例えば、判断基準又はしきい値）をセットすることができる。言い換えると、ユーザ、療法士、トレーナなどは、支持システムが支持を提供する前にユーザが転倒できる転倒許容範囲及び／又は最大距離をセットすることができる。
【０１９２】
[1244]  図５９及び図６０に示されているように、いくつかの実施形態で、デフォルト転倒限界及び／又はテザーの伸延のデフォルトしきい量は、例えば約４インチとすることができる。テザーの長さが、しきい値を超えて増やされた後（例えば、患者及び／又はユーザが転倒限界を超えて降下（転倒）した後）に、支持システムは、テザーがロックされ得、かつ／又は追跡システム又は駆動系が非アクティブ化される支持構成（例えば、支持構成又は転倒予防構成）に推移することができる。いくつかの例で、患者、ユーザ、及び／又は臨床医は、例えば図６０のスクリーンショット９０４Ａに示されたグラフィカル・インターフェースにかかわることによって、転倒限界及び／又はしきい値を調整することができる（例えば、１つ又は複数のオンスクリーン・ボタンを押すことによって、並びに／又は所定の転倒限界、しきい値、及び／若しくは判断基準を他の形で選択することによって）。図示されているように、調整される値、限界、及び／又はしきい値は、グラフィカル・インターフェース上に提示され得る（例えば、テキスト内又は１つ若しくは複数の画像を介して）。
【０１９３】
[1245]  いくつかの実施形態では、例えば、転倒限界及び／又はしきい値は、約１．０インチと約３６．０インチとの間であり得る。そのような実施形態では、転倒限界に１．０インチをセットすることは、支持システムが最高レベルの支持を提供する（例えば、患者の支持を開始する前に最小量の転倒を許容する）ようなものとすることができ、転倒限界に３６．０インチをセットすることは、支持システムが、最低レベルの支持を提供する（例えば、患者の支持を開始する前に最大量の転倒を許容する）ようなものとすることができる。いくつかの実施形態では、転倒限界及び／又はしきい値は、約１．０インチの増分によって調整され得る。他の実施形態では、調整増分は、１．０インチより大きい又は１．０インチより小さいものとすることができる。いくつかの例で、転倒限界及び／又はしきい値は、支持システムが使用中である間又は使用の間に調整され、かつ／又は変更され得る。さらに、いくつかの例で、支持システム及び／又はエレクトロニクス・アセンブリは、例えば患者接続機構の高さを計算し、かつ／又は判定するように構成され得、高さに関連するデータは、ディスプレイ上でグラフ的に表現され得る。例えば、図５９及び図６０に示されているように、テザー、患者、及び／又は患者接続機構の高さは、転倒限界及び／又はしきい値に対して相対的に、棒グラフ又は類似物上でグラフ的に表現され得、これは、ユーザのパフォーマンス又は類似物の実質的にリアル・タイムの視覚化を可能にすることができる。
【０１９４】
[1246]  いくつかの実施形態では、管理者又はユーザは、患者接続機構（例えば、上で図３４を参照して説明した患者接続機構２８００）の所定の及び／又は所望の高さに対応する初期テザー長又は類似物をプログラムし、かつ／又はセットすることができる。より具体的には、ユーザ又は管理者は、例えば高さ、重量などの患者情報を入力し、かつ／又は供給することができる。ユーザの高さに基づいて、支持システムは、テザー及びユーザが身に着けるハーネスに接続された時の患者接続機構の所定の及び／又は所望の高さ又は位置（例えば、ｙ方向の）を計算するように構成され得る。この形で、患者接続機構の所定の及び／又は所望の位置（例えば、中立位置又は「ゼロ点」）は、例えば、患者接続機構の現在位置がそれと比較され得る基準点又は類似物とすることができる。例えば、患者接続機構がゼロ点より高い場合に、支持のレベル又は量が下げられ得（例えば、テザーの張力の量を減らし、かつ／又はテザーのより多くの「たるみ」を他の形で許容するために）、かつ／又は患者支持システムが、新しいゼロ点を定義するためにリセットされ得る。逆に、患者接続機構がゼロ点より低い場合には、支持のレベル又は量が増やされ得る（例えば、テザーの張力の量を増やし、かつ／又はテザーのたるみの量を他の形で減らすために）。
【０１９５】
[1247]  いくつかの例で、支持システムは、使用中にゼロ点を調整し、かつ／又は更新するように構成され得る。例えば、いくつかの例で、テザー長（又は患者接続機構の高さ）の変化の量、テザー長の変化の速度、及び／又はゼロ点に対する相対的な変化の合計持続時間の評価は、高度の変化を有する表面又は類似物に沿って患者がウォークすることを可能にすることができる。例えば、いくつかの例で、支持システム（又はその電子システム）は、高さの変化の相対的に低い速度に応答して、及び／又は変化が高さが時間の相対的に長い持続時間にわたる時に、ゼロ点又は基準点を調整し、かつ／又は更新することができる。そのような例では、例えば、支持システムは、患者が高度の変化を有する表面に沿ってウォークしていると判定することができ、従って、「ゼロ点」又は基準点を動的に又は能動的に調整し、かつ／又は更新することができる。そのような条件の下で、支持システムは、テザー長の変化の量が転倒限界に達し、かつ／若しくは超える前に、ゼロ点を調整し、かつ／又は更新するように構成され得、あるいは、変化の量が転倒限界に達し、かつ／若しくは超えた後でゼロ点を調整し、かつ／又は更新することができる。他の例では、支持システムは、高さの変化が相対的に高い速度である時及び／又は高さの変化が相対的に短い時間にわたる時に、テザー長の変化の量が転倒限界に達し、かつ／又は超えることに応答して、支持を提供することができ、かつ／又は支持構成に推移することができる。言い換えると、支持システムは、患者が、高度の変化を有する表面に沿って移動しているのではなく転倒しつつあると支持システムが判定する時に、支持を提供することができ、かつ／又は支持構成に推移することができる。
【０１９６】
[1248]  支持システムは、上では距離又はテザーの一部の長さ（例えば、転倒限界又は転倒許容範囲）に基づく転倒予防システム及び／又は転倒予防方法を含み、かつ／又は実施するものとして説明されるが、他の実施形態では、支持システムは、支持システムの任意の適切な特性及び／又はパラメータに基づく転倒予防システム及び／又は転倒予防方法を含み、かつ／又は実施することができる。例えば、いくつかの例で、支持システムは、支持システムを「能動身体制御モード」に配置する際に動作可能な入力をユーザ及び／又は臨床医から受信するように構成され得る。いくつかの例で、例えば、支持システム及び／又はエレクトロニクス・アセンブリは、支持システムを「距離」又は「転倒限界モード」（例えば、図６０参照）から「能動身体制御モード」（例えば、図６１参照）に切り替える際に動作可能な入力を受信することができる。すなわち、いくつかの実施形態では、エレクトロニクス・アセンブリのプロセッサは、支持システムを「転倒限界モード」又は「能動身体制御モード」に配置するために命令のセット及び／又はコード（例えば、メモリ内に記憶された）を実行するように構成され得る。
【０１９７】
[1249]  いくつかの実施形態では、能動身体制御モードは、例えばテザーの長さの変化の速度（例えば、テザーの速度）に基づいて患者の体重の一部を動的に支持するように構成され得る。いくつかの例で、テザーの長さの変化の速度に基づいて、支持すべき体重の量を判定することは、支持の量をテザーの長さのみに基づかせる時より広い可動域を可能にすることができる。さらに、上で「距離」モードを参照して説明したように、支持システムは、支持システムの応答を改善し、かつ／又は調整するために、速度の変化の持続時間を評価するように構成され得る。
【０１９８】
[1250]  図６１に示されているように、いくつかの実施形態で、支持システムは、「最小」レベルの支持（最低レベルの転倒予防を提供するように構成される）、「中」レベルの支持（最小レベルより高い、適度な量又は中レベルの転倒予防を提供するように構成される）、又は「最大」レベルの支持（中レベルより高い、最高レベルの転倒予防を提供するように構成される）を提供するようにプログラムされ、かつ／又はセットされ得る。他の実施形態では、支持システムは、３つを超えるレベルの支持（例えば、４つ、５つ、６つ、７つ、８つ、９つ、１０個、又はより多くのレベルの支持）を提供するように構成され得る。
【０１９９】
[1251]  上で説明したように、支持のレベルは、所定の時間にわたるテザー長の変化の速度に基づくものとすることができる。すなわち、支持のレベルは、テザー長（又は患者接続機構の高さ）の変化の速度及びテザー長の変化の全体的な持続時間（時間）の関数とすることができる。いくつかの例で、患者支持システムは、例えばカム・アセンブリ及び／又はウインチ・アセンブリに関連する動作条件に基づいてテザーの長さの変化の速度を判定するように構成され得る。いくつかの例で、テザー長の変化の相対的に高い速度（カム・アセンブリ、ウインチ・アセンブリ、及び／又は支持システムの任意の他の適切な部分の動作条件によって判定される）は、患者の転倒を示す可能性があり、従って、患者の体重の一部を能動的に支持するために、支持システムが支持システム（例えば、トロリ）の１つ又は複数の動作条件を更新することをもたらすことができる。
【０２００】
[1252]  いくつかの例で、転倒予防システム及び／又は転倒予防方法を「最大」量の支持にセットすることは、支持システムが、テザーの長さの変化の相対的に低い速度に応答して支持を提供する（例えば、相対的に低い速度判断基準及び／又はしきい値）ようなものとすることができる。いくつかの例で、転倒予防システム及び／又は転倒予防方法を「適度な」量の支持にセットすることは、支持システムが、システムが「最大」量の支持にセットされた時の変化の速度より高いテザーの長さの変化の速度に応答して支持を提供するようなものとすることができる。他の例で、転倒予防システム及び／又は転倒予防方法を「最小」量の支持にセットすることは、支持システムが、システムが「適度な」量の支持にセットされた時の変化の速度より高いテザーの長さの変化の速度に応答して支持を提供するようなものとすることができる。さらに、テザー長の変化の持続時間を評価し、かつ／又は判定することによって、支持システムは、例えば、テザー長の変化の速度が、ユーザがウォーキング又はランニングの速度を変更した結果、ユーザが座位から立位に立ち上がった結果、ユーザが転倒した結果、その他であるのかどうかを判定するように構成され得る。
【０２０１】
[1253]  いくつかの例で、転倒予防及び／又は支持のレベルは、変化の速度の持続時間に少なくとも部分的に基づくものとすることができる。例えば、いくつかの例で、テザー長の変化の速度が所定のしきい値に達し、かつ／又は超える時に、支持システムは、テザー長の変化の持続時間を判定するように構成され得る。いくつかの例で、転倒予防システムを「最大」支持レベルにセットすることは、持続時間に関連する許容範囲及び／又はしきい値が、転倒予防システムが「最小」支持レベルにセットされる時の持続時間に関連する許容範囲及び／又はしきい値より小さくなるようなものとすることができる。従って、支持システムは、所定の持続時間にわたるテザー長（又は患者接続機構の高さ）の変化の速度の増加に応答して、支持を提供するように構成され得、かつ／又は支持構成に推移するように構成され得る。
【０２０２】
[1254]  いくつかの実施形態で、支持システムは、所定のプログラム及び／又はメトリック（例えば、ｔｉｍｅｄ−ｕｐ−ａｎｄ−ｇｏ  ｔｅｓｔ、ｓｉｔ−ｔｏ−ｓｔａｎｄ  ｔｅｓｔ、所定の最小ウォーキング速度、所与の時間内の転倒の所定の回数など）に対する患者及び／又はユーザのパフォーマンスに基づいて支持のレベルを更新するように構成され得る。支持のレベルは、療法士、管理者、及び／又はユーザによって手動で更新され得る。他の例では、ユーザ又は管理者が、判断基準又は類似物（例えば、転倒の回数など）のセットを定義することができる、この判断基準又は類似物のセットは、満足される場合に、支持システムが支持の量を自動的に更新する（例えば、支持の量又はレベルを増加させ又は減少させる）ことをもたらす。さらに、いくつかの例で、支持システム及び／又は転倒予防システムは、各検査に関連するデフォルト・モード又は類似物を有することができる。例えば、いくつかの例で、支持が「距離」モードではなくテザーの長さの変化の速度に基づくように、転倒予防システムを「能動身体制御」モードに自動的に配置することが望ましい場合がある。
【０２０３】
[1255]  いくつかの実施形態では、支持システムは、患者接続機構をゼロ点に配置するために、転倒又は類似物の後にシステムを「リセット」するように構成され得る。例えば、いくつかの例で、支持システム及び／又は転倒予防システムは、図６３のスクリーンショット９０５によって示されるように、「自動回復」を含むことができ、かつ／又は実行することができる。そのような例では、システムは、ユーザが転倒した後にデフォルト・セッティング及び／又は以前のセッティング（例えば、所定の及び／又はデフォルトのテザー長）にリセットするように構成され得る。さらに、いくつかの例で、支持システムは、転倒又は類似物の後に、ユーザが回復する（例えば、立ち上がる）時に支持を提供することができる。
【０２０４】
[1256]  転倒予防システムは、上ではテザー長の変化の量、テザー長の変化の速度、及びテザー長の変化の持続時間に基づくものとして説明されるが、他の例では、転倒予防システムは、使用不能にされ、一時停止され、オフに切り替えられ、その他を行われ得る。例えば、戻って図６２を参照すると、スクリーンショット９０４Ｃは、「使用不能」モードの転倒予防システムを示す。そのような例では、例えば歩行前アクティビティ及び／又は使用前アクティビティを実行する時に、転倒予防システムを「使用不能」モードに配置することが望ましい場合がある。
【０２０５】
[1257]  上で詳細に説明したように、支持システム及び／又はトロリは、トロリがユーザ又は患者の実質的に頭上の位置に維持されるように、１つ又は複数のシステム・パラメータ及び／又は動作条件を調整するように構成され得る。いくつかの例で、トロリの駆動系は、例えばテザー又は案内機構（例えば、案内機構２５４０）の角度に基づいて、ユーザ又は患者の実質的に頭上にトロリを維持するために、支持トラックに沿ってトロリを移動するように構成され得る。いくつかの実施形態で、支持システムは、支持トラックの軸に垂直な方向での患者移動を考慮に入れることもできる。すなわち、支持システムは、歩行中の横の患者移動及び／又は動揺を考慮に入れるように構成され得る。
【０２０６】
[1258]  いくつかの実施形態で、トロリ及び／又はその少なくとも一部は、支持トラックの長さに沿った移動に加えて、左右の動き（横の動き）で移動するように構成され得る。例えば、いくつかの実施形態で、トロリ及び／又は案内機構は、トロリ及び／又は案内機構がそれぞれ横方向に移動する（トロリが支持トラックの軸に沿って移動する時又はトロリが支持トラックの軸に沿った静止位置にある時に）ことを可能にするように構成された１つ又は複数のスライド、懸架部材、及び／又は類似物を有することができる。この形で、トロリ又はその一部は、患者及び／又は患者接続機構の実質的に頭上の位置にテザーを維持するために、２自由度を伴って移動することができる（例えば、９０°の角度で又はトロリから実質的に垂直に延びる）。
【０２０７】
[1259]  他の実施形態では、トロリ及び／又はその一部は、左右の動き（横の動き）の量を感知し、かつ／又は判定するように構成された１つ又は複数のセンサ、エンコーダ、ジャイロスコープなどを含むことができる。例えば、いくつかの例で、案内機構又は類似物は、２つの軸の回りでピボット回転するように構成され得、各軸の回りのピボット位置、速度、及び／又は加速度を感知し、かつ／又は判定するように構成された１つ又は複数のセンサ、ジャイロスコープ、エンコーダなどを含むことができる。言い換えると、案内機構は、前後の移動（ピボット回転）並びに左右の移動（ピボット回転）を可能にすることができ、各方向での移動を感知し、かつ／又は検出するように構成された１つ又は複数のセンサ又は類似物（例えば、２自由度センサ又は類似物）を含むことができ、かつ／又はこれに動作可能に結合され得る。従って、各方向でのテザー及び／又は案内機構の角度位置、角速度、及び／又は角加速度が、判定され、かつ／又は感知され得、センサ又は類似物から受信されるデータは、患者支持システムの１つ又は複数の動作条件を判定し、かつ／又は更新するために、他のセンサ及び／又はエンコーダ（上で説明した）からのデータと一緒に使用され得る。
【０２０８】
[1260]  上で説明したように、支持システムは、任意の適切な個数のセンサ、エンコーダ、ジャイロスコープ、変換器（例えば、力変換器）、及び／又は類似物（本明細書では集合的に「センサ」と称する）を含むことができる。支持システムの電子システムは、センサからデータを受信することができ、所定の及び／又は所望のレベル又は量のユーザ又は患者の支持を提供するために、支持システムの１つ又は複数の動作条件を判定し、かつ／又は更新することができる。いくつかの例で、センサから受信されたデータは、所定の及び／又は標準的な値又はレベルと比較され得、その間の誤差は、動的な及び／又は能動的な部分免荷の量を判定するのに使用され得る。
【０２０９】
[1261]  患者支持システム及び／又は部分免荷システムのいずれもが、患者の歩行又は歩行トレーニング中に使用されるように構成された任意の他の適切なデバイスに関連して使用され得、かつ／又はこれを含むことができる。いくつかの実施形態で、そのようなデバイスは、副トレーニング・デバイス、電子デバイス若しくはコンピュータ、整形若しくは歩行支援デバイス、移動するプラットフォーム、表面、若しくは通路（例えば、トレッドミル又は類似物）、及び／又は任意の他の適切なデバイスとすることができる。例えば、患者支持システムは、カメラ、赤外線のエミッタ及び受信器、可視光の光源及びセンサ、磁気センサ、フォース・プレート及び／若しくはプレッシャ・プレートと力センサ及び／若しくは圧力センサと、並びに／又は類似物を含むことができる。いくつかの実施形態で、患者支持システムは、例えば、患者がそれに沿って歩くべき所定のトラック又は経路に関連するデータのグラフィカル表現を投影するように構成されたプロジェクタを含むことができる。いくつかの例で、そのようなプロジェクタは、一時停止標識、方向標識、その回りでウォークすべき障害物、その他などの画像を投影することができる）。さらに、いくつかの例では、プロジェクタによって表面に投影された目標位置に達する患者は、患者パフォーマンス・スコアを判定するのに使用される値又は類似物（例えば、相対的に高い値）に関連付けられ得る。その一方で、障害物を回避できないこと及び／又はプロジェクタによって表面に投影された所定の経路に従えないことは、値、スコア、及び／又は類似物（例えば、相対的に低い値）に関連付けられ得る。いくつかの例で、そのようなプロジェクタは、ウォークする患者のホログラムを投影することができ、その結果、患者は、正面又は背後のいずれかから、ウォークする彼ら自身を見られるようになる。
【０２１０】
[1262]  いくつかの実施形態で、患者支持システム及び／又は部分免荷システムは、ユーザ（又は患者）が任意の適切な表面に沿ってウォークし、かつ／又はその表面に対して他の形で相対的に移動する間に使用され得る。いくつかの例で、例えば、ユーザは、ユーザが立ち、ウォークし、走るなどを行う時にユーザの足の下で静止ししている表面に沿ってウォークし、かつ／又はその表面に対して相対的に移動することができる。そのような静止表面は、例えば、床、地面、プラットフォーム、及び／又は任意の他の適切な表面とすることができる。さらに、静止表面は、実質的に平坦とすることができ、あるいは、上り勾配又は下り勾配（例えば、段のセット、傾斜路など）とすることができる。他の例では、ユーザは、ユーザが立ち、ウォークし、走るなどを行う時にユーザの足の下で静止していない表面に沿ってウォークし、かつ／又はその表面に対して相対的に移動することができる。言い換えると、本明細書に記載の患者支持システム及び／又は部分免荷システムは、ユーザが表面（ユーザが移動し、ウォークし、走るなどを行う時にユーザの足の下で移動する）に対して相対的に移動し、かつ／又はその表面の上でウォークする時にユーザの重量の少なくとも一部を支持するのに使用され得る。移動する表面は、例えば、トレッドミルの移動する表面（ベルト）、移動するバランス・プラットフォーム、及び／又は類似物などの任意の表面とすることができる。
【０２１１】
[1263]  ユーザがトレッドミルの移動する表面上にいるか、これに対して相対的に移動する時に支持システムがユーザを支持する実施形態では、患者支持システムの電子デバイスは、トレッドミルの１つ又は複数の動作条件に関連するデータを受信することができ、トレッドミルを利用するユーザに歩行トレーニングを提供し、ユーザの１つ又は複数の歩行特性を定義し、歩行トレーニング又は１つ若しくは複数のトレーニング・セッションに関連するデータ及び／又は情報の解析を提供し、かつ／あるいは類似物を行うために、トレッドミルに関連するデータ及び患者支持システムの動作条件に関連するデータを使用することができる。さらに、患者支持システム及び／又は任意の適切な電子デバイスは、トレッドミル、患者支持システム、及び／又は１つ若しくは複数の歩行トレーニング・セッションに関連するデータ及び／又は情報をデバイスのディスプレイ上でグラフ的に表現するように構成され得る。
【０２１２】
[1264]  例えば、図６４〜図６９は、それぞれ、トレッドミルに関連して使用される支持システムに関連するデータのグラフ表現を示すスクリーンショット９１０〜９１５である。図６４〜図６６に示されているように、患者支持システム及び／又は電子デバイスは、例えば、動作モード、動的除荷の量又はレベル、支持を提供する前のテザー長の最大変化、任意の適切なセッション・データ又は情報（例えば、合計走行時間、移動距離、ウォーキング速度、転倒の回数又は予防された転倒の回数、テザー位置など）、及び／又は任意の他の適切なデータなど、トロリに関連するデータを提示することができる。いくつかの例で、例えば、患者支持システム及び／又は電子デバイスは、それぞれ図５９及び図６０に示されたスクリーンショット９０４及び９０４Ａによって表されるデータに類似するデータをグラフ的に表現することができる。
【０２１３】
[1265]  トロリに関連するデータに加えて、支持システム及び／又は電子デバイスは、トレッドミルに関連するデータをグラフィックに表現するように構成され得る。例えば、スクリーンショット９１０（図６４）、９１１（図６５）、９１２（図６６）、及び９１３（図６７）に示されているように、支持システム及び／又は電子デバイスは、トレッドミルに関連するデータ及び／又は制御をグラフィックに表現することができる。いくつかの例で、ディスプレイ上でグラフィックに表現されるデータは、ユーザが、例えばベルト速度、上り勾配、及び／又は類似物など、トレッドミルの１つ又は複数の動作セッティングを選択し、かつ／又は制御することを可能にするユーザ・インターフェースを提供することができる。他の例では、ユーザは、例えば、トロリとのトレッドミルのペアリング又は同期を開始し、トレッドミルの動作を開始し、停止し、又は一時停止し（緊急停止を含む）、ベルトの方向を変更し、ベルト又はトレッドミルの上り勾配又は下り勾配を変更し、及び／あるいは類似物を行うことができる。いくつかの例で、支持システム及び／又は電子デバイスは、トレッドミルの１つ又は複数の動作条件に関連するデータに基づいてトロリの１つ又は複数の動作条件を制御し、その逆を行うように構成され得る。例えば、いくつかの例で、支持システム及び／又は電子デバイスは、トロリの１つ又は複数の動作条件に関連するデータに基づいてユーザが転倒したと判定することに応答して、トレッドミルを停止させる（例えば、ベルトの運動を停止させる）ように構成され得る。例えば、いくつかの例で、トロリ（及び／又はトロリと通信している電子デバイス）は、ユーザがテザーに働かせる力の急な若しくは突然の変化及び／又はテザーの少なくとも一部の長さの急な若しくは突然の増加に少なくとも部分的に基づいて、ユーザが転倒したと判定することができる。従って、いくつかのそのような例では、支持システム、電子デバイス、及び／又はコントローラは、ユーザが転倒したとの判定に基づいて、トレッドミルの動作を停止させ又は一時停止させるように構成され得る。さらに、システムは、ユーザが転倒から回復した（例えば、望まれる立位、ウォーキング位置、又は中立位置にある）との判定に応答して、トロリの動作又は運動を再開することができる。
【０２１４】
[1266]  いくつかの実施形態で、トロリ及びトレッドミルに関連するデータをグラフィックに表現するように構成された電子デバイスは、トロリとトレッドミルとの両方を制御する同一の電子デバイスとすることができる。そのような実施形態では、電子デバイスは、１つ又は複数のセンサ、モーター、コントローラなどから信号を受信することができ、そのような信号を介して受信されたデータに対して１つ又は複数のプロセスを実行することができる。他の実施形態では、電子デバイスは、電子デバイス若しくはトロリのコントローラから受信された１つ又は複数の信号に基づいて、かつ／又は電子デバイス若しくはトレッドミルのコントローラから受信された１つ又は複数の信号に基づいて、トロリ及びトレッドミルに関連するデータ及び／又は情報をグラフィックに表現するように構成され得る。言い換えると、いくつかの実施形態で、電子デバイスは、支持システムの１つ又は複数の構成要素からの１つ又は複数の解析された又は少なくとも部分的に処理されたデータ・セットを受信し、集計するように構成され得、集計されたデータをディスプレイ上でグラフィックに表現することができる。言い換えると、本明細書で説明される支持システムのいずれもが、支持システムの１つ又は複数の構成要素を制御するように構成された集中化された電子デバイス及び／又はコントローラを含むことができ、あるいは、電子デバイス及び／又はコントローラの非集中化されたネットワーク又は分散ネットワークを含むことができる。さらに、支持システムが電子デバイス及び／又はコントローラの非集中化されたネットワーク又は分散ネットワークを含む実施形態では、支持システムは、支持システムの１つ又は複数の構成要素から受信されたデータを集め、かつ／又は集計し、そのような集められ又は集計されたデータをディスプレイ上でグラフィックに表現するように構成された少なくとも１つの電子デバイス及び／又はコントローラを含むことができる。
【０２１５】
[1267]  上で説明したように、支持システム及び／又はこれと通信している電子デバイスは、支持システム（例えば、トロリ）及び支持システムと共に使用されている任意の適切なデバイス（例えば、トレッドミル）に関連するデータに基づいて、ユーザの歩行に関連する１つ又は複数の特性を判定し、かつ／又は定義するように構成され得る。例えば、図６８に示されたスクリーンショット９１４は、ユーザ・セッション又は類似物に関連するデータ及び／又は情報を提供できるセッション要約の例である。そのようなデータ及び／又は情報は、例えば、セッションの日付及び時刻、合計トレーニング時間、最小、最大、及び／又は平均のウォーキング速度、最小、最大、及び／又は平均の除荷又は支持の量、合計移動距離、転倒の総数又は予防された転倒の総数、並びに／又は任意の他の適切なデータ及び／若しくは情報を含むことができる。さらに、ユーザ又は臨床医は、セッション・データに関連付けられ、かつ／又はこれと共に記憶され得るメモ、情報、データ、及び／又は入力を供給することができる。図６９のスクリーンショット９１５によって示されるように、支持システム及び／又は電子デバイスは、１つ又は複数のユーザ・セッションに関連するデータを表現する１つ又は複数のグラフ、プロット、チャートなどを定義し、表示するようにも構成され得る。例えば、図６９に示されているように、支持システム及び／又は電子デバイスは、１つ若しくは複数のセッション中のユーザ転倒プロファイル、ユーザの速度及び距離のグラフ、並びに／又は１つ若しくは複数のユーザ・セッションに関連するデータの任意の他の適切なグラフ、チャート、及び／若しくは表現を示すグラフを定義し、表示することができる。
【０２１６】
[1268]  患者支持システム及び／又は部分免荷システムのいずれもが、本明細書で説明されるものなどの任意の適切なトラック及び／又はパワー・レールと共に使用され得る。いくつかの実施形態で、患者支持システムは、これに移動可能に結合されたトロリの切替、方向転換、及び／又は方向変更を可能にするように構成されたトラック及び／又はパワー・レールを含むことができる。例えば、図７０は、第１トラック部分９６２０Ａ、第２トラック部分９６２０Ｂ、第１パワー・レール部分９０５０Ａ、及び第２パワー・レール部分９０５０Ａを示す。この実施形態では、第１トラック部分９６２０Ａ及び第２トラック部分９６２０Ｂは、お互いに垂直に配置される。同様に、第１パワー・レール部分９０５０Ａ及び第２パワー・レール部分９０５０Ｂは、お互いに垂直に配置される。
【０２１７】
[1269]  図７０に示されているように、ターンテーブル９６２５は、第３トラック部分９６２０Ｃ及び第３パワー・レール部分９０５０Ｃを含む。ターンテーブル９６２５は、矢印ＡＡによって示されるように、トラック部分９６２０Ａ及び９６２０Ｂとパワー・レール部分９０５０Ａ及び９０５０Ｂとに対して相対的に回転されるように構成される。例えば、いくつかの実施形態で、ターンテーブル９６２５は、手動で回され得る（例えば、ユーザが、ハンドル又は類似物（図７０には図示せず）などのターンテーブル９６２５の一部に力を働かせる）。他の実施形態では、ターンテーブル９６２５は、コントローラ又は類似物から信号を受信でき、その信号に基づいてターンテーブル９６２５を回転することのできるモーター又は類似物（図７０には図示せず）を含むことができる。従って、使用中に、ターンテーブル９６２５は、図７０に示されているように、第３トラック部分９６２０Ｃを第１トラック部分９６２０Ａと整列して配置し、第３パワー・レール部分９０５０Ｃを第１パワー・レール部分９０５０Ａと整列して配置するために、トラック部分９６２０Ａ及び９６２０Ｂとパワー・レール部分９０５０Ａ及び９０５０Ｂとに対して相対的に、ある位置に回転することができる。より具体的には、第３トラック部分９６２０Ｃが、第１トラック部分９６２０Ａに整列して配置される時に、第１トラック部分９６２０Ａ及び第３トラック部分９６２０Ｃは、それに沿ってトロリが移動できる実質的に連続したトラックを集合的に形成する。
【０２１８】
[1270]  同様に、第１パワー・レール部分９０５０Ａ及び第３パワー・レール部分９０５０Ｂは、第１トラック部分９６２０Ａ及び第３トラック部分９６２０Ｃによって集合的に形成されるトラックから吊るされたトロリに電力を供給するように構成された実質的に連続するパワー・レールを集合的に形成することができる。具体的には、この実施形態で、ターンテーブル９６２５は、第１パワー・レール部分９０５０Ａ及び第３パワー・レール９０５０Ｃが電気通信している状態になる位置に配置され得る。従って、電流は、電源（図示せず）から第１パワー・レール部分９０５０Ａの第１長さに沿い、第３パワー・レール部分９０５０Ｃに沿い、第１パワー・レール部分９０５０Ａの第２長さに沿って流れることができる。さらに、いくつかの実施形態で、パワー・レール部分９０５０Ａ、９０５０Ｂ、及び９０５０Ｃの両端は、第１パワー・レール部分９０５０Ａ又は第２パワー・レール部分９０５０Ｂと第３パワー・レール部分９０５０Ｃとの間の所与の量の誤整列を許容することのできる伝達セクション又は類似物（例えば、広がった端又はフランジ状の端）を含むことができる。
【０２１９】
[1271]  使用中に、ユーザ（例えば、患者、療法士、技師、医師など）が、例えば第１トラック部分９６２０Ａの長さに沿って配置されたトロリの方向変更を望む場合がある。従って、ユーザは、トロリに、第１トラック部分９６２０Ａに沿った位置から第３トラック部分９６２０Ｃに沿った位置へ移動させることができる。トロリが第３トラック部分９６２０Ｃから吊るされ、トロリが第３パワー・レール部分９０５０Ｃと電気通信している状態で、ユーザは、第３トラック部分９６２０Ｃが第２トラック部分９６２０Ｂと実質的に整列し、第３パワー・レール部分９０５０Ｃが第２パワー・レール部分９０５０Ｂと整列する位置にターンテーブル９６２５を回転する（例えば、手動で又は電気的にのいずれかで）ことができる。第３トラック部分９６２０Ｃが第２トラック部分９６２０Ｂと実質的に整列し、第３パワー・レール部分９０５０Ｃが第２パワー・レール部分９０５０Ｂと実質的に整列する状態で、ユーザは、トロリに、第３トラック部分９６２０Ｃに沿った位置から第２トラック部分９６２０Ｂに沿った位置へ移動させることができる。この形で、トロリは、回され、切り替えられ、回転され、かつ／又は他の形で方向変更され得る。同様に述べると、ターンテーブルは、トロリを回転し、切り替え、回し、かつ／又は他の形で方向変更するために、第１位置から第２位置へ回転され得る。
【０２２０】
[1272]  患者支持システム２０００は、上ではトロリ２１００に電力を供給するように構成されたパワー・レール２６２０を含むものとして説明されるが、他の実施形態では、患者支持システムは、任意の適切な電力系統を含むことができる。例えば、図７１は、一実施形態による部分免荷システム１００００の概略図である。部分免荷システム１００００（本明細書では「支持システム」とも称する）は、形態及び／又は機能において、本明細書で説明する支持システムのいずれにも実質的に類似するものとすることができる。例えば、支持システム１００００は、支持トラック１００５０から移動可能に吊るされたトロリ１０１００を含む。支持トラック１００５０及びトロリ１０１００は、それぞれ、上で図２〜図３４を参照して説明した支持トラック２０５０及びトロリ２１００に実質的に類似するものとすることができる。従って、支持トラック１００５０及びトロリ１０１００は、本明細書でさらに詳細には説明されない。
【０２２１】
[1273]  しかし、支持システム１００００は、電力系統１０６００の配置において支持システム２０００とは異なるものとすることができる。例えば、支持システム２０００は、上で説明したように、支持トラック２０５０と実質的に平行であり、トロリ２１００に電力を供給するためにトロリ２１００と電気通信しているパワー・レール２６２０を含む。しかし、図７１に示された実施形態では、電力系統１０６００は、中央電源及び／又は中央電力供給１０６１０と、図７１の矢印Ｃによって示される、支持トラック１００５０に沿ったトロリ１０１００の移動に応答して電源１０６１０に対して相対的に回転するように構成されたパワー・レール１０６２０とを含む。例えば、いくつかの実施形態で、パワー・レール１０６２０は、トロリ１０１００が支持トラック１００５０に沿って移動する時に延び又は縮む（図７１の矢印Ｄによって示されるように）構成された長さを有する伸縮パワー・レール又は類似物とすることができる。他の実施形態では、パワー・レール１０６２０は、柔軟な及び／又は延長可能なケーブル又は類似物とすることができる。この形で、パワー・レール１０６２０は、トロリ１０１００が支持トラック１００５０に沿って移動する時に実質的に連続的な電力を供給するために、電源１０６１０の回りでピボット回転することができる。支持トラック１００５０が、図７１に具体的に示されているが、電力系統１０６００が、任意の適切な形状を有する支持トラック１００５０と共に使用され得ることを理解されたい。例えば、電力系統１０６００は、直線の若しくはまっすぐな支持トラック、長円形若しくは円形の支持トラック、及び／又は不規則な形状を有する支持トラックと共に使用され得る。すなわち、パワー・レール１０６２０の回転可能で伸縮する配置は、電力系統１０６００が、任意の適切な形状を有する任意の適切な支持トラックと共に使用されることを可能にすることができる。
【０２２２】
[1274]  パワー・レール１０６２０は、任意の適切な電力導体、表面、ワイヤ、及び／又は類似物を含むことができる。例えば、いくつかの実施形態で、パワー・レール１０６２０は、パワー・レール２６２０に類似する１つ又は複数の内側導電表面を含むことができる。他の実施形態で、パワー・レール１０６２０は、電力ケーブル又は電源線（及び／又は任意の適切な電子通信ケーブル若しくは電子通信ワイヤ）を収容するように構成された導管又は類似物とすることができる。さらなる他の実施形態では、パワー・レール１０６２０は、電力を伝達し、かつ／又は伝送するように構成された任意の適切なテザー又は類似物とすることができる。例えば、図７２は、一実施形態によるパワー・レール１１６２０を示す。そのような実施形態では、パワー・レール１１６２０は、少なくとも１つの導電性内面１１６２１を含み、かつ／又は有する実質的に中空の管である。従って、コレクタ１１７７０及び／又はトロリ若しくは支持システムの任意の他の適切な導電部分は、上で支持システム２０００を参照して詳細に説明したように、パワー・レール１１６２０の導電性内面１１６２１と電気接触してコレクタ１１７７０（又はトロリの導体）を配置するために、パワー・レール１１６２０内に少なくとも部分的に配置され得る。
【０２２３】
[1275]  その代わりに、図７３は、異なる実施形態によるパワー・レール１２６２０を示す。図示されているように、パワー・レール１６２０は、実質的に開かれた又は露出された少なくとも１つの導電表面１２６２１を有する、実質的に平坦な又は他の囲まれていないパワー・レール１６２０である。そのような実施形態では、コレクタ１２７７０及び／又はトロリ若しくは支持システムの任意の適切な導電部分が、コレクタ１２７７０（又はトロリの導体）がパワー・レール１２６２０の露出された及び／又は他の形で使用可能な導電表面１２６２１と電気接触するように隣接して配置され得、かつ／又は他の形で位置決めされ得る。いくつかの実施形態では、そのような配置は、例えば、パワー・レール１２６２０が、トロリがそれに沿って移動する支持トラック（図７３には図示せず）に結合され、かつ／又はこれと一体化されることを可能にすることができる。他の実施形態では、パワー・レール１２６２０は、例えば支持システム２０００を参照して説明したように、支持トラックからオフセットされ得る。
【０２２４】
[1276]  パワー・レール２６２０、１０６２０、１１６２０、及び／又は１２６２０は、上では対応する支持トラックとは独立であるものとして具体的に説明されるが、他の実施形態では、支持トラックは、そこから吊るされるトロリの一部に電力を供給するように構成された１つ又は複数の導電性の表面及び／又は部材を含むことができる。さらに、パワー・レール２６２０、１０６２０、１１６２０、及び１２６２０は、上ではそれぞれの支持システムに電力を供給するものとして説明されるが、いくつかの実施形態では、支持システムは、電力を貯え、かつ／又は支持システムの１つ又は複数の構成要素若しくはデバイスに電力を供給するように構成された１つ又は複数のバッテリ、バッテリ・システム、キャパシタ、エネルギ貯蔵デバイス、無停電電力供給（ＵＰＳ）、及び／又は類似物を含むことができる。例えば、上で説明したように、支持システムは、１つ又は複数の構成要素又はデバイス（例えば、電力供給、トロリ、計算デバイス、コントローラ、トレッドミルなどの副トレーニング・デバイスなど）に電力の主要な流れ又はバックアップ流れを供給するために支持システム内の任意の適切な位置内で及び／又は構成で電気的に接続されたＵＰＳを含むことができる。従って、そのようなＵＰＳ（又はエネルギ貯蔵デバイス若しくはバックアップ・デバイスの任意の他の適切な形）は、支持システム及び／又はその少なくとも一部に途切れない電力を供給するように構成され得る。
【０２２５】
[1277]  様々な実施形態が上で説明されたが、それらが、限定ではなく例としてのみ提示され、従って、形態及び／又は詳細における様々な変更を行うことができることを理解されたい。例えば、トロリ２１００は、上では図２〜図３３を参照して、特定の形状、サイズ、及び／又は構成を有するものとして説明されるが、１つ又は複数の構成要素のサイズ、形状、構成、及び／又は配置の変更が、その機能性を変更せずに行われ得ることを理解されたい。例えば、図７４〜図７６は、一実施形態によるトロリ１２１００を示す。トロリ１２１００は、形態及び／又は機能において上で図２〜図３３を参照して説明したトロリ２１００に実質的に類似するものとすることができる。例えば、トロリ２１００は、支持トラック（図７４〜図７６には図示せず）からトロリ１２１００を移動可能に吊るすように構成された駆動系１２３００と、ユーザを支持機構１２５００に結合するために、ユーザが身に着けるハーネス又は類似物に接続するように構成されたテザー１２５０５を含む支持機構１２５００とを含む。この実施形態では、駆動系１２３００及び支持機構１２５００は、少なくとも形態及び／又は機能において、それぞれトロリ２１００の駆動系２３００及び支持機構２５００に実質的に類似するものとすることができる。
【０２２６】
[1278]  しかし、図７４〜図７６に示されたトロリ１２１００は、トロリ２１００のカバー２２６０とは異なるサイズ、形状、及び／又は構成を有するカバー１２２６０を含むことによって、図２〜図３３に示されたトロリ２１００とは異なるものとすることができる。例えば、カバー１２２６０は、図７４及び図７５に示されているように、支持機構１２５００の一部（例えば、カム・アセンブリの一部又は類似物）を受けるように構成されたノッチ１２２６７を規定する。さらに、カバー１２２６０は、図７６に示されているように、テザー１２５０５の端部が患者接続機構並びに／又はユーザ及び／若しくは患者が身に着けるハーネスに結合されることを可能にするためにテザー１２５０５の少なくとも一部がそれを介して延びることのできる開口部１２２６６を規定する。従って、図７４〜図７６に示されたカバー１２２６０は、形状、サイズ、及び／又は構成においてカバー２２６０（例えば、図４〜図９参照）から変化するが、カバー２２６０及び１２２６０は、それぞれトロリ２１００及び１２１００の少なくとも一部を囲み、カバーし、かつ／又は収容するために実質的に類似する形で機能することができる。
【０２２７】
[1279]  別の例として、接続機構２８００は、上では図３４を参照してエネルギ貯蔵部材２８５０を含むものとして説明されるが、他の実施形態では、接続機構がエネルギ貯蔵部材を含む必要はない。そのような実施形態では、接続機構は、例えば、トロリ２１００に結合され、患者が身に着けるハーネス又は類似物にさらに結合され得る。そのような実施形態では、トロリ２１００は、上で説明したものに実質的に類似する形で機能することができる。
【０２２８】
[1280]  トロリ２１００は、上では図２〜図３３を参照して、電動化された駆動系２３００及び能動的な支持機構２５００を含むものとして説明されるが、他の実施形態では、トロリは、電動化された駆動系又は能動的な支持機構のいずれかを含むことができる。同様に述べると、駆動系２３００及び支持機構２５００は、相互に排他的とすることができ、上で説明したものに類似する形で独立に機能することができる。
【０２２９】
[1281]  本明細書で説明される装置及び／又は方法の任意の部分は、そうではないと明示的に表現されない限り、任意の適切な組合せで組み合わされ得る。例えば、いくつかの実施形態で、支持システム２０００内に含まれるトロリ２１００の患者支持機構２５００は、支持システム３９００に類似するシステムに置換され得る。そのような実施形態では、シリンダ、ピストン、及びエネルギ貯蔵部材が、例えばトロリ２１００のハウジング２２００の基部２２１０から延びることができる。さらに詳説すると、エネルギ貯蔵部材（例えば、貯蔵部材３９６０）の運動エネルギ及びポテンシャル・エネルギは、トロリ２１００を参照して上で説明したシステムに類似するフィードバック・システムを介して能動的に制御され得る。例えば、エネルギ貯蔵部材３９６０は、圧縮空気とすることができ、その圧力は、ピストンに働く力に応答して制御され得る。
【０２３０】
[1282]  本明細書で説明されるシステム及び／又は方法のいずれもが、例えば歩行トレーニング中及び／又は類似物中のユーザに支持を提供するために任意の適切な方法内で使用され得る。例えば、図７７は、一実施形態による部分免荷システムを使用する方法１０を示す流れ図である。部分免荷システムは、本明細書で説明される支持システムのいずれかに類似するものとすることができる。例えば、いくつかの実施形態では、支持システムは、上で図２〜図３３を参照して詳細に説明した支持システム２０００に実質的に類似するものとすることができる。従って、支持システムは、支持トラックから移動可能に吊るされるように構成されたトロリ（例えば、トロリ２１００に類似する）又は類似物を含むことができる。支持システムは、ユーザが身に着けるか他の形でユーザに結合される接続デバイスに結合されるように構成されたテザーを有する患者支持機構（例えば、支持機構２５００に類似する）を含むことができる。従って、テザーを接続デバイスに結合することは、ユーザを部分免荷システム及び／又は少なくともその中に含まれるトロリに結合することができる。
【０２３１】
[1283]  方法１０は、１１で、テザーが接続デバイスに結合され、接続デバイスが初期位置にある時のテザーの基準長さを定義することを含む。例えば、上で図５９及び図６０を参照して説明したように、ユーザ、療法士、トレーナなどは、接続デバイスの中立位置に関連する「ゼロ点」又は基準点を入力し、供給し、かつ／又は他の形で定義することができ、このゼロ点は、テザーの判定された又は所定の長さに関連し、かつ／又はこれに対応する。さらに、ユーザ、療法士、トレーナなどは、１２で、支持システムにテザーのしきい長さを定義させるように動作可能な入力、選択、命令などを供給することができる。
【０２３２】
[1284]  上で詳細に説明したように、部分免荷システムは、使用（例えば、歩行トレーニング）中にユーザの重量の少なくとも一部を支持するように構成される。図７７に示されているように、方法１０は、１３で、歩行トレーニング中に、ユーザが表面（例えば、床若しくは地面又はトレッドミルなどのデバイスに沿って若しくはその上で）に対して相対的に及び／又は表面上で移動し、テザーの長さがテザーのしきい長さより短い時に、第１量の部分免荷を提供することを含む。例えば、上で説明したように、部分免荷の第１量は、ユーザが立っている、ウォークしている、走っている、かつ／又は他の形で能動的に転倒していない時にユーザに供給される支持の量とすることができる。いくつかの実施形態では、部分免荷の第１量は、例えば０支持とすることができる。すなわち、テザーは、ユーザを部分免荷システムに結合することができるが、いくつかの例で、部分免荷システムは、ユーザが転倒しつつあるのでない限り、及び／又はシステムが他の形でそうすることにかかわるのでない限り、支持を提供しないものとすることができる。他の実施形態では、支持の第１量は、例えばユーザの重量の一部又は実質的にすべてを含む、ユーザの重量の非０部分とすることができる。
【０２３３】
[1285]  １４で、歩行トレーニング中に、ユーザが表面に対して相対的に及び／又は表面上で移動し、テザーの長さがテザーのしきい長さより長い時に、第２量の部分免荷が提供される。例えば、上で説明したように、部分免荷システムは、ユーザがテザーに印加する力の変化に応答して、ユーザが部分免荷システムに対して相対的に移動することに応答して、ユーザが転倒することに応答して、及び／又は類似物に応答して、ユーザに応答し、反応し、及び／又は他の形で支持するように構成され得る。より具体的には、この例で、部分免荷システムは、テザーの長さがしきい長さより長くなるようなテザーの長さの変化（例えば、増加）に応答して、部分免荷の第２量を提供するように構成され得る。すなわち、部分免荷システムは、ユーザが転倒することに応答して部分免荷の第２量を提供するように構成され得る。
【０２３４】
[1286]  方法１０は、１５で、部分免荷システム内に含まれる電子デバイスのディスプレイ上に歩行トレーニングに関連するデータを表示することをさらに含む。例えば、上で図５０〜図６９を参照して説明したように、部分免荷システムは、１つ又は複数のトレーニング・セッションに関する情報をユーザ及び／又は療法士若しくはトレーナに提供できるグラフ、チャート、ユーザ・インターフェースなどの形でデータを提示するように構成され得る（上で詳細に説明したように）。従って、ユーザ、療法士、トレーナなどは、歩行トレーニング中のユーザの歩行及び／又は彼若しくは彼女のパフォーマンス、改善、弱点、長所などに関連する１つ又は複数の特性を判定するためにデータを再検討することができる。
【０２３５】
[1287]  図７８は、別の実施形態による部分免荷システムを使用する方法２０を示す流れ図である。部分免荷システムは、本明細書で説明する支持システムのいずれか（例えば、上で図２〜図３３を参照して詳細に説明した支持システム２０００）に類似するものとすることができる。従って、支持システムは、支持トラックから移動可能に吊るされるように構成されたトロリ（例えば、トロリ２１００に類似する）又は類似物を含むことができる。支持システムは、ユーザが身に着けるか他の形でユーザに結合される接続デバイスに結合されるように構成されたテザーを有する患者支持機構（例えば、患者支持機構２５００に類似する）を含むことができる。従って、テザーを接続デバイスに結合することは、ユーザを部分免荷システム及び／又は少なくともその中に含まれるトロリに結合することができる。
【０２３６】
[1288]  方法２０は、２１で、テザーが接続デバイスに結合され、接続デバイスが初期位置にある時のテザーの基準長さを定義することを含む。例えば、上で図５９及び図６０を参照して説明したように、ユーザ、療法士、トレーナなどは、接続デバイスの中立位置に関連する「ゼロ点」又は基準点を入力し、供給し、かつ／又は他の形で定義することができ、このゼロ点は、テザーの判定された又は所定の長さに関連し、かつ／又はこれに対応する。さらに、ユーザ、療法士、トレーナなどは、２２で、支持システムに、テザーの長さの変化に関連する第１判断基準を定義させるように動作可能な入力、選択、命令などを供給することができ、２３で、支持システムに、テザーの長さの変化に関連する第２判断基準を定義させるように動作可能な入力、選択、命令などを供給することができ、２４で、支持システムに、ユーザが歩行トレーニング中に転倒することに応答して提供すべき部分免荷の量を定義させるように動作可能な入力、選択、命令などを供給することができる。例えば、いくつかの実施形態で、第１判断基準は、テザーの長さの変化の速度とすることができ、第２判断基準は、テザーの長さの変化の持続時間とすることができる。他の実施形態では、第１判断基準及び第２判断基準は、１つ又は複数の任意の適切な判断基準とすることができる。支持すべき体重の量は、ユーザの体重の任意の適切な部分とすることができる。いくつかの例で、例えば、部分免荷の量は、ユーザの体重のパーセンテージ（例えば、０％、１０％、２０％、３０％など）として表され得る。他の例で、部分免荷の量は、重量項（例えば、ポンド単位又はキログラム単位）として表され得る。
【０２３７】
[1289]  方法２０は、２５で、第１判断基準及び第２判断基準が満足されることに基づいて、転倒が発生したかどうかを判定することを含む。例えば、歩行トレーニング中に、ユーザは、表面に対して相対的に移動し、かつ／又は表面上でウォークすることができ、これが、テザーに働く力の変化をもたらす可能性がある（上で詳細に説明したように）。いくつかの例で、歩行トレーニング中に転倒するユーザは、ユーザがテザーに働かせる力の増加をもたらすことができ、この増加は、テザーの少なくとも一部の長さの変化の相対的に高い速度をもたらし、これが、第１判断基準を満足するのに十分である可能性がある。しかし、いくつかの例で、テザーの長さの変化の同様の速度が、転倒していない時のユーザの移動（例えば、ユーザが座るか立ち上がる、かがむ、傾斜路、階段、又はプラットフォームを登るか降りる、かつ／又は類似物を行う場合）から生じる場合がある。従って、転倒の発生を誤って定義し又は誤って判定することを回避するために、支持システムは、第１判断基準（例えば、テザーの長さの変化の速度）と第２判断基準（例えば、テザーの長さの変化の持続時間又はテザーの長さの変化に要する時間の長さ）との両方を満足することに応答して転倒が定義され、かつ／又は判定されるように構成され得る。さらに、２６で、第１判断基準及び第２判断基準が満足されるときに、その量の部分免荷を提供することができる。
【０２３８】
[1290]  図７９は、別の実施形態による部分免荷システムを使用する方法３０を示す流れ図である。部分免荷システムは、本明細書で説明する支持システムのいずれか（例えば、上で図２〜図３３を参照して詳細に説明した支持システム２０００）に類似するものとすることができる。従って、支持システムは、支持トラックから移動可能に吊るされるように構成されたトロリ（例えば、トロリ２１００に類似する）又は類似物を含むことができる。支持システムは、ユーザが身に着けるか他の形でユーザに結合される接続デバイスに結合されるように構成されたテザーを有する患者支持機構（例えば、支持機構２５００に類似する）を含むことができる。従って、テザーを接続デバイスに結合することは、ユーザを部分免荷システム及び／又は少なくともその中に含まれるトロリに結合することができる。
【０２３９】
[1291]  方法３０は、３１で、テザーが接続デバイスに結合され、接続デバイスが初期位置にある時のテザーの基準長さを定義することを含む。例えば、上で図５９及び図６０を参照して説明したように、ユーザ、療法士、トレーナなどは、接続デバイスの中立位置に関連する「ゼロ点」又は基準点を入力し、供給し、かつ／又は他の形で定義することができ、このゼロ点は、テザーの判定された又は所定の長さに関連し、かつ／又はこれに対応する。さらに、ユーザ、療法士、トレーナなどは、３２で、支持システムに、ユーザが歩行トレーニング中に転倒することに関連し、かつ／又は他の形でこれを示す、テザーのしきい長さを定義させるように動作可能な入力、選択、命令などを供給することができ、３３で、支持システムに、歩行治療中の転倒のしきい回数を定義させるように動作可能な入力、選択、命令などを供給することができる。
【０２４０】
[1292]  方法３０は、３４で、歩行トレーニング中に、ユーザが表面（例えば、床若しくは地面、又はトレッドミルなどのトレーニング・デバイスに対して相対的に若しくはその上）に対して相対的に及び／又はその上で移動し、転倒の回数が転倒のしきい回数より少ない時に、所定の量の部分免荷を提供することを含む。例えば、上で説明したように、部分免荷の所定の量は、ユーザが立っている、ウォークしている、走っている、かつ／又は他の形で能動的に転倒していない時にユーザに供給される支持の量とすることができる。いくつかの実施形態では、部分免荷の第１量は、例えば０支持とすることができる。すなわち、テザーは、ユーザを部分免荷システムに結合することができるが、いくつかの例で、部分免荷システムは、ユーザが転倒しつつあるのでない限り、及び／又はシステムが他の形でそうすることにかかわるのでない限り、支持を提供しないものとすることができる。他の実施形態では、支持の第１量は、例えばユーザの重量の一部又は実質的にすべてを含む、ユーザの重量の非０部分とすることができる（例えば、ユーザの体重のパーセンテージ又はポンド単位若しくはキログラム単位の重量値として表され又は表現される）。
【０２４１】
[1293]  いくつかの例で、３５で、転倒のしきい回数が満足されることに応答して、歩行トレーニング中にユーザに提供すべき部分免荷の所定の量が、増やされる。例えば、いくつかの例で、ユーザによって繰り返される転倒は、ユーザがより多くの部分免荷から利益を得るはずであることを示す可能性がある。従って、部分免荷システムは、ユーザに提供される支持の量を増やすことができる。いくつかの例で、増加の量は、支持の量の所定の増加（例えば、１％の増加、５％の増加、１０％の増加、２０％の増加など）とすることができる。他の例では、増加の量は、歩行トレーニング中のユーザのパフォーマンスに関連する特性に基づいて計算され得る。さらなる他の例では、増加の量は、ユーザ、療法士、トレーナなどによって入力され得る。
【０２４２】
[1294]  方法３０は、３５で、部分免荷システム内に含まれる電子デバイスのディスプレイ上で歩行トレーニングに関連するデータを表示することをさらに含む。例えば、上で図５０〜図６９を参照して説明したように、部分免荷システムは、ユーザ及び／又は療法士若しくはトレーナに１つ又は複数のトレーニング・セッションに関する情報を提供することのできるグラフ、チャート、ユーザ・インターフェースなどの形でデータを提示するように構成され得る（上で詳細に説明したように）。従って、ユーザ、療法士、トレーナなどは、例えば、歩行トレーニング中のユーザの歩行及び／又は彼若しくは彼女のパフォーマンス、改善、弱点、長所などに関連する１つ又は複数の特性を判定するためにデータを再検討することができる。
【０２４３】
[1295]  上で説明した方法及び／又は方式は、ある順序で発生するある種の事象及び／又はフロー・パターンを示すが、ある種の事象及び／又はフロー・パターンの順序付けは、変更され得る。さらに、ある種の事象は、可能な時には並列プロセス内で同時に実行され、同様に、順次実行され得る。
【０２４４】
[1296]  本明細書で説明されるいくつかの実施形態は、様々なコンピュータ実施される動作を実行するための命令又はコンピュータ・コードをその上に有する非一時的コンピュータ可読媒体（非一時的プロセッサ可読媒体と呼ばれる可能性もある）を有するコンピュータ・ストレージ製品に関する。コンピュータ可読媒体（又はプロセッサ可読媒体）は、過渡的な伝搬する信号（例えば、空間又はケーブルなどの伝送媒体上で情報を搬送する伝搬する電磁波）を含まないという意味で非一時的である。媒体及びコンピュータ・コード（本明細書ではコードとも称する）は、１つ又は複数の特定の目的のために設計され、構成された媒体及びコンピュータ・コードとすることができる。非一時的コンピュータ可読媒体の例は、ハード・ディスクなどの磁気記憶媒体、コンパクト・ディスク／デジタル・ビデオ・ディスク（ＣＤ／ＤＶＤ）、コンパクト・ディスク読取専用メモリ（ＣＤ−ＲＯＭ）などの光学記憶媒体、光ディスクなどの光磁気記憶媒体、搬送波信号処理モジュール、並びに、特定用途向け集積回路（ＡＳＩＣ）、プログラマブル論理デバイス（ＰＬＤ）、読取専用メモリ（ＲＯＭ）デバイス、及びランダム・アクセス・メモリ（ＲＡＭ）デバイスなど、プログラム・コードを記憶し、実行するように特に構成されたハードウェア・デバイスを含むが、これに限定されない。本明細書で説明される他の実施形態は、例えば本明細書で議論される命令及び／又はコンピュータ・コードを含むことができる、コンピュータ・プログラム製品に関する。
【０２４５】
[1297]  コンピュータ・コードの例は、マイクロコード又はマイクロ命令、コンパイラによって作られるものなどの機械命令、ウェブ・サービスを作るのに使用されるコード、及びインタープリタを使用してコンピュータによって実行される高水準命令を含むファイルを含むが、これに限定されない。例えば、諸実施形態は、命令型プログラミング言語（例えば、Ｃ、ＦＯＲＴＲＡＮなど）、関数型プログラミング言語（例えば、Ｈａｓｋｅｌｌ、Ｅｒｌａｎｇなど）、論理型プログラミング言語（例えば、Ｐｒｏｌｏｇ）、オブジェクト指向プログラミング言語（例えば、Ｊａｖａ、Ｃ＋＋など）、又は他のプログラミング言語及び／若しくは他の開発ツールを使用して実施され得る。コンピュータ・コードの追加の例は、制御信号、暗号化されたコード、及び圧縮されたコードを含むが、これに限定されない。
【図１】
2020507360.tif 000003
【図２】
2020507360.tif 000004
【図３】
2020507360.tif 000005
【図４】
2020507360.tif 000006
【図５】
2020507360.tif 000007
【図６】
2020507360.tif 000008
【図７】
2020507360.tif 000009
【図８】
2020507360.tif 000010
【図９】
2020507360.tif 000011
【図１０】
2020507360.tif 000012
【図１１】
2020507360.tif 000013
【図１２】
2020507360.tif 000014
【図１３】
2020507360.tif 000015
【図１４】
2020507360.tif 000016
【図１５】
2020507360.tif 000017
【図１６】
2020507360.tif 000018
【図１７】
2020507360.tif 000019
【図１８】
2020507360.tif 000020
【図１９】
2020507360.tif 000021
【図２０】
2020507360.tif 000022
【図２１】
2020507360.tif 000023
【図２２】
2020507360.tif 000024
【図２３】
2020507360.tif 000025
【図２４】
2020507360.tif 000026
【図２５】
2020507360.tif 000027
【図２６】
2020507360.tif 000028
【図２７】
2020507360.tif 000029
【図２８】
2020507360.tif 000030
【図２９】
2020507360.tif 000031
【図３０】
2020507360.tif 000032
【図３１】
2020507360.tif 000033
【図３２】
2020507360.tif 000034
【図３３】
2020507360.tif 000035
【図３４】
2020507360.tif 000036
【図３５】
2020507360.tif 000037
【図３６】
2020507360.tif 000038
【図３７】
2020507360.tif 000039
【図３８】
2020507360.tif 000040
【図３９】
2020507360.tif 000041
【図４０】
2020507360.tif 000042
【図４１】
2020507360.tif 000043
【図４２】
2020507360.tif 000044
【図４３】
2020507360.tif 000045
【図４４】
2020507360.tif 000046
【図４５】
2020507360.tif 000047
【図４６】
2020507360.tif 000048
【図４７】
2020507360.tif 000049
【図４８】
2020507360.tif 000050
【図４９】
2020507360.tif 000051
【図５０】
2020507360.tif 000052
【図５１】
2020507360.tif 000053
【図５２】
2020507360.tif 000054
【図５３】
2020507360.tif 000055
【図５４】
2020507360.tif 000056
【図５５】
2020507360.tif 000057
【図５６】
2020507360.tif 000058
【図５７】
2020507360.tif 000059
【図５８】
2020507360.tif 000060
【図５９】
2020507360.tif 000061
【図６０】
2020507360.tif 000062
【図６１】
2020507360.tif 000063
【図６２】
2020507360.tif 000064
【図６３】
2020507360.tif 000065
【図６４】
2020507360.tif 000066
【図６５】
2020507360.tif 000067
【図６６】
2020507360.tif 000068
【図６７】
2020507360.tif 000069
【図６８】
2020507360.tif 000070
【図６９】
2020507360.tif 000071
【図７０】
2020507360.tif 000072
【図７１】
2020507360.tif 000073
【図７２】
2020507360.tif 000074
【図７３】
2020507360.tif 000075
【図７４】
2020507360.tif 000076
【図７５】
2020507360.tif 000077
【図７６】
2020507360.tif 000078
【図７７】
2020507360.tif 000079
【図７８】
2020507360.tif 000080
【図７９】
2020507360.tif 000081
【国際調査報告】
2020507360.tif 000082
2020507360.tif 000083
2020507360.tif 000084